(57)【要約】      （修正有）【課題】ワイヤレスネットワークが密集しているときに通信するための改善されたシステム、方法およびデバイスを提供する。【解決手段】ワイヤレス通信システムのプロセス１１００において、第１のメッセージを生成する。第１のメッセージは、第１の周波数チャネルに第１の局、および第２の周波数チャネルに第２の局の割振りを備え、第１の局に関連付けられた第１の変調およびコーディング方式（ＭＣＳ）値と、第２の局に関連付けられた第２のＭＣＳ値と、を備える物理レイヤプリアンブルを備える。第１の周波数チャネルおよび第２の周波数チャネルを介して第１のメッセージを送信し、第１のメッセージの送信後に、第１の周波数チャネルを使用して第１の局に第２のメッセージを送信し、第１のメッセージの送信後に、第２の周波数チャネルを使用して第２の局に第３のメッセージを送信する。【選択図】図１１
2018074595.tif 000002
【特許請求の範囲】
【請求項１】
データを送信するための方法であって、
第１のメッセージを生成することと、前記第１のメッセージは、第１の周波数チャネルに第１の局、および第２の周波数チャネルに第２の局の割振りを備える、
前記第１の周波数チャネルまたは前記第２の周波数チャネルのうちの少なくとも１つを介して前記第１のメッセージを送信することと、
前記第１のメッセージの送信後に、前記第１の周波数チャネルを使用して前記第１の局に第２のメッセージを送信することと、
前記第１のメッセージの送信後に、前記第２の周波数チャネルを使用して前記第２の局に第３のメッセージを送信することと
を備える方法。
【請求項２】
前記第１のメッセージは、前記第１の周波数チャネルに前記第１の局を、前記第２の周波数チャネルに前記第２の局を割り振る物理レイヤプリアンブルを備える、請求項１に記載の方法。
【請求項３】
前記第１のメッセージは、前記第１の局のための第１のデータと、前記第２の局のための第２のデータとをさらに備える、請求項２に記載の方法。
【請求項４】
前記物理レイヤプリアンブルは、前記第１の局に関連付けられた第１の変調およびコーディング方式（ＭＣＳ）、前記第２の局に関連付けられた第２のＭＣＳ、アクセスポイントが前記第１の局に送信することになる時間の時間期間、前記アクセスポイントが前記第１の局に送信することになるバイトの数、前記アクセスポイントが前記第２の局に送信することになる時間の時間期間、前記アクセスポイントが前記第２の局に送信することになるバイトの数、前記第１の周波数チャネルに関連付けられ、前記第１の局に送信に使用される第１のチャネル帯域幅、前記第２の周波数チャネルに関連付けられ、前記第２の局に送信に使用される第２のチャネル帯域幅、前記第２の周波数チャネルを介して通信するように構成されていない局が前記第１の周波数チャネルを介した送信を遅らせるべき時間の時間期間、前記第２の周波数チャネル上で使用される送信電力、または３元周波数チャネル上で使用される送信電力のうちの少なくとも１つをさらに備える、請求項２に記載の方法。
【請求項５】
前記物理レイヤプリアンブルは、前記第１の局に関する送信モードの指示と、前記第２の局に関する送信モードの指示とをさらに備え、前記第１の局に関する前記送信モードおよび前記第２の局に関する前記送信モードは、コーディングモードまたはパイロットロケーションモードのうちの少なくとも１つを備える、請求項４に記載の方法。
【請求項６】
前記物理レイヤプリアンブルは、前記第１の周波数チャネルに前記第１の局を、前記第２の周波数チャネルに前記第２の局を割り振るグループ識別をさらに備える、請求項２に記載の方法。
【請求項７】
前記第１のメッセージは、物理レイヤと媒体アクセス制御（ＭＡＣ）レイヤとを備え、前記ＭＡＣレイヤは、前記第１の周波数チャネルに前記第１の局を、前記第２の周波数チャネルに前記第２の局を割り振る、請求項１に記載の方法。
【請求項８】
前記第１の周波数チャネルのチャネル帯域幅を、前記第２の周波数チャネルのチャネル帯域幅の値よりも大きい値に設定することをさらに備える、請求項１に記載の方法。
【請求項９】
第２のメッセージを送信することと、第３のメッセージを送信することとは、前記第１の局に前記第２のメッセージを、前記第２の局に前記第３のメッセージを同時に送信することを備える、請求項１に記載の方法。
【請求項１０】
第２のメッセージを送信することは、第１の時間に前記第２のメッセージを送信することを備え、第３のメッセージを送信することは、前記第１の時間の後の第２の時間に前記第３のメッセージを送信することを備える、請求項１に記載の方法。
【請求項１１】
前記第１の周波数チャネルおよび前記第２の周波数チャネルは、動作帯域幅において隣接している、請求項１に記載の方法。
【請求項１２】
前記第１の周波数チャネルおよび前記第２の周波数チャネルは、動作帯域幅において隣接していない、請求項１に記載の方法。
【請求項１３】
データを送信するための装置であって、
第１のメッセージを生成するための手段と、前記第１のメッセージは、第１の周波数チャネルに第１の局、および第２の周波数チャネルに第２の局の割振りを備える、
前記第１の周波数チャネルおよび前記第２の周波数チャネルを介して前記第１のメッセージを送信するための手段と、
前記第１のメッセージの送信後に、前記第１の周波数チャネルを使用して前記第１の局に第２のメッセージを送信するための手段と、
前記第１のメッセージの送信後に、前記第２の周波数チャネルを使用して前記第２の局に第３のメッセージを送信するための手段と
を備える装置。
【請求項１４】
前記第１のメッセージは、前記第１の周波数チャネルに前記第１の局を、前記第２の周波数チャネルに前記第２の局を割り振る物理レイヤプリアンブルを備える、請求項１３に記載の装置。
【請求項１５】
前記第１のメッセージは、前記第１の局のための第１のデータと、前記第２の局のための第２のデータとをさらに備える、請求項１４に記載の装置。
【請求項１６】
前記物理レイヤプリアンブルは、前記第１の局に関連付けられた第１の変調およびコーディング方式（ＭＣＳ）、前記第２の局に関連付けられた第２のＭＣＳ、アクセスポイントが前記第１の局に送信することになる時間の時間期間、前記アクセスポイントが前記第１の局に送信することになるバイトの数、前記アクセスポイントが前記第２の局に送信することになる時間の時間期間、前記アクセスポイントが前記第２の局に送信することになるバイトの数、前記第１の周波数チャネルに関連付けられ、前記第１の局に送信に使用される第１のチャネル帯域幅、前記第２の周波数チャネルに関連付けられ、前記第２の局に送信に使用される第２のチャネル帯域幅、前記第２の周波数チャネルを介して通信するように構成されていない局が前記第１の周波数チャネルを介した送信を遅らせるべき時間の時間期間、前記第２の周波数チャネル上で使用される送信電力、または３元周波数チャネル上で使用される送信電力のうちの少なくとも１つをさらに備える、請求項１４に記載の装置。
【請求項１７】
前記物理レイヤプリアンブルは、前記第１の局に関する送信モードの指示と、前記第２の局に関する送信モードの指示とをさらに備え、前記第１の局に関する前記送信モードおよび前記第２の局に関する前記送信モードは、コーディングモードまたはパイロットロケーションモードのうちの少なくとも１つを備える、請求項１６に記載の装置。
【請求項１８】
前記物理レイヤプリアンブルは、前記第１の周波数チャネルに前記第１の局を、前記第２の周波数チャネルに前記第２の局を割り振るグループ識別をさらに備える、請求項１４に記載の装置。
【請求項１９】
前記第１のメッセージは、物理レイヤと媒体アクセス制御（ＭＡＣ）レイヤとを備え、前記ＭＡＣレイヤは、前記第１の周波数チャネルに前記第１の局、および前記第２の周波数チャネルに前記第２の局を割り振る、請求項１３に記載の装置。
【請求項２０】
前記第１のメッセージを生成するための前記手段は、プロセッサを備え、前記第１のメッセージを送信するための前記手段と、前記第２のメッセージを送信するための前記手段と、前記第３のメッセージを送信するための前記手段とは、送信機を備える、請求項１３に記載の装置。
【請求項２１】
実行されたときに装置に、
第１のメッセージを生成することと、前記第１のメッセージは、第１の周波数チャネルに第１の局、および第２の周波数チャネルに第２の局の割振りを備える、
前記第１の周波数チャネルおよび前記第２の周波数チャネルを介して前記第１のメッセージを送信することと、
前記第１のメッセージの送信後に、前記第１の周波数チャネルを使用して前記第１の局に第２のメッセージを送信することと、
前記第１のメッセージの送信後に、前記第２の周波数チャネルを使用して前記第２の局に第３のメッセージを送信することと
を行わせるコードを備える非一時的コンピュータ可読媒体。
【請求項２２】
前記第１のメッセージは、前記第１の周波数チャネルに前記第１の局、および前記第２の周波数チャネルに前記第２の局を割り振る物理レイヤプリアンブルを備える、請求項２１に記載の媒体。
【請求項２３】
前記第１のメッセージは、前記第１の局のための第１のデータと、前記第２の局のための第２のデータとをさらに備える、請求項２２に記載の媒体。
【請求項２４】
前記物理レイヤプリアンブルは、前記第１の局に関連付けられた第１の変調およびコーディング方式（ＭＣＳ）、前記第２の局に関連付けられた第２のＭＣＳ、アクセスポイントが前記第１の局に送信することになる時間の時間期間、前記アクセスポイントが前記第１の局に送信することになるバイトの数、前記アクセスポイントが前記第２の局に送信することになる時間の時間期間、前記アクセスポイントが前記第２の局に送信することになるバイトの数、前記第１の周波数チャネルに関連付けられ、前記第１の局に送信に使用される第１のチャネル帯域幅、前記第２の周波数チャネルに関連付けられ、前記第２の局に送信に使用される第２のチャネル帯域幅、前記第２の周波数チャネルを介して通信するように構成されていない局が前記第１の周波数チャネルを介した送信を遅らせるべき時間の時間期間、前記第２の周波数チャネル上で使用される送信電力、または３元周波数チャネル上で使用される送信電力のうちの少なくとも１つをさらに備える、請求項２２に記載の媒体。
【請求項２５】
前記物理レイヤプリアンブルは、前記第１の局に関する送信モードの指示と、前記第２の局に関する送信モードの指示とをさらに備え、ここにおいて、前記第１の局に関する前記送信モードおよび前記第２の局に関する前記送信モードは、コーディングモードまたはパイロットロケーションモードのうちの少なくとも１つを備える、請求項２４に記載の媒体。
【請求項２６】
前記物理レイヤプリアンブルは、前記第１の周波数チャネルに前記第１の局を、前記第２の周波数チャネルに前記第２の局を割り振るグループ識別をさらに備える、請求項２２に記載の媒体。
【請求項２７】
前記第１のメッセージは、物理レイヤと媒体アクセス制御（ＭＡＣ）レイヤとを備え、前記ＭＡＣレイヤは、前記第１の周波数チャネルに前記第１の局を、前記第２の周波数チャネルに前記第２の局を割り振る、請求項２１に記載の媒体。
【請求項２８】
データを送信するための装置であって、
第１のメッセージを生成するように構成されたプロセッサと、前記第１のメッセージは、第１の周波数チャネルに第１の局、および第２の周波数チャネルに第２の局の割振りを備える、
前記第１の周波数チャネルおよび前記第２の周波数チャネルを介して前記第１のメッセージを送信するように構成された送信機と、前記送信機は、前記第１のメッセージの送信後に、前記第１の周波数チャネルを使用して前記第１の局に第２のメッセージを送信するようにさらに構成され、前記送信機は、前記第１のメッセージの送信後に、前記第２の周波数チャネルを使用して前記第２の局に第３のメッセージを送信するようにさらに構成される、
を備える装置。
【請求項２９】
前記第１のメッセージは、前記第１の周波数チャネルに前記第１の局を、前記第２の周波数チャネルに前記第２の局を割り振る物理レイヤプリアンブルを備える、請求項２８に記載の装置。
【請求項３０】
前記第１のメッセージは、前記第１の局のための第１のデータと、前記第２の局のための第２のデータとをさらに備える、請求項２９に記載の装置。
【請求項３１】
前記物理レイヤプリアンブルは、前記第１の局に関連付けられた第１の変調およびコーディング方式（ＭＣＳ）、前記第２の局に関連付けられた第２のＭＣＳ、アクセスポイントが前記第１の局に送信することになる時間の時間期間、前記アクセスポイントが前記第１の局に送信することになるバイトの数、前記アクセスポイントが前記第２の局に送信することになる時間の時間期間、前記アクセスポイントが前記第２の局に送信することになるバイトの数、前記第１の周波数チャネルに関連付けられ、前記第１の局に送信に使用される第１のチャネル帯域幅、前記第２の周波数チャネルに関連付けられ、前記第２の局に送信に使用される第２のチャネル帯域幅、前記第２の周波数チャネルを介して通信するように構成されていない局が前記第１の周波数チャネルを介した送信を遅らせるべき時間の時間期間、前記第２の周波数チャネル上で使用される送信電力、または３元周波数チャネル上で使用される送信電力のうちの少なくとも１つをさらに備える、請求項２９に記載の装置。
【請求項３２】
前記物理レイヤプリアンブルは、前記第１の局に関する送信モードの指示と、前記第２の局に関する送信モードの指示とをさらに備え、前記第１の局に関する前記送信モードおよび前記第２の局に関する前記送信モードは、コーディングモードまたはパイロットロケーションモードのうちの少なくとも１つを備える、請求項３１に記載の装置。
【請求項３３】
前記物理レイヤプリアンブルは、前記第１の周波数チャネルに前記第１の局を、前記第２の周波数チャネルに前記第２の局を割り振るグループ識別をさらに備える、請求項２９に記載の装置。
【請求項３４】
前記第１のメッセージは、物理レイヤと媒体アクセス制御（ＭＡＣ）レイヤとを備え、前記ＭＡＣレイヤは、前記第１の周波数チャネルに前記第１の局を、前記第２の周波数チャネルに前記第２の局を割り振る、請求項２８に記載の装置。
【請求項３５】
前記第１の周波数チャネルのチャネル帯域幅を、前記第２の周波数チャネルのチャネル帯域幅の値よりも大きい値に設定するように構成された送信制御ユニットをさらに備える、請求項２８に記載の装置。
【請求項３６】
前記送信機は、前記第１の局に前記第２のメッセージを、前記第２の局に前記第３のメッセージを同時に送信するようにさらに構成される、請求項２８に記載の装置。
【請求項３７】
前記送信機は、
第１の時間に前記第２のメッセージを送信し、
前記第１の時間の後の第２の時間に前記第３のメッセージを送信する
ためにさらに構成される、請求項２８に記載の装置。
【請求項３８】
前記第１の周波数チャネルおよび前記第２の周波数チャネルは、動作帯域幅において隣接している、請求項２８に記載の装置。
【請求項３９】
前記第１の周波数チャネルおよび前記第２の周波数チャネルは、動作帯域幅において隣接していない、請求項２８に記載の装置。
【請求項４０】
データを送信するための方法であって、
１次周波数チャネルを介した第１の局に送信用の第１のパケットを生成することと、
第２のパケットを生成することと、前記第２のパケットは、物理レイヤプリアンブルを備え、前記物理レイヤプリアンブルは、２次周波数チャネルに第２の局、および３元周波数チャネルに第３の局の割振りを備える、
前記第１の局に前記１次周波数チャネルを介して前記第１のパケットを送信することと、前記第１の局は、前記２次周波数チャネルまたは前記３元周波数チャネルを介して通信するように構成されていない、
前記２次周波数チャネルおよび前記３元周波数チャネルを介して前記第２のパケットを送信することと、
前記第２のパケットの送信後に、前記２次周波数チャネルを使用して前記第２の局に第３のパケットを送信することと、
前記第２のパケットの送信後に、前記３元周波数チャネルを使用して前記第３の局に第４のパケットを送信することと
を備える方法。
【請求項４１】
前記第２のパケットは、前記第２の局のための第１のデータと、前記第３の局のための第２のデータとをさらに備える、請求項４０に記載の方法。
【請求項４２】
前記物理レイヤプリアンブルは、前記第２の局に関連付けられた第１の変調およびコーディング方式（ＭＣＳ）、前記第３の局に関連付けられた第２のＭＣＳ、アクセスポイントが前記第２の局に送信することになる時間の時間期間、前記アクセスポイントが前記第２の局に送信することになるバイトの数、前記アクセスポイントが前記第３の局に送信することになる時間の時間期間、前記アクセスポイントが前記第３の局に送信することになるバイトの数、前記２次周波数チャネルに関連付けられ、前記第２の局に送信に使用される第１のチャネル帯域幅、前記３元周波数チャネルに関連付けられ、前記第３の局に送信に使用される第２のチャネル帯域幅、前記２次周波数チャネル上で使用される送信電力、または前記３元周波数チャネル上で使用される送信電力のうちの少なくとも１つをさらに備える、請求項４０に記載の方法。
【請求項４３】
前記物理レイヤプリアンブルは、前記第２の局に関する送信モードの指示と、前記第３の局に関する送信モードの指示とをさらに備え、前記第２の局に関する前記送信モードおよび前記第３の局に関する前記送信モードは、コーディングモードまたはパイロットロケーションモードのうちの少なくとも１つを備える、請求項４２に記載の方法。
【請求項４４】
前記１次周波数チャネルのチャネル帯域幅を、前記２次周波数チャネルのチャネル帯域幅の値よりも大きい値に設定することをさらに備える、請求項４０に記載の方法。
【請求項４５】
前記第１のパケットを送信することと、前記第２のパケットを送信することとは、前記第１の局に前記第１のパケットを、前記２次周波数チャネルおよび前記３元周波数チャネルを介して前記第２のパケットを同時に送信することを備える、請求項４０に記載の方法。
【請求項４６】
前記第１のパケットを送信することは、第１の時間に前記第１のパケットを送信することを備え、前記第２のパケットを送信することは、前記第１の時間の後の第２の時間に前記第２のパケットを送信することを備える、請求項４０に記載の方法。
【請求項４７】
第３のパケットを送信することと、第４のパケットを送信することとは、前記第２の局に前記第３のパケットを、前記第３の局に前記第４のパケットを同時に送信することを備える、請求項４０に記載の方法。
【請求項４８】
第３のパケットを送信することは、第１の時間に前記第３のパケットを送信することを備え、第４のパケットを送信することは、前記第１の時間の後の第２の時間に前記第４のパケットを送信することを備える、請求項４０に記載の方法。
【請求項４９】
前記１次周波数チャネル、前記２次周波数チャネル、および前記３元周波数チャネルは、動作帯域幅において隣接している、請求項４０に記載の方法。
【請求項５０】
前記１次周波数チャネル、前記２次周波数チャネル、および前記３元周波数チャネルは、動作帯域幅において隣接していない、請求項４０に記載の方法。
【請求項５１】
前記物理レイヤプリアンブルは、前記２次周波数チャネルに前記第２の局を、前記３元周波数チャネルに前記第３の局を割り振るグループ識別をさらに備える、請求項４０に記載の方法。
【請求項５２】
データを送信するための装置であって、
１次周波数チャネルを介した第１の局に送信用の第１のパケットを生成するための手段と、
第２のパケットを生成するための手段と、前記第２のパケットは、物理レイヤプリアンブルを備え、前記物理レイヤプリアンブルは、２次周波数チャネルに第２の局、および３元周波数チャネルに第３の局の割振りを備える、
前記第１の局に前記１次周波数チャネルを介して前記第１のパケットを送信するための手段と、前記第１の局は、前記２次周波数チャネルまたは前記３元周波数チャネルを介して通信するように構成されていない、
前記２次周波数チャネルおよび前記３元周波数チャネルを介して前記第２のパケットを送信するための手段と、
前記第２のパケットの送信後に、前記２次周波数チャネルを使用して前記第２の局に第３のパケットを送信するための手段と、
前記第２のパケットの送信後に、前記３元周波数チャネルを使用して前記第３の局に第４のパケットを送信するための手段と
を備える装置。
【請求項５３】
前記第２のパケットは、前記第２の局のための第１のデータと、前記第３の局のための第２のデータとをさらに備える、請求項５２に記載の装置。
【請求項５４】
前記１次周波数チャネルのチャネル帯域幅を、前記２次周波数チャネルのチャネル帯域幅の値よりも大きい値に設定するための手段をさらに備える、請求項５２に記載の装置。
【請求項５５】
前記１次周波数チャネル、前記２次周波数チャネル、および前記３元周波数チャネルは、動作帯域幅において隣接している、請求項５２に記載の装置。
【請求項５６】
前記１次周波数チャネル、前記２次周波数チャネル、および前記３元周波数チャネルは、動作帯域幅において隣接していない、請求項５２に記載の装置。
【請求項５７】
前記第１のパケットを生成するための前記手段と、前記第２のパケットを生成するための前記手段とは、プロセッサを備え、前記第１のパケットを送信するための前記手段と、前記第２のパケットを送信するための前記手段と、前記第３のパケットを送信するための前記手段と、前記第４のパケットを送信するための前記手段とは、送信機を備える、請求項５２に記載の装置。
【請求項５８】
実行されたときに装置に、
１次周波数チャネルを介した第１の局に送信用の第１のパケットを生成することと、
第２のパケットを生成することと、前記第２のパケットは、物理レイヤプリアンブルを備え、前記物理レイヤプリアンブルは、２次周波数チャネルに第２の局、および３元周波数チャネルに第３の局の割振りを備える、
前記第１の局に前記１次周波数チャネルを介して前記第１のパケットを送信することと、前記第１の局は、前記２次周波数チャネルまたは前記３元周波数チャネルを介して通信するように構成されていない、
前記２次周波数チャネルおよび前記３元周波数チャネルを介して前記第２のパケットを送信することと、
前記第２のパケットの送信後に、前記２次周波数チャネルを使用して前記第２の局に第３のパケットを送信することと、
前記第２のパケットの送信後に、前記３元周波数チャネルを使用して前記第３の局に第４のパケットを送信することと
を行わせるコードを備える非一時的コンピュータ可読媒体。
【請求項５９】
前記第２のパケットは、前記第２の局のための第１のデータと、前記第３の局のための第２のデータとをさらに備える、請求項５８に記載の媒体。
【請求項６０】
実行されたときに装置に、前記１次周波数チャネルのチャネル帯域幅を、前記２次周波数チャネルのチャネル帯域幅の値よりも大きい値に設定することを行わせるコードをさらに備える、請求項５８に記載の媒体。
【請求項６１】
前記１次周波数チャネル、前記２次周波数チャネル、および前記３元周波数チャネルは、動作帯域幅において隣接している、請求項５８に記載の媒体。
【請求項６２】
前記１次周波数チャネル、前記２次周波数チャネル、および前記３元周波数チャネルは、動作帯域幅において隣接していない、請求項５８に記載の媒体。
【請求項６３】
データを送信するための装置であって、
１次周波数チャネルを介した第１の局に送信用の第１のパケットを生成するように構成されたプロセッサと、前記プロセッサは、第２のパケットを生成するようにさらに構成され、前記第２のパケットは、物理レイヤプリアンブルを備え、前記物理レイヤプリアンブルは、２次周波数チャネルに第２の局、および３元周波数チャネルに第３の局の割振りを備える、
前記第１の局に前記１次周波数チャネルを介して前記第１のパケットを送信するように構成された送信機と、前記第１の局は、前記２次周波数チャネルまたは前記３元周波数チャネルを介して通信するように構成されておらず、前記送信機は、前記２次周波数チャネルおよび前記３元周波数チャネルを介して前記第２のパケットを送信するようにさらに構成され、前記送信機は、前記第２のパケットの送信後に、前記２次周波数チャネルを使用して前記第２の局に第３のパケットを送信するようにさらに構成され、前記送信機は、前記第２のパケットの送信後に、前記３元周波数チャネルを使用して前記第３の局に第４のパケットを送信するようにさらに構成される、
を備える装置。
【請求項６４】
前記第２のパケットは、前記第２の局のための第１のデータと、前記第３の局のための第２のデータとをさらに備える、請求項６３に記載の媒体。
【請求項６５】
前記物理レイヤプリアンブルは、前記第２の局に関連付けられた第１の変調およびコーディング方式（ＭＣＳ）、前記第３の局に関連付けられた第２のＭＣＳ、アクセスポイントが前記第２の局に送信することになる時間の時間期間、前記アクセスポイントが前記第２の局に送信することになるバイトの数、前記アクセスポイントが前記第３の局に送信することになる時間の時間期間、前記アクセスポイントが前記第３の局に送信することになるバイトの数、前記２次周波数チャネルに関連付けられ、前記第２の局に送信に使用される第１のチャネル帯域幅、前記３元周波数チャネルに関連付けられ、前記第３の局に送信に使用される第２のチャネル帯域幅、前記２次周波数チャネル上で使用される送信電力、または前記３元周波数チャネル上で使用される送信電力のうちの少なくとも１つをさらに備える、請求項６３に記載の装置。
【請求項６６】
前記物理レイヤプリアンブルは、前記第２の局に関する送信モードの指示と、前記第３の局に関する送信モードの指示とをさらに備え、前記第２の局に関する前記送信モードおよび前記第３の局に関する前記送信モードは、コーディングモードまたはパイロットロケーションモードのうちの少なくとも１つを備える、請求項６５に記載の装置。
【請求項６７】
前記１次周波数チャネルのチャネル帯域幅を、前記２次周波数チャネルのチャネル帯域幅の値よりも大きい値に設定するように構成された送信制御ユニットをさらに備える、請求項６３に記載の装置。
【請求項６８】
前記送信機は、前記第１の局に前記第１のパケットを、前記２次周波数チャネルおよび前記３元周波数チャネルを介して前記第２のパケットを同時に送信するようにさらに構成される、請求項６３に記載の装置。
【請求項６９】
前記送信機は、
第１の時間に前記第１のパケットを送信し、
前記第１の時間の後の第２の時間に前記第２のパケットを送信する
ためにさらに構成される、請求項６３に記載の装置。
【請求項７０】
前記送信機は、前記第２の局に前記第３のパケットを、前記第３の局に前記第４のパケットを同時に送信するようにさらに構成される、請求項６３に記載の装置。
【請求項７１】
前記送信機は、
第１の時間に前記第３のパケットを送信し、
前記第１の時間の後の第２の時間に前記第４のパケットを送信する
ためにさらに構成される、請求項６３に記載の装置。
【請求項７２】
前記１次周波数チャネル、前記２次周波数チャネル、および前記３元周波数チャネルは、動作帯域幅において隣接している、請求項６３に記載の装置。
【請求項７３】
前記１次周波数チャネル、前記２次周波数チャネル、および前記３元周波数チャネルは、動作帯域幅において隣接していない、請求項６３に記載の装置。
【請求項７４】
前記物理レイヤプリアンブルは、前記２次周波数チャネルに前記第２の局を、前記３元周波数チャネルに前記第３の局を割り振るグループ識別をさらに備える、請求項６３に記載の装置。
【請求項７５】
データを送信するための方法であって、
１次周波数チャネルに関連付けられたランダムバックオフカウンタを動作させることと、
前記ランダムバックオフカウンタが終了した後に第１の局に前記１次周波数チャネルを介して第１のデータパケットを送信することと、
前記ランダムバックオフカウンタが終了した後、２次周波数チャネルが、前記ランダムバックオフカウンタが終了した時間の前の時間間隔に基づく時間の時間期間にアイドル状態であったかどうかを決定することと、
前記２次周波数チャネルが、前記ランダムバックオフカウンタが終了した前記時間の前の前記時間間隔に基づく時間の前記時間期間にアイドル状態であった場合に、第２の局に前記２次周波数チャネルを介して第２のデータパケットを送信することと
を備える方法。
【請求項７６】
前記時間間隔はポイント協調機能インターフレームスペース（ＰＩＦＳ）を備える、請求項７５に記載の方法。
【請求項７７】
前記２次周波数チャネルに関連付けられた第２のランダムバックオフカウンタを動作させることと、
前記第１のランダムバックオフカウンタが前記第２のランダムバックオフカウンタの前に終了した場合に、前記１次周波数チャネルを介して前記第２のデータパケットを送信することと、
前記第２のランダムバックオフカウンタが前記第１のランダムバックオフカウンタの前に終了した場合に、前記２次周波数チャネルを介して第３のデータパケットを送信することと、
前記第１のランダムバックオフカウンタまたは前記第２のランダムバックオフカウンタのいずれかが最初に終了した後、終了していないランダムバックオフカウンタに関連付けられた周波数チャネルが、前記それぞれのランダムバックオフカウンタが終了した時間の前のポイント協調機能インターフレームスペース（ＰＩＦＳ）に基づく時間の時間期間にアイドル状態であったかどうかを決定することと、
前記それぞれの周波数チャネルが、前記それぞれのランダムバックオフカウンタが終了した前記時間の前の前記ＰＩＦＳに基づく時間の前記時間期間にアイドル状態であった場合に、終了していないランダムバックオフカウンタに対応するデータパケットを送信することと
をさらに備える、請求項７５に記載の方法。
【請求項７８】
３元周波数チャネルが、前記第２のランダムバックオフカウンタが終了した時間の前のアービトレーションフレーム間間隔（ＡＩＦＳ）に基づく時間の時間期間にアイドル状態であった場合に、前記３元周波数チャネルを介して第４のデータパケットを送信することをさらに備える、請求項７７に記載の方法。
【請求項７９】
前記２次周波数チャネルおよび３元周波数チャネルを介して前記第２のデータパケットを送信することをさらに備え、前記第２のデータパケットは、物理レイヤプリアンブルを備え、前記物理レイヤプリアンブルは、前記２次周波数チャネルに前記第２の局、および前記３元周波数チャネルに第３の局の割振りを備える、請求項７５に記載の方法。
【請求項８０】
前記第２のデータパケットの送信後に、前記２次周波数チャネルを介して前記第２の局に第３のデータパケットを送信することと、
前記第２のデータパケットの送信後に、前記３元周波数チャネルの前記第３の局に第４のデータパケットを送信することと
をさらに備える、請求項７９に記載の方法。
【請求項８１】
前記１次周波数チャネル、前記２次周波数チャネル、および前記３元周波数チャネルは、動作帯域幅において隣接している、請求項７９に記載の方法。
【請求項８２】
前記１次周波数チャネル、前記２次周波数チャネル、および前記３元周波数チャネルは、動作帯域幅において隣接していない、請求項７９に記載の方法。
【請求項８３】
前記第１の局は、前記２次周波数チャネルまたは前記３元周波数チャネルを介して通信するように構成されていない、請求項７９に記載の方法。
【請求項８４】
ランダムバックオフカウンタを動作させることは、制限付きアクセスウィンドウ（ＲＡＷ）タイミングに基づく時間に前記ランダムバックオフカウンタを動作させることを備え、前記ＲＡＷタイミングは、媒体にアクセスが局のグループに制限される時間間隔である、請求項７５に記載の方法。
【請求項８５】
ランダムバックオフカウンタを動作させることは、ターゲット起動時間（ＴＷＴ）に基づく時間に前記ランダムバックオフカウンタを動作させることを備え、前記ＴＷＴは、前記第１の局が起動している時間である、請求項７５に記載の方法。
【請求項８６】
前記第２のデータパケットの送信が完了した後に、前記２次周波数チャネルを介して前記第２の局から第１のブロック確認応答を受信することと、
前記第１のブロック確認応答の受信に応答して、前記１次周波数チャネルを介して前記第１の局にブロック確認応答要求を送信することと、
前記ブロック確認応答要求に応答して、前記１次周波数チャネルを介して前記第１の局から第２のブロック確認応答を受信することと
をさらに備える、請求項７５に記載の方法。
【請求項８７】
前記第２のデータパケットの送信が完了した後に、前記２次周波数チャネルを介して前記第２の局から第１のブロック確認応答を受信することと、
前記第１のデータパケットの送信が完了した後に、前記１次周波数チャネルを介して前記第１の局から第２のブロック確認応答を受信することと、前記第１のブロック確認応答および前記第２のブロック確認応答は同じ時間に受信される、
をさらに備える、請求項７５に記載の方法。
【請求項８８】
前記第１のデータパケットおよび前記第２のデータパケットの送信が完了した後に、前記１次周波数チャネルを介して前記第１の局に、前記２次周波数チャネルを介して前記第２の局にブロック確認応答要求を送信することと、
前記ブロック確認応答要求に応答して、前記２次周波数チャネルを介して前記第２の局から第１のブロック確認応答を受信することと、
前記ブロック確認応答要求に応答して、前記１次周波数チャネルを介して前記第１の局から第２のブロック確認応答を受信することと、前記第１のブロック確認応答および前記第２のブロック確認応答は同じ時間に受信される、
をさらに備える、請求項７５に記載の方法。
【請求項８９】
前記第１のデータパケットおよび前記第２のデータパケットの送信が完了した後に、前記１次周波数チャネルを介して前記第１の局および前記第２の局にブロック確認応答要求を送信することと、
前記ブロック確認応答要求に応答して、前記２次周波数チャネルを介して前記第２の局から第１のブロック確認応答を受信することと、
前記ブロック確認応答要求に応答して、前記１次周波数チャネルを介して前記第１の局から第２のブロック確認応答を受信することと、前記第１のブロック確認応答および前記第２のブロック確認応答は同じ時間に受信される、
をさらに備える、請求項７５に記載の方法。
【請求項９０】
前記第２のデータパケットの送信が完了した後に、前記１次周波数チャネルを介して前記第２の局から第１のブロック確認応答を受信することと、
前記第１のデータパケットの送信が完了した後に、前記１次周波数チャネルを介して前記第１の局から第２のブロック確認応答を受信することと、前記第１のブロック確認応答および前記第２のブロック確認応答は同じ時間に受信される、
をさらに備える、請求項７５に記載の方法。
【請求項９１】
データを送信するための装置であって、
１次周波数チャネルに関連付けられたランダムバックオフカウンタを動作させるための手段と、
前記ランダムバックオフカウンタが終了した後に第１の局に前記１次周波数チャネルを介して第１のデータパケットを送信するための手段と、
前記ランダムバックオフカウンタが終了した後、２次周波数チャネルが、前記ランダムバックオフカウンタが終了した時間の前の時間間隔に基づく時間の時間期間にアイドル状態であったかどうかを決定するための手段と、
前記２次周波数チャネルが、前記ランダムバックオフカウンタが終了した前記時間の前の前記時間間隔に基づく時間の前記時間期間にアイドル状態であった場合に、第２の局に前記２次周波数チャネルを介して第２のデータパケットを送信するための手段とを備える装置。
【請求項９２】
前記時間間隔はポイント協調機能インターフレームスペース（ＰＩＦＳ）を備える、請求項９１に記載の装置。
【請求項９３】
前記２次周波数チャネルに関連付けられた第２のランダムバックオフカウンタを動作させるための手段と、
前記第１のランダムバックオフカウンタが前記第２のランダムバックオフカウンタの前に終了した場合に、前記１次周波数チャネルを介して前記第２のデータパケットを送信するための手段と、
前記第２のランダムバックオフカウンタが前記第１のランダムバックオフカウンタの前に終了した場合に、前記２次周波数チャネルを介して第３のデータパケットを送信するための手段と、
前記第１のランダムバックオフカウンタまたは前記第２のランダムバックオフカウンタのいずれかが最初に終了した後、終了していないランダムバックオフカウンタに関連付けられた周波数チャネルが、前記それぞれのランダムバックオフカウンタが終了した時間の前のポイント協調機能インターフレームスペース（ＰＩＦＳ）に基づく時間の時間期間にアイドル状態であったかどうかを決定するための手段と、
前記それぞれの周波数チャネルが、前記それぞれのランダムバックオフカウンタが終了した前記時間の前の前記ＰＩＦＳに基づく時間の前記時間期間にアイドル状態であった場合に、終了していないランダムバックオフカウンタに対応するデータパケットを送信するための手段と
をさらに備える、請求項９１に記載の装置。
【請求項９４】
３元周波数チャネルが、前記第２のランダムバックオフカウンタが終了した時間の前のアービトレーションフレーム間間隔（ＡＩＦＳ）に基づく時間の時間期間にアイドル状態であった場合に、前記３元周波数チャネルを介して第４のデータパケットを送信するための手段をさらに備える、請求項９３に記載の装置。
【請求項９５】
ランダムバックオフカウンタを動作させるための手段は、制限付きアクセスウィンドウ（ＲＡＷ）タイミングに基づく時間に前記ランダムバックオフカウンタを動作させるための手段を備え、前記ＲＡＷタイミングは、媒体にアクセスが局のグループに制限される時間間隔である、請求項９１に記載の装置。
【請求項９６】
ランダムバックオフカウンタを動作させるための手段は、ターゲット起動時間（ＴＷＴ）に基づく時間に前記ランダムバックオフカウンタを動作させるための手段を備え、前記ＴＷＴは、前記第１の局が起動している時間である、請求項９１に記載の装置。
【請求項９７】
動作させるための前記手段は、プロセッサを備え、前記第１のデータパケット送信するための前記手段と、前記第２のデータパケット送信するための前記手段とは、送信機を備え、決定するための前記手段は、信号検出器を備える、請求項９１に記載の装置。
【請求項９８】
実行されたときに装置に、
１次周波数チャネルに関連付けられたランダムバックオフカウンタを動作させることと、
前記ランダムバックオフカウンタが終了した後に第１の局に前記１次周波数チャネルを介して第１のデータパケットを送信することと、
前記ランダムバックオフカウンタが終了した後、２次周波数チャネルが、前記ランダムバックオフカウンタが終了した時間の前の時間間隔に基づく時間の時間期間にアイドル状態であったかどうかを決定することと、
前記２次周波数チャネルが、前記ランダムバックオフカウンタが終了した前記時間の前の前記時間間隔に基づく時間の前記時間期間にアイドル状態であった場合に、第２の局に前記２次周波数チャネルを介して第２のデータパケットを送信することと
を行わせるコードを備える非一時的コンピュータ可読媒体。
【請求項９９】
前記時間間隔はポイント協調機能インターフレームスペース（ＰＩＦＳ）を備える、請求項９８に記載の媒体。
【請求項１００】
実行されたときに装置に、
前記２次周波数チャネルに関連付けられた第２のランダムバックオフカウンタを動作させることと、
前記第１のランダムバックオフカウンタが前記第２のランダムバックオフカウンタの前に終了した場合に、前記１次周波数チャネルを介して前記第２のデータパケットを送信することと、
前記第２のランダムバックオフカウンタが前記第１のランダムバックオフカウンタの前に終了した場合に、前記２次周波数チャネルを介して第３のデータパケットを送信することと、
前記第１のランダムバックオフカウンタまたは前記第２のランダムバックオフカウンタのいずれかが最初に終了した後、終了していないランダムバックオフカウンタに関連付けられた周波数チャネルが、前記それぞれのランダムバックオフカウンタが終了した時間の前のポイント協調機能インターフレームスペース（ＰＩＦＳ）に基づく時間の時間期間にアイドル状態であったかどうかを決定することと、
前記それぞれの周波数チャネルが、前記それぞれのランダムバックオフカウンタが終了した前記時間の前の前記ＰＩＦＳに基づく時間の前記時間期間にアイドル状態であった場合に、終了していないランダムバックオフカウンタに対応するデータパケットを送信することと
を行わせるコードを備える、請求項９８に記載の媒体。
【請求項１０１】
実行されたときに装置に、３元周波数チャネルが、前記第２のランダムバックオフカウンタが終了した時間の前のアービトレーションフレーム間間隔（ＡＩＦＳ）に基づく時間の時間期間にアイドル状態であった場合に、前記３元周波数チャネルを介して第４のデータパケットを送信することを行わせるコードを備える、請求項１００に記載の媒体。
【請求項１０２】
実行されたときに装置に、制限付きアクセスウィンドウ（ＲＡＷ）タイミングに基づく時間に前記ランダムバックオフカウンタを動作させることを行わせるコードを備え、前記ＲＡＷタイミングは、媒体にアクセスが局のグループに制限される時間間隔である、請求項９８に記載の媒体。
【請求項１０３】
実行されたときに装置に、ターゲット起動時間（ＴＷＴ）に基づく時間に前記ランダムバックオフカウンタを動作させることを行わせるコードを備え、前記ＴＷＴは、前記第１の局が起動している時間である、請求項９８に記載の媒体。
【請求項１０４】
データを送信するための装置であって、
１次周波数チャネルに関連付けられたランダムバックオフカウンタを動作させるために構成されたプロセッサと、
前記ランダムバックオフカウンタが終了した後に第１の局に前記１次周波数チャネルを介して第１のデータパケットを送信するように構成された送信機と、
前記ランダムバックオフカウンタが終了した後、２次周波数チャネルが、前記ランダムバックオフカウンタが終了した時間の前の時間間隔に基づく時間の時間期間にアイドル状態であったかどうかを決定するように構成された信号検出器と、前記送信機は、前記２次周波数チャネルが、前記ランダムバックオフカウンタが終了した前記時間の前の前記時間間隔に基づく時間の前記時間期間にアイドル状態であった場合に、第２の局に前記２次周波数チャネルを介して第２のデータパケットを送信するようにさらに構成される、を備える装置。
【請求項１０５】
前記時間間隔はポイント協調機能インターフレームスペース（ＰＩＦＳ）を備える、請求項１０４に記載の装置。
【請求項１０６】
前記プロセッサは、前記２次周波数チャネルに関連付けられた第２のランダムバックオフカウンタを動作させるためにさらに構成され、前記送信機は、前記第１のランダムバックオフカウンタが前記第２のランダムバックオフカウンタの前に終了した場合に、前記１次周波数チャネルを介して前記第２のデータパケットを送信し、前記第２のランダムバックオフカウンタが前記第１のランダムバックオフカウンタの前に終了した場合に、前記２次周波数チャネルを介して第３のデータパケットを送信するようにさらに構成され、前記信号検出器は、前記第１のランダムバックオフカウンタまたは前記第２のランダムバックオフカウンタのいずれかが最初に終了した後、終了していないランダムバックオフカウンタに関連付けられた周波数チャネルが、前記それぞれのランダムバックオフカウンタが終了した時間の前のポイント協調機能インターフレームスペース（ＰＩＦＳ）に基づく時間の時間期間にアイドル状態であったかどうかを決定するようにさらに構成され、前記送信機は、前記それぞれの周波数チャネルが、前記それぞれのランダムバックオフカウンタが終了した前記時間の前の前記ＰＩＦＳに基づく時間の前記時間期間にアイドル状態であった場合に、終了していないランダムバックオフカウンタに対応するデータパケットを送信するようにさらに構成される、請求項１０４に記載の装置。
【請求項１０７】
前記送信機は、３元周波数チャネルが、前記第２のランダムバックオフカウンタが終了した時間の前のアービトレーションフレーム間間隔（ＡＩＦＳ）に基づく時間の時間期間にアイドル状態であった場合に、前記３元周波数チャネルを介して第４のデータパケットを送信するようにさらに構成される、請求項１０６に記載の装置。
【請求項１０８】
前記送信機は、前記２次周波数チャネルおよび３元周波数チャネルを介して前記第２のデータパケットを送信するようにさらに構成され、前記第２のデータパケットは、物理レイヤプリアンブルを備え、前記物理レイヤプリアンブルは、前記２次周波数チャネルに前記第２の局、および前記３元周波数チャネルに第３の局の割振りを備える、請求項１０４に記載の装置。
【請求項１０９】
前記送信機は、
前記第２のデータパケットの送信後に、前記２次周波数チャネルを介して前記第２の局に第３のデータパケットを送信し、
前記第２のデータパケットの送信後に、前記３元周波数チャネルの前記第３の局に第４のデータパケットを送信する
ためにさらに構成される、請求項１０８に記載の装置。
【請求項１１０】
前記１次周波数チャネル、前記２次周波数チャネル、および前記３元周波数チャネルは、動作帯域幅において隣接している、請求項１０８に記載の装置。
【請求項１１１】
前記１次周波数チャネル、前記２次周波数チャネル、および前記３元周波数チャネルは、動作帯域幅において隣接していない、請求項１０８に記載の装置。
【請求項１１２】
前記第１の局は、前記２次周波数チャネルまたは前記３元周波数チャネルを介して通信するように構成されていない、請求項１０８に記載の装置。
【請求項１１３】
前記プロセッサは、制限付きアクセスウィンドウ（ＲＡＷ）タイミングに基づく時間に前記ランダムバックオフカウンタを動作させるためにさらに構成され、前記ＲＡＷタイミングは、媒体にアクセスが局のグループに制限される時間間隔である、請求項１０４に記載の装置。
【請求項１１４】
前記プロセッサは、ターゲット起動時間（ＴＷＴ）に基づく時間に前記ランダムバックオフカウンタを動作させるためにさらに構成され、前記ＴＷＴは、前記第１の局が起動している時間である、請求項１０４に記載の装置。
【請求項１１５】
前記第２のデータパケットの送信が完了した後に、前記２次周波数チャネルを介して前記第２の局から第１のブロック確認応答を受信するように構成された受信機をさらに備え、前記送信機は、前記第１のブロック確認応答の受信に応答して、前記１次周波数チャネルを介して前記第１の局にブロック確認応答要求を送信するようにさらに構成され、前記受信機は、前記ブロック確認応答要求に応答して、前記１次周波数チャネルを介して前記第１の局から第２のブロック確認応答を受信するようにさらに構成される、請求項１０４に記載の装置。
【請求項１１６】
前記第２のデータパケットの送信が完了した後に、前記２次周波数チャネルを介して前記第２の局から第１のブロック確認応答を受信するように構成された受信機をさらに備え、前記受信機は、前記第１のデータパケットの送信が完了した後に、前記１次周波数チャネルを介して前記第１の局から第２のブロック確認応答を受信するようにさらに構成され、前記第１のブロック確認応答および前記第２のブロック確認応答は同じ時間に受信される、請求項１０４に記載の装置。
【請求項１１７】
前記送信機は、前記第１のデータパケットおよび前記第２のデータパケットの送信が完了した後に、前記１次周波数チャネルを介して前記第１の局に、前記２次周波数チャネルを介して前記第２の局にブロック確認応答要求を送信するようにさらに構成される、請求項１０４に記載の装置。
【請求項１１８】
前記ブロック確認応答要求に応答して、前記２次周波数チャネルを介して前記第２の局から第１のブロック確認応答を受信するように構成された受信機をさらに備え、前記受信機は、前記ブロック確認応答要求に応答して、前記１次周波数チャネルを介して前記第１の局から第２のブロック確認応答を受信するようにさらに構成され、前記第１のブロック確認応答および前記第２のブロック確認応答は同じ時間に受信される、請求項１１７に記載の装置。
【請求項１１９】
前記送信機は、前記第１のデータパケットおよび前記第２のデータパケットの送信が完了した後に、前記１次周波数チャネルを介して前記第１の局および前記第２の局にブロック確認応答要求を送信するようにさらに構成される、請求項１０４に記載の装置。
【請求項１２０】
前記ブロック確認応答要求に応答して、前記２次周波数チャネルを介して前記第２の局から第１のブロック確認応答を受信するように構成された受信機をさらに備え、前記受信機は、前記ブロック確認応答要求に応答して、前記１次周波数チャネルを介して前記第１の局から第２のブロック確認応答を受信するようにさらに構成され、前記第１のブロック確認応答および前記第２のブロック確認応答は同じ時間に受信される、請求項１１９に記載の装置。
【請求項１２１】
前記第２のデータパケットの送信が完了した後に、前記１次周波数チャネルを介して前記第２の局から第１のブロック確認応答を受信するように構成された受信機をさらに備え、前記受信機は、前記第１のデータパケットの送信が完了した後に、前記１次周波数チャネルを介して前記第１の局から第２のブロック確認応答を受信するようにさらに構成され、前記第１のブロック確認応答および前記第２のブロック確認応答は同じ時間に受信される、請求項１０４に記載の装置。
【請求項１２２】
データを送信するための方法であって、
第１の局および第２の局に送信要求メッセージを送信することと、
前記第１の局または前記第２の局のうちの少なくとも１つから少なくとも１つの送信可メッセージを受信することと、
１次周波数チャネルを介した前記第１の局からの送信可メッセージの受信に応答して、前記１次周波数チャネルを介して前記第１の局に第１のデータパケットを送信することと、
２次周波数チャネルを介した前記第２の局からの送信可メッセージの受信に応答して、前記２次周波数チャネルを介して前記第２の局に第２のデータパケットを送信することとを備える方法。
【請求項１２３】
送信要求メッセージを送信することは、前記１次周波数チャネルを介して前記第１の局に、前記２次周波数チャネルを介して前記第２の局に前記送信要求メッセージを送信することを備える、請求項１２２に記載の方法。
【請求項１２４】
送信要求メッセージを送信することは、前記１次周波数チャネルを介して前記第１の局および前記第２の局に前記送信要求メッセージを送信することを備える、請求項１２２に記載の方法。
【請求項１２５】
送信要求メッセージを送信することは、前記１次周波数チャネルを介して送信可メッセージを送信するように前記第１の局を指定する第１の命令と、前記２次周波数チャネルを介して送信可メッセージを送信するように前記第２の局を指定する第２の命令とを送信することを備える、請求項１２４に記載の方法。
【請求項１２６】
前記第１の局および前記第２の局は同時に送信可メッセージをそれぞれ送信し得る、請求項１２２に記載の方法。
【請求項１２７】
送信要求メッセージを送信することは、前記第１の局による応答のために割り振られた第１の時間と前記第２の局による応答のために割り振られた第２の時間とを送信することを備える、請求項１２２に記載の方法。
【請求項１２８】
前記第１の局からの送信可メッセージは、前記第１の時間に従って受信され、前記第２の局からの送信可メッセージは、前記第２の時間に従って受信される、請求項１２７に記載の方法。
【請求項１２９】
データを送信するための装置であって、
第１の局および第２の局に送信要求メッセージを送信するための手段と、
前記第１の局または前記第２の局のうちの少なくとも１つから少なくとも１つの送信可メッセージを受信するための手段と、
１次周波数チャネルを介した前記第１の局からの送信可メッセージの受信に応答して、前記１次周波数チャネルを介して前記第１の局に第１のデータパケットを送信するための手段と、
２次周波数チャネルを介した前記第２の局からの送信可メッセージの受信に応答して、前記２次周波数チャネルを介して前記第２の局に第２のデータパケットを送信するための手段と
を備える装置。
【請求項１３０】
送信要求メッセージを送信するための手段は、前記１次周波数チャネルを介して前記第１の局に、前記２次周波数チャネルを介して前記第２の局に前記送信要求メッセージを送信するための手段を備える、請求項１２９に記載の装置。
【請求項１３１】
送信要求メッセージを送信するための手段は、前記１次周波数チャネルを介して前記第１の局および前記第２の局に前記送信要求メッセージを送信するための手段を備える、請求項１２９に記載の装置。
【請求項１３２】
送信要求メッセージを送信するための手段は、前記１次周波数チャネルを介して送信可メッセージを送信するように前記第１の局を指定する第１の命令と、前記２次周波数チャネルを介して送信可メッセージを送信するように前記第２の局を指定する第２の命令とを送信するための手段を備える、請求項１３１に記載の装置。
【請求項１３３】
前記送信要求メッセージを送信するための前記手段と、前記第１のデータパケット送信するための前記手段と、前記第２のデータパケット送信するための前記手段とは、送信機を備え、受信するための前記手段は、受信機を備える、請求項１２９に記載の装置。
【請求項１３４】
実行されたときに装置に、
第１の局および第２の局に送信要求メッセージを送信することと、
前記第１の局または前記第２の局のうちの少なくとも１つから少なくとも１つの送信可メッセージを受信することと、
１次周波数チャネルを介した前記第１の局からの送信可メッセージの受信に応答して、前記１次周波数チャネルを介して前記第１の局に第１のデータパケットを送信することと、
２次周波数チャネルを介した前記第２の局からの送信可メッセージの受信に応答して、前記２次周波数チャネルを介して前記第２の局に第２のデータパケットを送信することとを行わせるコードを備える非一時的コンピュータ可読媒体。
【請求項１３５】
実行されたときに装置に、前記１次周波数チャネルを介して前記第１の局に、前記２次周波数チャネルを介して前記第２の局に前記送信要求メッセージを送信することを行わせるコードをさらに備える、請求項１３４に記載の媒体。
【請求項１３６】
実行されたときに装置に、前記１次周波数チャネルを介して前記第１の局および前記第２の局に前記送信要求メッセージを送信することを行わせるコードをさらに備える、請求項１３４に記載の媒体。
【請求項１３７】
実行されたときに装置に、前記１次周波数チャネルを介して送信可メッセージを送信するように前記第１の局を指定する第１の命令と、前記２次周波数チャネルを介して送信可メッセージを送信するように前記第２の局を指定する第２の命令とを送信することを行わせるコードをさらに備える、請求項１３６に記載の媒体。
【請求項１３８】
データを送信するための装置であって、
第１の局および第２の局に送信要求メッセージを送信するように構成された送信機と、
前記第１の局または前記第２の局のうちの少なくとも１つから少なくとも１つの送信可メッセージを受信するように構成された受信機と、前記送信機は、１次周波数チャネルを介した前記第１の局からの送信可メッセージの受信に応答して、前記１次周波数チャネルを介して前記第１の局に第１のデータパケットを送信するようにさらに構成され、前記送信機は、２次周波数チャネルを介した前記第２の局からの送信可メッセージの受信に応答して、前記２次周波数チャネルを介して前記第２の局に第２のデータパケットを送信するようにさらに構成される、
を備える装置。
【請求項１３９】
前記送信機は、前記１次周波数チャネルを介して前記第１の局に、前記２次周波数チャネルを介して前記第２の局に前記送信要求メッセージを送信するようにさらに構成される、請求項１３８に記載の装置。
【請求項１４０】
前記送信機は、前記１次周波数チャネルを介して前記第１の局および前記第２の局に前記送信要求メッセージを送信するようにさらに構成される、請求項１３８に記載の装置。
【請求項１４１】
前記送信機は、前記１次周波数チャネルを介して送信可メッセージを送信するように前記第１の局を指定する第１の命令と、前記２次周波数チャネルを介して送信可メッセージを送信するように前記第２の局を指定する第２の命令とを送信するようにさらに構成される、請求項１４０に記載の装置。
【請求項１４２】
前記第１の局および前記第２の局は同時に送信可メッセージをそれぞれ送信し得る、請求項１３８に記載の装置。
【請求項１４３】
前記送信機は、前記第１の局による応答のために割り振られた第１の時間と前記第２の局による応答のために割り振られた第２の時間とを送信するようにさらに構成される、請求項１３８に記載の装置。
【請求項１４４】
前記第１の局からの送信可メッセージは、前記第１の時間に従って受信され、前記第２の局からの送信可メッセージは、前記第２の時間に従って受信される、請求項１４３に記載の装置。
【発明の詳細な説明】
【技術分野】
【０００１】
[0001]本出願は概して、ワイヤレス通信に関し、より詳細には、ワイヤレスネットワークにおけるダウンリンク周波数領域多重化のためのシステム、方法、およびデバイスに関する。
【背景技術】
【０００２】
[0002]多くの電気通信システムでは、いくつかの対話している空間的に分離されたデバイスの間でメッセージを交換するように通信ネットワークが使用される。ネットワークは、たとえば、メトロポリタンエリア、ローカルエリア、またはパーソナルエリアであり得る地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）と呼ばれる。ネットワークはまた、様々なネットワークノードとデバイスとを相互接続するように使用される交換／ルーティング技術（たとえば、回線交換対パケット交換）、送信に用いられる物理媒体のタイプ（たとえば、有線対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００３】
[0003]ワイヤレスネットワークは、ネットワーク要素がモバイルであり、したがって動的接続性の必要があるとき、またはネットワークアーキテクチャが固定トポロジでなくアドホックトポロジで形成される場合に、好ましいことが多い。ワイヤレスネットワークは、無線、マイクロ波、赤外線、光などの周波数帯域中の電磁波を使用する非誘導伝搬モードでは、無形物理媒体を利用する。ワイヤレスネットワークは、有利には、固定有線ネットワークと比較すると、ユーザモビリティと迅速なフィールド展開とを容易にする。
【０００４】
[0004]しかしながら、同じ建物内、近くの建物内、および／または同じ屋外エリア内には複数のワイヤレスネットワークが存在し得る。複数のワイヤレスネットワークの普及は、干渉、スループットの低減（たとえば、理由として、各ワイヤレスネットワークが同じエリアおよび／もしくはスペクトルにおいて動作している）を招くこと、ならびに／またはいくつかのデバイスが通信するのを妨げることがある。したがって、ワイヤレスネットワークが密集しているときに通信するための改善されたシステム、方法、およびデバイスが望まれる。
【発明の概要】
【０００５】
[0005]本発明のシステム、方法、およびデバイスはそれぞれいくつかの態様を有し、それらのうちのいずれの単一の態様も単独では本発明の望ましい属性を担わない。以下の特許請求の範囲によって表される本発明の範囲を限定することなく、ここでいくつかの特徴が簡単に説明される。この説明を考慮した後、特に「発明を実施するための形態」と題されるセクションを読んだ後で、本発明の特徴が、ワイヤレスネットワーク中のアクセスポイントと局との間の改善された通信を含む利点をどのように提供するかが理解されよう。
【０００６】
[0006]本開示の一態様は、データを送信するための方法を提供する。本方法は、第１のメッセージを生成することを備える。第１のメッセージは、第１の周波数チャネルに第１の局、および第２の周波数チャネルに第２の局の割振りを備え得る。本方法は、第１の周波数チャネルおよび第２の周波数チャネルを介して第１のメッセージを送信することをさらに備える。本方法は、第１のメッセージの送信後に、第１の周波数チャネルを使用して第１の局に第２のメッセージを送信することをさらに備える。本方法は、第１のメッセージの送信後に、第２の周波数チャネルを使用して第２の局に第３のメッセージを送信することをさらに備える。
【０００７】
[0007]本開示の別の態様は、データを送信するための装置を提供する。本装置は、第１のメッセージを生成するための手段を備える。第１のメッセージは、第１の周波数チャネルに第１の局、および第２の周波数チャネルに第２の局の割振りを備え得る。本装置は、第１の周波数チャネルおよび第２の周波数チャネルを介して第１のメッセージを送信するための手段をさらに備える。本装置は、第１のメッセージの送信後に、第１の周波数チャネルを使用して第１の局に第２のメッセージを送信するための手段をさらに備える。本装置は、第１のメッセージの送信後に、第２の周波数チャネルを使用して第２の局に第３のメッセージを送信するための手段をさらに備える。
【０００８】
[0008]本開示の別の態様は、実行されたときに装置に、第１のメッセージを生成することを行わせるコードを備える非一時的コンピュータ可読媒体を提供する。第１のメッセージは、第１の周波数チャネルに第１の局、および第２の周波数チャネルに第２の局の割振りを備え得る。本媒体は、実行されたときに装置に、第１の周波数チャネルおよび第２の周波数チャネルを介して第１のメッセージを送信することを行わせるコードをさらに備える。本媒体は、実行されたときに装置に、第１のメッセージの送信後に、第１の周波数チャネルを使用して第１の局に第２のメッセージを送信することを行わせるコードをさらに備える。本媒体は、実行されたときに装置に、第１のメッセージの送信後に、第２の周波数チャネルを使用して第２の局に第３のメッセージを送信することを行わせるコードをさらに備える。
【０００９】
[0009]本開示の別の態様は、データを送信するための装置を提供する。本装置は、第１のメッセージを生成するように構成されたプロセッサを備える。第１のメッセージは、第１の周波数チャネルに第１の局、および第２の周波数チャネルに第２の局の割振りを備え得る。本装置は、第１の周波数チャネルおよび第２の周波数チャネルを介して第１のメッセージを送信するように構成された送信機をさらに備える。送信機は、第１のメッセージの送信後に、第１の周波数チャネルを使用して第１の局に第２のメッセージを送信するようにさらに構成され得る。送信機は、第１のメッセージの送信後に、第２の周波数チャネルを使用して第２の局に第３のメッセージを送信するようにさらに構成され得る。
【００１０】
[0010]本開示の別の態様は、データを送信するための方法を提供する。本方法は、１次周波数チャネルを介した第１の局に送信用の第１のパケットを生成することを備える。本方法は、第２のパケットを生成することを備える。第２のパケットは、物理レイヤプリアンブルを備え得る。物理レイヤプリアンブルは、２次周波数チャネルに第２の局、および３元周波数チャネルに第３の局の割振りを備え得る。本方法は、第１の局に１次周波数チャネルを介して第１のパケットを送信することをさらに備える。第１の局は、２次周波数チャネルまたは３元周波数チャネルを介して通信するように構成されていなくてもよい。
本方法は、２次周波数チャネルおよび３元周波数チャネルを介して第２のパケットを送信することをさらに備える。本方法は、第２のパケットの送信後に、２次周波数チャネルを使用して第２の局に第３のパケットを送信することをさらに備える。本方法は、第２のパケットの送信後に、３元周波数チャネルを使用して第３の局に第４のパケットを送信することをさらに備える。
【００１１】
[0011]本開示の別の態様は、データを送信するための装置を提供する。本装置は、１次周波数チャネルを介した第１の局に送信用の第１のパケットを生成するための手段を備える。本装置は、第２のパケットを生成するための手段をさらに備える。第２のパケットは、物理レイヤプリアンブルを備え得る。物理レイヤプリアンブルは、２次周波数チャネルに第２の局、および３元周波数チャネルに第３の局の割振りを備え得る。本装置は、第１の局に１次周波数チャネルを介して第１のパケットを送信するための手段をさらに備える。第１の局は、２次周波数チャネルまたは３元周波数チャネルを介して通信するように構成されていなくてもよい。本装置は、２次周波数チャネルおよび３元周波数チャネルを介して第２のパケットを送信するための手段をさらに備える。本装置は、第２のパケットの送信後に、２次周波数チャネルを使用して第２の局に第３のパケットを送信するための手段をさらに備える。本装置は、第２のパケットの送信後に、３元周波数チャネルを使用して第３の局に第４のパケットを送信するための手段をさらに備える。
【００１２】
[0012]本開示の別の態様は、実行されたときに装置に、１次周波数チャネルを介した第１の局に送信用の第１のパケットを生成することを行わせるコードを備える非一時的コンピュータ可読媒体を提供する。本媒体は、実行されたときに装置に、第２のパケットを生成することを行わせるコードをさらに備える。第２のパケットは、物理レイヤプリアンブルを備え得る。物理レイヤプリアンブルは、２次周波数チャネルに第２の局、および３元周波数チャネルに第３の局の割振りを備え得る。本媒体は、実行されたときに装置に、第１の局に１次周波数チャネルを介して第１のパケットを送信することを行わせるコードをさらに備える。第１の局は、２次周波数チャネルまたは３元周波数チャネルを介して通信するように構成されていなくてもよい。本媒体は、実行されたときに装置に、２次周波数チャネルおよび３元周波数チャネルを介して第２のパケットを送信することを行わせるコードをさらに備える。本媒体は、実行されたときに装置に、第２のパケットの送信後に、２次周波数チャネルを使用して第２の局に第３のパケットを送信することを行わせるコードをさらに備える。本媒体は、実行されたときに装置に、第２のパケットの送信後に、３元周波数チャネルを使用して第３の局に第４のパケットを送信することを行わせるコードをさらに備える。
【００１３】
[0013]本開示の別の態様は、データを送信するための装置を提供する。本装置は、１次周波数チャネルを介した第１の局に送信用の第１のパケットを生成するように構成されたプロセッサを備える。プロセッサは、第２のパケットを生成するようにさらに構成され得る。第２のパケットは、物理レイヤプリアンブルを備え得る。物理レイヤプリアンブルは、２次周波数チャネルに第２の局、および３元周波数チャネルに第３の局の割振りを備え得る。本装置は、第１の局に１次周波数チャネルを介して第１のパケットを送信するように構成された送信機をさらに備える。第１の局は、２次周波数チャネルまたは３元周波数チャネルを介して通信するように構成されていなくてもよい。送信機は、２次周波数チャネルおよび３元周波数チャネルを介して第２のパケットを送信するようにさらに構成され得る。送信機は、第２のパケットの送信後に、２次周波数チャネルを使用して第２の局に第３のパケットを送信するようにさらに構成され得る。送信機は、第２のパケットの送信後に、３元周波数チャネルを使用して第３の局に第４のパケットを送信するようにさらに構成され得る。
【００１４】
[0014]本開示の別の態様は、データを送信するための方法を提供する。本方法は、１次周波数チャネルに関連付けられたランダムバックオフカウンタを動作させることを備える。本方法は、ランダムバックオフカウンタが終了した後に第１の局に１次周波数チャネルを介して第１のデータパケットを送信することを備える。本方法は、ランダムバックオフカウンタが終了した後、２次周波数チャネルが、ランダムバックオフカウンタが終了した時間の前の時間間隔に基づく時間の時間期間にアイドル状態であったかどうかを決定することを備える。本方法は、２次周波数チャネルが、ランダムバックオフカウンタが終了した時間の前の時間間隔に基づく時間の時間期間にアイドル状態であった場合に、第２の局に２次周波数チャネルを介して第２のデータパケットを送信することをさらに備える。
【００１５】
[0015]本開示の別の態様は、データを送信するための装置を提供する。本装置は、１次周波数チャネルに関連付けられたランダムバックオフカウンタを動作させるための手段を備える。本装置は、ランダムバックオフカウンタが終了した後に第１の局に１次周波数チャネルを介して第１のデータパケットを送信するための手段をさらに備える。本装置は、ランダムバックオフカウンタが終了した後、２次周波数チャネルが、ランダムバックオフカウンタが終了した時間の前の時間間隔に基づく時間の時間期間にアイドル状態であったかどうかを決定するための手段をさらに備える。本装置は、２次周波数チャネルが、ランダムバックオフカウンタが終了した時間の前の時間間隔に基づく時間の時間期間にアイドル状態であった場合に、第２の局に２次周波数チャネルを介して第２のデータパケットを送信するための手段をさらに備える。
【００１６】
[0016]本開示の別の態様は、実行されたときに装置に、１次周波数チャネルに関連付けられたランダムバックオフカウンタを動作させることを行わせるコードを備える非一時的コンピュータ可読媒体を提供する。本媒体は、実行されたときに装置に、ランダムバックオフカウンタが終了した後に第１の局に１次周波数チャネルを介して第１のデータパケットを送信することを行わせるコードをさらに備える。本媒体は、実行されたときに装置に、ランダムバックオフカウンタが終了した後、２次周波数チャネルが、ランダムバックオフカウンタが終了した時間の前の時間間隔に基づく時間の時間期間にアイドル状態であったかどうかを決定することを行わせるコードをさらに備える。本媒体は、実行されたときに装置に、２次周波数チャネルが、ランダムバックオフカウンタが終了した時間の前の時間間隔に基づく時間の時間期間にアイドル状態であった場合に、第２の局に２次周波数チャネルを介して第２のデータパケットを送信することを行わせるコードをさらに備える。
【００１７】
[0017]本開示の別の態様は、データを送信するための装置を提供する。本装置は、１次周波数チャネルに関連付けられたランダムバックオフカウンタを動作させるために構成されたプロセッサを備える。本装置は、ランダムバックオフカウンタが終了した後に第１の局に１次周波数チャネルを介して第１のデータパケットを送信するように構成された送信機をさらに備える。本装置は、ランダムバックオフカウンタが終了した後、２次周波数チャネルが、ランダムバックオフカウンタが終了した時間の前の時間間隔に基づく時間の時間期間にアイドル状態であったかどうかを決定するように構成された信号検出器をさらに備える。送信機は、２次周波数チャネルが、ランダムバックオフカウンタが終了した時間の前の時間間隔に基づく時間の時間期間にアイドル状態であった場合に、第２の局に２次周波数チャネルを介して第２のデータパケットを送信するようにさらに構成され得る。
【００１８】
[0018]本開示の別の態様は、データを送信するための方法を提供する。本方法は、第１の局および第２の局に送信要求メッセージを送信することを備える。本方法は、第１の局または第２の局のうちの少なくとも１つから少なくとも１つの送信可メッセージを受信することをさらに備える。本方法は、１次周波数チャネルを介した第１の局からの送信可メッセージの受信に応答して、１次周波数チャネルを介して第１の局に第１のデータパケットを送信することをさらに備える。本方法は、２次周波数チャネルを介した第２の局からの送信可メッセージの受信に応答して、２次周波数チャネルを介して第２の局に第２のデータパケットを送信することをさらに備える。
【００１９】
[0019]本開示の別の態様は、データを送信するための装置を提供する。本装置は、第１の局および第２の局に送信要求メッセージを送信するための手段を備える。本装置は、第１の局または第２の局のうちの少なくとも１つから少なくとも１つの送信可メッセージを受信するための手段をさらに備える。本装置は、１次周波数チャネルを介した第１の局からの送信可メッセージの受信に応答して、１次周波数チャネルを介して第１の局に第１のデータパケットを送信するための手段をさらに備える。本装置は、２次周波数チャネルを介した第２の局からの送信可メッセージの受信に応答して、２次周波数チャネルを介して第２の局に第２のデータパケットを送信するための手段をさらに備える。
【００２０】
[0020]本開示の別の態様は、実行されたときに装置に、第１の局および第２の局に送信要求メッセージを送信することを行わせるコードを備える非一時的コンピュータ可読媒体を提供する。本媒体は、実行されたときに装置に、第１の局または第２の局のうちの少なくとも１つから少なくとも１つの送信可メッセージを受信することを行わせるコードをさらに備える。本媒体は、実行されたときに装置に、１次周波数チャネルを介した第１の局からの送信可メッセージの受信に応答して、１次周波数チャネルを介して第１の局に第１のデータパケットを送信することを行わせるコードをさらに備える。本媒体は、実行されたときに装置に、２次周波数チャネルを介した第２の局からの送信可メッセージの受信に応答して、２次周波数チャネルを介して第２の局に第２のデータパケットを送信することを行わせるコードをさらに備える。
【００２１】
[0021]本開示の別の態様は、データを送信するための装置を提供する。本装置は、第１の局および第２の局に送信要求メッセージを送信するように構成された送信機を備える。
本装置は、第１の局または第２の局のうちの少なくとも１つから少なくとも１つの送信可メッセージを受信するように構成された受信機をさらに備える。送信機は、１次周波数チャネルを介した第１の局からの送信可メッセージの受信に応答して、１次周波数チャネルを介して第１の局に第１のデータパケットを送信するようにさらに構成され得る。送信機は、２次周波数チャネルを介した第２の局からの送信可メッセージの受信に応答して、２次周波数チャネルを介して第２の局に第２のデータパケットを送信するようにさらに構成され得る。
【図面の簡単な説明】
【００２２】
【図１】[0022]本開示の態様が採用され得る例示的なワイヤレス通信システムを示す図。
【図２Ａ】[0023]複数のワイヤレス通信ネットワークが存在するワイヤレス通信システムを示す図。
【図２Ｂ】[0024]複数のワイヤレス通信ネットワークが存在する別のワイヤレス通信システムを示す図。
【図３】[0025]図１および図２Ｂのワイヤレス通信システム内で採用され得る周波数多重化技法を示す図。
【図４】[0026]図１、図２Ｂ、および図３のワイヤレス通信システム内で採用され得る例示的なワイヤレスデバイスの機能ブロック図。
【図５Ａ】[0027]本開示の態様が採用され得るワイヤレス通信システムを示す図。
【図５Ｂ】[0028]本開示の態様が採用され得るタイミング図。
【図５Ｃ】本開示の態様が採用され得るタイミング図。
【図５Ｄ】[0029]本開示の態様が採用され得る別のタイミング図。
【図５Ｅ】本開示の態様が採用され得る別のタイミング図。
【図５Ｆ】[0030]本開示の態様が採用され得る別のタイミング図。
【図５Ｇ】本開示の態様が採用され得る別のタイミング図。
【図６Ａ】[0031]本開示の態様が採用され得る別のタイミング図。
【図６Ｂ】本開示の態様が採用され得る別のタイミング図。
【図６Ｃ】[0032]本開示の態様が採用され得る別のタイミング図。
【図６Ｄ】本開示の態様が採用され得る別のタイミング図。
【図７】[0033]本開示の態様が採用され得る別のタイミング図。
【図８Ａ】[0034]本開示の態様が採用され得る別のタイミング図。
【図８Ｂ】本開示の態様が採用され得る別のタイミング図。
【図８Ｃ】本開示の態様が採用され得る別のタイミング図。
【図９Ａ】[0035]本開示の態様が採用され得る別のタイミング図。
【図９Ｂ】本開示の態様が採用され得る別のタイミング図。
【図９Ｃ】本開示の態様が採用され得る別のタイミング図。
【図９Ｄ】本開示の態様が採用され得る別のタイミング図。
【図９Ｅ】本開示の態様が採用され得る別のタイミング図。
【図１０】[0036]高効率ワイヤレス周波数分割多重化のためのプロセスのフローチャート。
【図１１】[0037]データを送信するためのプロセスのフローチャート。
【図１２】[0038]データを送信するためのプロセスの別のフローチャート。
【図１３】[0039]データを送信するためのプロセスの別のフローチャート。
【図１４】[0040]データを送信するためのプロセスの別のフローチャート。
【図１５】[0041]データを送信するためのプロセスの別のフローチャート。
【図１６】[0042]データを送信するためのプロセスの別のフローチャート。
【発明を実施するための形態】
【００２３】
[0043]添付の図面を参照して、新規のシステム、装置、および方法の様々な態様が以下でより十分に説明される。ただし、本開示は、多くの異なる形態で具現化される場合があり、本開示全体にわたって提示される任意の特定の構造または機能に限定されるものと解釈されるべきではない。むしろ、これらの態様は、本開示が周到で完全になり、本開示の範囲を当業者に十分に伝えるように提供される。本明細書での教示に基づいて、本開示の範囲が、本発明の任意の他の態様とは無関係に実装されるか、本発明の任意の他の態様と組み合わされるかにかかわらず、本明細書で開示される新規のシステム、装置、および方法の任意の態様を包含するものであることを、当業者は諒解されたい。たとえば、本明細書に記載される任意の数の態様を使用して装置が実装されてよく、または方法が実施されてもよい。加えて、本発明の範囲は、本明細書に記載される本発明の様々な態様に加えて、またはそれらの態様以外に、他の構造、機能、または構造および機能を使用して実施される、そのような装置または方法を包含するものである。本明細書で開示される任意の態様は、請求項の１つまたは複数の要素によって具現化され得ることを理解されたい。
【００２４】
[0044]特定の態様が本明細書で説明されるが、これらの態様の多くの変形および並べ替えは、本開示の範囲内に属する。好ましい態様のいくつかの利益および利点について言及されるが、本開示の範囲は特定の利益、使用、または目的に限定されるものではない。むしろ、本開示の態様は、異なるワイヤレス技術、システム構成、ネットワーク、および伝送プロトコルに広く適用可能なものであり、そのうちのいくつかが図面および好ましい態様の以下の説明において例として示される。発明を実施するための形態および各図面は、限定的でなく、本開示の例示にすぎず、本開示の範囲は、添付の特許請求の範囲およびその均等物によって定義される。
【００２５】
[0045]普及しているワイヤレスネットワーク技術は、様々なタイプのワイヤレスローカルエリアネットワーク（ＷＬＡＮ）を含み得る。ＷＬＡＮは、広く使用されているネットワーキングプロトコルを利用して、近くのデバイスを一緒に相互接続するように使用され得る。本明細書で説明される様々な態様は、ワイヤレスプロトコルなどの任意の通信規格に適用され得る。
【００２６】
[0046]いくつかの態様では、ワイヤレス信号は、直交周波数分割多重化（ＯＦＤＭ）、直接シーケンススペクトル拡散（ＤＳＳＳ：direct-sequence spread spectrum）通信、ＯＦＤＭ通信とＤＳＳＳ通信との組合せ、または他の方式を使用して、高効率８０２．１１プロトコルに従って送信され得る。高効率８０２．１１プロトコルの実装形態は、インターネットアクセス、センサー、メータリング、スマートグリッドネットワーク、または他のワイヤレスアプリケーションに使用され得る。有利なことに、本明細書で開示される技法を使用する高効率８０２．１１プロトコルを実装しているいくつかのデバイスの態様は、同じエリアにおける増大したピアツーピアサービス（たとえば、Ｍｉｒａｃａｓｔ、ＷｉＦｉ  Ｄｉｒｅｃｔ（登録商標）  Ｓｅｒｖｉｃｅｓ、Ｓｏｃｉａｌ  ＷｉＦｉ（登録商標）など）を可能にすること、増大したユーザ当たり最小スループット要件をサポートすること、より多くのユーザをサポートすること、改善された屋外カバレージとロバストネスとをもたらすこと、および／または他のワイヤレスプロトコルを実装しているデバイスよりも少ない電力を消費することを含み得る。
【００２７】
[0047]いくつかの実装形態では、ＷＬＡＮは、ワイヤレスネットワークにアクセスする構成要素である様々なデバイスを含む。たとえば、２つのタイプのデバイス、すなわち、アクセスポイント（「ＡＰ」）およびクライアント（局または「ＳＴＡ」とも呼ばれる）が存在し得る。一般に、ＡＰはＷＬＡＮのためのハブまたは基地局として機能することができ、ＳＴＡはＷＬＡＮのユーザとして機能する。たとえば、ＳＴＡはラップトップコンピュータ、携帯情報端末（ＰＤＡ）、モバイルフォンなどであり得る。一例では、ＳＴＡは、インターネットまたは他のワイドエリアネットワークに一般的接続性を得るためにＷｉＦｉ（たとえば、ＩＥＥＥ  ８０２．１１プロトコル）準拠ワイヤレスリンクを介してＡＰに接続する。いくつかの実装形態では、ＳＴＡはＡＰとして使用されることもある。
【００２８】
[0048]アクセスポイント（「ＡＰ」）はまた、ＮｏｄｅＢ、無線ネットワークコントローラ（「ＲＮＣ」）、ｅＮｏｄｅＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、もしくは何らかの他の用語を備え、それらのいずれかとして実装され、またはそれらのいずれかとして知られ得る。
【００２９】
[0049]局「ＳＴＡ」は、アクセス端末（「ＡＴ」）、加入者局、加入者ユニット、移動局、遠隔局、遠隔端末、ユーザ端末、ユーザエージェント、ユーザデバイス、ユーザ機器、もしくは何らかの他の用語を備え、それらのいずれかとして実装され、またはそれらのいずれかとして知られ得る。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、またはワイヤレスモデムに接続された何らかの他の適切な処理デバイスを備え得る。したがって、本明細書で教示される１つまたは複数の態様は、電話（たとえば、セルラーフォンもしくはスマートフォン）、コンピュータ（たとえば、ラップトップ）、ポータブル通信デバイス、ヘッドセット、ポータブルコンピューティングデバイス（たとえば、携帯データ端末）、エンターテインメントデバイス（たとえば、音楽デバイスもしくはビデオデバイス、もしくは衛星ラジオ）、ゲームデバイスもしくはゲームシステム、全地球測位システムデバイス、または、ワイヤレス媒体を介して通信するように構成された任意の他の適切なデバイスに組み込まれ得る。
【００３０】
[0050]上述されたように、本明細書で説明されるデバイスのいくつかは、たとえば、高効率８０２．１１規格を実装し得る。そのようなデバイスは、ＳＴＡとして使用されるか、ＡＰとして使用されるか、他のデバイスとして使用されるかにかかわらず、スマートメータリングに、またはスマートグリッドネットワークにおいて使用され得る。そのようなデバイスは、センサーアプリケーションを提供するか、またはホームオートメーションにおいて使用され得る。デバイスは、代わりにまたは加えて、たとえばパーソナルヘルスケアのためにヘルスケアコンテキストにおいて使用され得る。それらはまた、（たとえばホットスポットとともに使用するための）広範囲のインターネット接続を可能にするように、または機械間通信を実施するように、監視に使用され得る。
【００３１】
[0051]図１は、本開示の態様が採用され得る例示的なワイヤレス通信システム１００を示す。ワイヤレス通信システム１００は、ワイヤレス規格、たとえば高効率８０２．１１規格に従って動作し得る。ワイヤレス通信システム１００は、ＳＴＡ１０６と通信するＡＰ１０４を含み得る。
【００３２】
[0052]様々なプロセスおよび方法が、ＡＰ１０４とＳＴＡ１０６との間のワイヤレス通信システム１００における送信に使用され得る。たとえば、信号は、ＯＦＤＭ／ＯＦＤＭＡ技法に従って、ＡＰ１０４とＳＴＡ１０６との間で送られ、受信され得る。その場合には、ワイヤレス通信システム１００はＯＦＤＭ／ＯＦＤＭＡシステムと呼ばれ得る。代替的に、信号は、符号分割多元接続（ＣＤＭＡ）技法に従って、ＡＰ１０４とＳＴＡ１０６との間で送られ、受信され得る。その場合には、ワイヤレス通信システム１００はＣＤＭＡシステムと呼ばれ得る。
【００３３】
[0053]ＡＰ１０４からＳＴＡ１０６のうちの１つまたは複数に送信を容易にする通信リンクはダウンリンク（ＤＬ）１０８と呼ばれることがあり、ＳＴＡ１０６のうちの１つまたは複数からＡＰ１０４に送信を容易にする通信リンクはアップリンク（ＵＬ）１１０と呼ばれることがある。代替的に、ダウンリンク１０８は順方向リンクまたは順方向チャネルと呼ばれることもあり、アップリンク１１０は逆方向リンクまたは逆方向チャネルと呼ばれることもある。
【００３４】
[0054]ＡＰ１０４は、基地局として働き、基本サービスエリア（ＢＳＡ）１０２においてワイヤレス通信カバレージを提供することができる。ＡＰ１０４は、ＡＰ１０４に関連付けられ、通信にＡＰ１０４を使用するＳＴＡ１０６とともに、基本サービスセット（ＢＳＳ）と呼ばれ得る。ワイヤレス通信システム１００は、中央ＡＰ１０４を有しないことがあり、むしろＳＴＡ１０６間のピアツーピアネットワークとして機能し得ることに留意されたい。したがって、本明細書で説明されるＡＰ１０４の機能は、代替的にＳＴＡ１０６のうちの１つまたは複数によって実行され得る。
【００３５】
[0055]いくつかの態様では、ＳＴＡ１０６は、ＡＰ１０４に通信を送信し、および／またはＡＰ１０４から通信を受信するように、ＡＰ１０４に関連付けることが必要とされ得る。一態様では、関連付けるための情報は、ＡＰ１０４によるブロードキャストに含まれる。そのようなブロードキャストを受信するように、ＳＴＡ１０６は、たとえば、カバレージ領域にわたって広範なカバレージ探索を実行することができる。探索はまた、ＳＴＡ１０６によって、たとえば、灯台方式でカバレージ領域をスイープすることによって実行され得る。関連付けるための情報を受信した後、ＳＴＡ１０６は、関連付け調査または要求などの基準信号をＡＰ１０４に送信することができる。いくつかの態様では、ＡＰ１０４は、たとえば、インターネットまたは公衆交換電話網（ＰＳＴＮ）などのより大きいネットワークと通信するように、バックホールサービスを使用することができる。
【００３６】
[0056]一実施形態では、ＡＰ１０４は、ＡＰ高効率ワイヤレス構成要素（ＨＥＷＣ）１５４を含む。ＡＰ  ＨＥＷＣ１５４は、高効率８０２．１１プロトコルを使用するＡＰ１０４とＳＴＡ１０６との間の通信を可能にする、本明細書で説明される動作の一部または全部を実行することができる。ＡＰ  ＨＥＷＣ１５４の機能は、図２Ｂ、図３、図４、図５Ａ〜図５Ｇ、図６Ａ〜図６Ｄ、図７、図８Ａ〜図８Ｃ、図９Ａ〜図９Ｅ、および図１０〜図２３に関して以下でより詳細に説明される。
【００３７】
[0057]代替的にまたは追加として、ＳＴＡ１０６はＳＴＡ  ＨＥＷＣ１５６を含み得る。ＳＴＡ  ＨＥＷＣ１５６は、高周波８０２．１１プロトコルを使用するＳＴＡ１０６とＡＰ１０４との間の通信を可能にする、本明細書で説明される動作の一部または全部を実行することができる。ＳＴＡ  ＨＥＷＣ１５６の機能は、図２Ｂ、図３、図４、および図５Ａに関して以下でより詳細に説明される。
【００３８】
[0058]状況によっては、ＢＳＡは他のＢＳＡの近くに位置し得る。たとえば、図２Ａは、複数のワイヤレス通信ネットワークが存在するワイヤレス通信システム２００を示す。
図２Ａに示されるように、ＢＳＡ２０２Ａ、２０２Ｂ、および２０２Ｃは物理的に互いに近くに位置し得る。ＢＳＡ２０２Ａ〜Ｃが極めて近接しているにもかかわらず、ＡＰ２０４Ａ〜Ｃおよび／またはＳＴＡ２０６Ａ〜Ｈはそれぞれ同じスペクトルを使用して通信し得る。したがって、ＢＳＡ２０２Ｃにおけるデバイス（たとえば、ＡＰ２０４Ｃ）がデータを送信している場合、ＢＳＡ２０２Ｃの外にあるデバイス（たとえば、ＡＰ２０４Ａ〜ＢまたはＳＴＡ２０６Ａ〜Ｆ）は、媒体上で通信を感知し得る。
【００３９】
[0059]一般に、通常の８０２．１１プロトコル（たとえば、８０２．１１ａ、８０２．１１ｂ、８０２．１１ｇ、８０２．１１ｎなど）を使用するワイヤレスネットワークは、媒体アクセスのための搬送波感知多重アクセス（ＣＳＭＡ：carrier sense multiple access）機構の下で動作する。ＣＳＭＡによれば、デバイスは、媒体を感知し、媒体がアイドル状態であると感知されたときのみ送信する。したがって、ＡＰ２０４Ａ〜Ｃおよび／またはＳＴＡ２０６Ａ〜ＨがＣＳＭＡ機構に従って動作していて、ＢＳＡ２０２Ｃにおけるデバイス（たとえば、ＡＰ２０４Ｃ）がデータを送信している場合に、ＢＳＡ２０２Ｃの外にあるＡＰ２０４Ａ〜Ｂおよび／またはＳＴＡ２０６Ａ〜Ｆは、それらが異なるＢＳＡの一部であっても、媒体を介して送信しないことがある。
【００４０】
[0060]図２Ａは、そのような状況を示す。図２Ａに示されるように、ＡＰ２０４Ｃは媒体を介して送信している。送信は、ＡＰ２０４Ｃと同じＢＳＡ２０２ＣにあるＳＴＡ２０６Ｇによって、またＡＰ２０４Ｃとは異なるＢＳＡにあるＳＴＡ２０６Ａによって感知される。送信は、ＳＴＡ  ２０６Ｇおよび／またはＢＳＡ２０２ＣにおけるＳＴＡのみにアドレス指定され得るが、それでもなお、ＳＴＡ２０６Ａは、ＡＰ２０４Ｃ（および任意の他のデバイス）が媒体上で送信しなくなるまで、（たとえば、ＡＰ２０４Ａとの間で）通信を送信または受信することが可能ではないことがある。図示されていないが、同じことがＢＳＡ２０２ＢにおけるＳＴＡ２０６Ｄ〜Ｆおよび／またはＢＳＡ２０２ＡにおけるＳＴＡ２０６Ｂ〜Ｃにも（たとえば、ＡＰ２０４Ｃによる送信がより強くて、他のＳＴＡが媒体上で送信を感知できる場合には）当てはまり得る。
【００４１】
[0061]その場合にはＣＳＭＡ機構の使用は、ＢＳＡの外にあるいくつかのＡＰまたはＳＴＡが、ＢＳＡにおけるＡＰまたはＳＴＡによって行われた送信に干渉せずにデータを送信することが可能であり得るので、非効率性をもたらす。アクティブなワイヤレスデバイスの数が増加し続ける中、非効率性は、ネットワークレイテンシとスループットとに著しい影響を与え始め得る。たとえば、著しいネットワークレイテンシの問題は、各住戸がアクセスポイントと関連局とを含み得るアパートに現れ得る。実際、各住戸は、居住者がワイヤレスルータ、ワイヤレスメディアセンター機能を有するビデオゲームコンソール、ワイヤレスメディアセンター機能を有するテレビ、パーソナルホットスポットのように働くことができる携帯電話などを所有する場合に、複数のアクセスポイントを含み得る。その場合、レイテンシおよびスループットの問題と全体的なユーザの不満とを回避するように、ＣＳＭＡ機構の非効率性を是正することが不可欠であり得る。
【００４２】
[0062]そのようなレイテンシおよびスループットの問題は、居住エリアに限られないこともある。たとえば、複数のアクセスポイントが空港、地下鉄の駅、および／または他の人口密度の高い公共空間に位置し得る。現在、これらの公共空間ではＷｉＦｉアクセスが提供されていることがあるが、有料である。ＣＳＭＡ機構によってもたらされる非効率性が是正されない場合、ワイヤレスネットワークの事業者は、料金およびより低いサービス品質が利益を上回り始めることで顧客を失う可能性がある。
【００４３】
[0063]したがって、本明細書で説明される高効率８０２．１１プロトコルは、これらの非効率性を最小化し、ネットワークスループットを増大させる修正された機構の下でデバイスが動作することを可能にし得る。そのような機構は、図２Ｂ、図３、および図４に関して後述される。高効率８０２．１１プロトコルの追加の態様は、図５Ａ〜図２３に関して後述される。
【００４４】
[0064]図２Ｂは、複数のワイヤレス通信ネットワークが存在するワイヤレス通信システム２５０を示す。図２Ａのワイヤレス通信システム２００とは異なり、ワイヤレス通信システム２５０は、本明細書で論じられる高効率８０２．１１規格に従って動作し得る。ワイヤレス通信システム２５０は、ＡＰ２５４Ａと、ＡＰ２５４Ｂと、ＡＰ２５４Ｃとを含み得る。ＡＰ２５４Ａは、ＳＴＡ２５６Ａ〜Ｃと通信することができ、ＡＰ２５４Ｂは、ＳＴＡ２５６Ｄ〜Ｆと通信することができ、ＡＰ２５４Ｃは、ＳＴＡ２５６Ｇ〜Ｈと通信することができる。
【００４５】
[0065]様々なプロセスおよび方法が、ＡＰ２５４Ａ〜ＣとＳＴＡ２５６Ａ〜Ｈとの間のワイヤレス通信システム２５０における送信に使用され得る。たとえば、信号は、ＯＦＤＭ／ＯＦＤＭＡ技法またはＣＤＭＡ技法に従って、ＡＰ２５４Ａ〜ＣとＳＴＡ２５６Ａ〜Ｈとの間で送られ、受信され得る。
【００４６】
[0066]ＡＰ２５４Ａは、基地局として働き、ＢＳＡ２５２Ａにおいてワイヤレス通信カバレージを提供することができる。ＡＰ２５４Ｂは、基地局として働き、ＢＳＡ２５２Ｂにおいてワイヤレス通信カバレージを提供することができる。ＡＰ２５４Ｃは、基地局として働き、ＢＳＡ２５２Ｃにおいてワイヤレス通信カバレージを提供することができる。
各ＢＳＡ２５２Ａ、２５２Ｂ、および／または２５２Ｃは、中央ＡＰ２５４Ａ、２５４Ｂ、または２５４Ｃを有しないことがあり、むしろＳＴＡ２５６Ａ〜Ｈのうちの１つまたは複数の間のピアツーピア通信を可能にし得ることに留意されたい。したがって、本明細書で説明されるＡＰ２５４Ａ〜Ｃの機能は、代替的にＳＴＡ２５６Ａ〜Ｈのうちの１つまたは複数によって実行され得る。
【００４７】
[0067]一実施形態では、ＡＰ２５４Ａ〜Ｃおよび／またはＳＴＡ２５６Ａ〜Ｈは、高効率ワイヤレス構成要素を含む。本明細書で説明されるように、高効率ワイヤレス構成要素は、高効率８０２．１１プロトコルを使用するＡＰとＳＴＡとの間の通信を可能にし得る。特に、高効率ワイヤレス構成要素は、ＣＳＭＡ機構の非効率性を最小化する（たとえば、干渉が生じることのない状況において媒体を介した同時通信を可能にする）修正された機構をＡＰ２５４Ａ〜Ｃおよび／またはＳＴＡ２５６Ａ〜Ｈが使用することを可能にし得る。高効率ワイヤレス構成要素は、図４に関して以下でより詳細に説明される。
【００４８】
[0068]図２Ｂに示されるように、ＢＳＡ２５２Ａ〜Ｃは物理的に互いに近くに位置する。たとえば、ＡＰ２５４ＡおよびＳＴＡ２５６Ｂが互いに通信しているとき、ＢＳＡ２５２Ｂ〜Ｃにおける他のデバイスによって通信が感知され得る。しかしながら、通信は、ＳＴＡ２５６Ｆおよび／またはＳＴＡ２５６Ｇなどのいくつかのデバイスに干渉するだけであり得る。ＣＳＭＡの下では、ＡＰ２５４ＢはＳＴＡ２５６Ｅと通信することを、そのような通信がＡＰ２５４ＡとＳＴＡ２５６Ｂとの間の通信に干渉しなくても許容されない。
したがって、高効率８０２．１１プロトコルは、同時に通信することができるデバイスと同時に通信することができないデバイスとの間で区別する修正された機構の下で動作する。デバイスのそのような分類は、ＡＰ２５４Ａ〜Ｃおよび／またはＳＴＡ２５６Ａ〜Ｈにおける高効率ワイヤレス構成要素によって実行され得る。たとえば、ＡＰ２５４Ａ〜Ｃは、ＳＴＡ２５６Ａ〜Ｈに特定の分類を割り当てることができる（たとえば、ＡＰ２５４Ａ〜Ｃは、ＳＴＡ２５６Ａ〜Ｈの帯域幅能力に基づいてＳＴＡ２５６Ａ〜Ｈに特定の分類を割り当てることができる）。別の例として、ＳＴＡ２５６Ａ〜Ｈは分類を選択し、適切なＡＰ２５４Ａ〜Ｃに通知することができる。別の例として、ＳＴＡ２５６Ａ〜Ｈは適切なＡＰ２５４Ａ〜Ｃに、特定の分類を求める要求を提出することができる。
【００４９】
[0069]一実施形態では、デバイスが他のデバイスと同時に通信することができるかどうかの決定は、デバイスのロケーションに基づく。たとえば、ＢＳＡの端の近くに位置するＳＴＡは、ＳＴＡが他のデバイスと同時に通信することができないような状態または状況にあり得る。図２Ｂに示されるように、ＳＴＡ２０６Ａ、２０６Ｆ、および２０６Ｇは、それらが他のデバイスと同時に通信することができない状態または状況にあるデバイスであり得る。同様に、ＢＳＡの中心の近くに位置するＳＴＡは、ＳＴＡが他のデバイスと通信することができるような局または状況にあり得る。図２に示されるように、ＳＴＡ２０６Ｂ、２０６Ｃ、２０６Ｄ、２０６Ｅ、および２０６Ｈは、それらが他のデバイスと同時に通信することができる状態または状況にあるデバイスであり得る。
【００５０】
[0070]様々な実施形態では、ＢＳＡの中心の近くにある、またはＢＳＡの端の近くにあるとのＳＴＡの分類に影響を与えるパフォーマンス（たとえば、ＲＦ）特性は、信号対干渉プラス雑音比（ＳＩＮＲ）、ＲＦ形状（RF geometry）、受信信号強度インジケータ（ＲＳＳＩ）、変調およびコーディング方式（ＭＣＳ）値、干渉レベル、信号レベル、送信能力などのうちの１つまたは複数を含むことができる。様々な実施形態では、１つまたは複数の物理的特性およびＲＦ特性が１つまたは複数のしきい値レベルと比較され得る。比較は重み付けされ、および／または組み合わせられ得る。様々な実施形態では、デバイスは、単独の、重み付けされた、および／または組み合わせられた物理的特性およびＲＦ特性ならびに関連しきい値に基づいて、それらが同時に通信することができる、またはできないような状況にあると決定され得る。
【００５１】
[0071]デバイスの分類は永続的なものではないことに留意されたい。デバイスは、それらが同時に通信することができるような状態または状況と、それらが同時に通信することができないような状態または状況との間で移行し得る（たとえば、デバイスは、動いているとき、新しいＡＰに関連付けるとき、分離するときなどに、状態または状況を変化させ得る）。
【００５２】
[0072]さらに、デバイスは、それらが他のデバイスと同時に通信する状態または状況にある、またはないデバイスであるかどうかに基づいて、別様に動作するように構成され得る。たとえば、同時に通信することができるような状態または状況にあるデバイスは、同じスペクトル内で通信することができる。一方、同時に通信することができないような状態または状況にあるデバイスは、媒体を介して通信するように、空間多重化または周波数領域多重化などのいくつかの技法を採用し得る。デバイスの動作の制御は、ＡＰ２５４Ａ〜Ｃおよび／またはＳＴＡ２５６Ａ〜Ｈにおける高効率ワイヤレス構成要素によって実行され得る。
【００５３】
[0073]一実施形態では、同時に通信することができないような状態または状況にあるデバイスは、媒体を介して通信するように、空間多重化技法を使用する。たとえば、別のデバイスによって送信されるパケットのプリアンブル内に、電力および／または他の情報が埋め込まれ得る。デバイスが同時に通信することができないような状態または状況にあるデバイスは、媒体上でパケットが感知されたときにプリアンブルを分析し、ルールセットに基づいて送信すべきかどうかを決定することができる。
【００５４】
[0074]別の実施形態では、それらが同時に通信することができないような状態または状況にあるデバイスは、媒体を介して通信するように、周波数領域多重化技法を使用する。
図３は、図１のワイヤレス通信システム１００および図２Ｂのワイヤレス通信システム２５０の中で採用され得る周波数多重化技法を示す。図３に示されるように、ワイヤレス通信システム３００内にＡＰ３０４Ａ、３０４Ｂ、３０４Ｃ、および３０４Ｄが存在し得る。ＡＰ３０４Ａ、３０４Ｂ、３０４Ｃ、および３０４Ｄの各々は、異なるＢＳＡに関連付けられ、本明細書で説明される高効率ワイヤレス構成要素を含み得る。
【００５５】
[0075]一例として、通信媒体の帯域幅は８０ＭＨｚであり得る。通常の８０２．１１プロトコルの下では、ＡＰ３０４Ａ、３０４Ｂ、３０４Ｃ、および３０４Ｄの各々ならびに各それぞれのＡＰに関連付けられたＳＴＡは、帯域幅全体を使用して通信することを試み、これはスループットを低減し得る。一方、周波数領域多重化を使用する高効率８０２．１１プロトコルの下では、図３に示されるように、帯域幅はセグメント３０８、３１０、３１２、および３１４（たとえば、チャネル）に分割され得る。チャネルは、ＩＥＥＥ８０２．１１動作が許容されるスペクトルの任意の部分であり得る。一般に、チャネルはレガシー動作において２０ＭＨｚの帯域幅を有するが、本明細書で説明されるチャネルまたはセグメントは、５ＭＨｚ、１０ＭＨｚ、２０ＭＨｚなどのような任意の帯域幅を有し得る。本明細書で説明されるチャネルまたはセグメントはまた、ＢＳＳの帯域幅内に非隣接トーンのサブセットを含むことができる。さらに、本明細書で示されるチャネルまたはセグメントは、スペクトルの連続チャンクの一部として示されている（たとえば、各チャネルまたはセグメントは、連続する隣接した周波数範囲をカバーする）が、本明細書で説明されるチャネルまたはセグメントは、スペクトルの連続チャンクまたは非連続チャンクの一部であり得る。チャネルまたはセグメントはまた、スペクトル内の他のチャネルまたはセグメントのサブセットであり得る。図３に示されるように、ＡＰ３０４Ａはセグメント３０８に関連付けられることがあり、ＡＰ３０４Ｂはセグメント３１０に関連付けられることがあり、ＡＰ３０４Ｃはセグメント３１２に関連付けられることがあり、ＡＰ３０４Ｄはセグメント３１４に関連付けられることがある。
【００５６】
[0076]一実施形態では、ＡＰ３０４Ａ〜Ｄおよび他のデバイスと同時に通信することができるような状態または状況にあるＳＴＡ（たとえば、ＢＳＡの中心の近くにあるＳＴＡ）が互いに通信しているとき、各ＡＰ３０４Ａ〜ＤおよびこれらのＳＴＡの各々は、８０ＭＨｚの媒体の一部分または全体を使用して通信することができる。一方、ＡＰ３０４Ａ〜Ｄおよび他のデバイスと同時に通信することができないような状態または状況にあるＳＴＡ（たとえば、ＢＳＡの端の近くにあるＳＴＡ）が互いに通信しているとき、ＡＰ３０４ＡおよびそれのＳＴＡは、２０ＭＨｚのセグメント３０８を使用して通信し、ＡＰ３０４ＢおよびそれのＳＴＡは、２０ＭＨｚのセグメント３１０を使用して通信し、ＡＰ３０４ＣおよびそれのＳＴＡは、２０ＭＨｚのセグメント３１２を使用して通信し、ＡＰ３０４ＤおよびそれのＳＴＡは、２０ＭＨｚのセグメント３１４を使用して通信する。ＡＰ３０４Ａ〜Ｄは、どのＡＰおよびＳＴＡがセグメント３０８、３１０、３１２および３１４のどれを介して通信するかを決定するように（たとえば、協調メッセージを送信および／または受信することによって）互いに通信することができる。セグメント３０８、３１０、３１２および３１４は通信媒体の異なる部分であるので、第１のセグメントを使用する第１の送信が第２のセグメントを使用する第２の送信に干渉することはない。
【００５７】
[0077]したがって、他のデバイスと同時に通信することができないような状態または状況にあっても、高効率ワイヤレス構成要素を含むＡＰおよび／またはＳＴＡは、干渉なしに他のＡＰおよびＳＴＡと同時に（たとえば、期せずして同時に、またはＡＰもしくはＳＴＡによってスケジュールされた時間に基づいて同時に）通信することができる。したがって、ワイヤレス通信ネットワーク３００のスループットは増大し得る。アパートまたは人口密度の高い公共空間の場合、高効率ワイヤレス構成要素を使用するＡＰおよび／またはＳＴＡは、アクティブなワイヤレスデバイスの数が増加する中でも、レイテンシの低減とネットワークスループットの増大を経験し、それによってユーザエクスペリエンスを改善することができる。
【００５８】
[0078]図４は、図１、図２Ｂおよび図３のワイヤレス通信システム１００、２５０および／または３００の中で採用され得るワイヤレスデバイス４０２の例示的な機能ブロック図を示す。ワイヤレスデバイス４０２は、本明細書で説明される様々な方法を実施するように構成され得るデバイスの一例である。たとえば、ワイヤレスデバイス４０２は、ＡＰ１０４、ＳＴＡ１０６のうちの１つ、ＡＰ２５４のうちの１つ、ＳＴＡ２５６のうちの１つ、および／またはＡＰ３０４のうちの１つを備え得る。
【００５９】
[0079]ワイヤレスデバイス４０２は、ワイヤレスデバイス４０２の動作を制御するプロセッサ４０４を含み得る。プロセッサ４０４は、中央処理装置（ＣＰＵ）と呼ばれることもある。読取り専用メモリ（ＲＯＭ）とランダムアクセスメモリ（ＲＡＭ）の両方を含み得るメモリ４０６は、命令とデータとをプロセッサ４０４に提供することができる。メモリ４０６の一部分は、不揮発性ランダムアクセスメモリ（ＮＶＲＡＭ）も含み得る。プロセッサ４０４は、通常は、メモリ４０６内に記憶されたプログラム命令に基づいて、論理演算と算術演算とを実行する。メモリ４０６中の命令は、本明細書で説明される方法を実施するように実行可能であり得る。
【００６０】
[0080]プロセッサ４０４は、１つまたは複数のプロセッサにより実装された処理システムを備えるか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、または情報の計算もしくは他の操作を実行することができる任意の他の適切なエンティティの任意の組合せにより実装され得る。
【００６１】
[0081]処理システムは、ソフトウェアを記憶するための機械可読媒体も含み得る。ソフトウェアは、ソフトウェア、ファームウェア、ミドルウェア、マイクロコード、ハードウェア記述言語、または他の用語のいずれと呼称されるかにかかわらず、任意のタイプの命令を意味するものとして広範に解釈されるものとする。命令は、（たとえば、ソースコードフォーマット、バイナリコードフォーマット、実行可能コードフォーマット、または任意の他の適切なコードのフォーマットの）コードを含み得る。命令は、１つまたは複数のプロセッサによって実行されたときに、処理システムに、本明細書で説明される様々な機能を実行させる。
【００６２】
[0082]ワイヤレスデバイス４０２はまた、ワイヤレスデバイス４０２と遠隔ロケーションとの間のデータの送信と受信とを可能にするように送信機４１０および／または受信機４１２を含み得るハウジング４０８を含み得る。送信機４１０および受信機４１２は、組み合わされてトランシーバ４１４になり得る。アンテナ４１６は、ハウジング４０８に取り付けられ、トランシーバ４１４に電気的に結合され得る。ワイヤレスデバイス４０２は、複数の送信機、複数の受信機、複数のトランシーバ、および／または複数のアンテナも含み得る（図示せず）。
【００６３】
[0083]ワイヤレスデバイス４０２は、トランシーバ４１４によって受信された信号のレベルを検出し、定量化するように使用され得る、信号検出器４１８も含み得る。信号検出器４１８は、総エネルギー、シンボルごとのサブキャリア当たりのエネルギー、電力スペクトル密度および他の信号などの信号を検出し得る。ワイヤレスデバイス４０２は、信号の処理に使用されるデジタル信号プロセッサ（ＤＳＰ）４２０も含み得る。ＤＳＰ４２０は、送信用のパケットを生成するように構成され得る。いくつかの態様では、パケットは物理レイヤデータユニット（ＰＰＤＵ）を備え得る。
【００６４】
[0084]いくつかの態様では、ワイヤレスデバイス４０２はユーザインターフェース４２２をさらに備え得る。ユーザインターフェース４２２は、キーパッド、マイクロホン、スピーカー、および／またはディスプレイを備え得る。ユーザインターフェース４２２は、ワイヤレスデバイス４０２のユーザに情報を伝え、および／またはユーザからの入力を受信する、任意の要素または構成要素を含み得る。
【００６５】
[0085]いくつかの態様では、ワイヤレスデバイス４０２は高効率ワイヤレス構成要素４２４をさらに備え得る。高効率ワイヤレス構成要素４２４は、分類器ユニット４２８と送信制御ユニット４３０とを含み得る。本明細書で説明されるように、高効率ワイヤレス構成要素４２４は、ＣＳＭＡ機構の非効率性を最小化する（たとえば、干渉が生じることのない状況において媒体を介した同時通信を可能にする）修正された機構をＡＰおよび／またはＳＴＡが使用することを可能にし得る。
【００６６】
[0086]修正された機構は、分類器ユニット４２８および送信制御ユニット４３０によって実装され得る。一実施形態では、分類器ユニット４２８は、どのデバイスが他のデバイスと同時に通信することができるような状態または状況にあり、どのデバイスが他のデバイスと同時に通信することができないような状態または状況にあるかを決定する。一実施形態では、送信制御ユニット４３０はデバイスの動作を制御する。たとえば、送信制御ユニット４３０は、いくつかのデバイスが同じ媒体上で同時に送信することを可能にし、他のデバイスが空間多重化技法または周波数領域多重化技法を使用して送信することを可能にし得る。送信制御ユニット４３０は、分類器ユニット４２８によって行われた決定に基づいてデバイスの動作を制御することができる。
【００６７】
[0087]ワイヤレスデバイス４０２の様々な構成要素は、バスシステム４２６によって一緒に結合され得る。バスシステム４２６は、たとえば、データバス、ならびに、データバスに加えて、電力バスと、制御信号バスと、ステータス信号バスとを含み得る。ワイヤレスデバイス４０２の構成要素は、何らかの他の機構を使用して、一緒に結合され得るか、または互いに対する入力を受け入れ、もしくは提供し得ることを当業者は諒解されよう。
【００６８】
[0088]図４には、いくつかの別個の構成要素が示されているが、構成要素のうちの１つまたは複数が組み合わされ得るかまたは共通に実装され得ることを当業者は認識されよう。たとえば、プロセッサ４０４は、プロセッサ４０４に関して上述された機能を実装するためだけでなく、信号検出器４１８および／またはＤＳＰ４２０に関して上述された機能を実装するようにも使用され得る。さらに、図４に示される構成要素の各々は、複数の別個の要素を使用して実装され得る。
【００６９】
[0089]ワイヤレスデバイス４０２は、ＡＰ１０４、ＳＴＡ１０６、ＡＰ２５４、ＳＴＡ２５６、および／またはＡＰ３０４を備えてよく、通信を送信および／または受信するように使用されてよい。すなわち、ＡＰ１０４、ＳＴＡ１０６、ＡＰ２５４、ＳＴＡ２５６、またはＡＰ３０４のいずれかは、送信機デバイスまたは受信機デバイスとして機能し得る。いくつかの態様は、信号検出器４１８が、送信機または受信機の存在を検出するように、メモリ４０６およびプロセッサ４０４上で動作しているソフトウェアによって使用されることを企図する。
【００７０】
[0090]上述されたように、ネットワークのスループットおよびレイテンシは、ＣＳＭＡ機構が使用されるときにワイヤレスネットワークにおける主な懸念事項であり得る。たとえば、１つのワイヤレスネットワークに関連付けられたワイヤレスデバイスは、他のワイヤレスネットワークに関連付けられた他のワイヤレスデバイスに極めて近接して位置することがある。１つのネットワークのワイヤレスデバイスは、別のネットワークの別のワイヤレスデバイスによる送信を感知し、それにより、干渉が生じることのないときでも、媒体を介して送信するのを控えることがある。したがって、これらの問題のうちのいくつかを軽減するように、高効率８０２．１１プロトコルにおいて修正された機構が使用され得る。
【００７１】
[0091]修正された機構では、ワイヤレスデバイスは、ワイヤレスデバイスの状態または状況に従って分類され得る。たとえば、ワイヤレスデバイスは、（たとえば、ワイヤレスデバイスは、ＢＳＡの端から離れて位置しており、それによって、干渉をもたらすことはないので）ワイヤレスデバイスが他のワイヤレスデバイスと同時に通信することができる状態または状況にあり得る。別の例として、ワイヤレスデバイスは、（たとえば、ワイヤレスデバイスは、ＢＳＡの端の近くに位置しており、それによって、干渉をもたらすことになるので）ワイヤレスデバイスが他のワイヤレスデバイスと同時に通信することができない状態または状況にあり得る。
【００７２】
[0092]ネットワークのスループットを改善し、レイテンシを低減するように、ワイヤレスデバイスが、ＢＳＡの端の近くにあるか、またはさもなければ現在のプロトコルの下では同時に通信することができない場合でも、同時に通信することを可能にするいくつかの技法が採用され得る。１つのそのような技法は、図３に関して上述された周波数領域多重化である。特に、ＡＰが周波数領域多重化技法を使用してＳＴＡにメッセージ（たとえば、ＤＬ通信）を送信することを可能にするプロトコルが開発および実装され得る。以下で説明されるように、ＡＰは、ＳＴＡがどのように分類されるかに基づいて決定された周波数チャネルを使用してＳＴＡにメッセージを送信することができる。
【００７３】
[0093]図５Ａは、本開示の態様が採用され得るワイヤレス通信システム５００を示す。
図５Ａに示されるように、ワイヤレス通信システム５００はＢＳＡ５０２を含む。ＢＳＡ５０２は、ＡＰ５０４とＳＴＡ５０６Ａ〜Ｅとを含むことができる。一実施形態では、ＡＰ５０４およびＳＴＡ５０６Ａ〜Ｄはそれぞれ、上述された高効率ワイヤレス構成要素を含む。一方、ＳＴＡ５０６Ｅは高効率ワイヤレス構成要素を含まない。したがって、ＳＴＡ５０６Ａ〜Ｄが高効率ＳＴＡと呼ばれるのに対し、ＳＴＡ５０６Ｅは（たとえば、それは、ＩＥＥＥ８０２．１１ｎ、ＩＥＥＥ８０２．１１ａｃなどの通常のＩＥＥＥ８０２．１１プロトコルと適合するので）レガシーＳＴＡと呼ばれる。
【００７４】
[0094]上述されたように、ＡＰ５０４は、高効率ＳＴＡとレガシーＳＴＡとを、それぞれのＳＴＡが他のワイヤレスデバイスと同時に通信することができる状態または状況にある、またはないと分類することができる。ＡＰ５０４は、ＳＴＡのそれぞれの帯域幅能力に基づいてそのような分類を行うことができる。
【００７５】
[0095]ＡＰ５０４は、ＤＬ通信５１０を介してＳＴＡ５０６Ａに、ＤＬ通信５１２を介してＳＴＡ５０６Ｂに、ＤＬ通信５１４を介してＳＴＡ５０６Ｃに、ＤＬ通信５１６を介してＳＴＡ５０６Ｄに、ＤＬ通信５１８を介してＳＴＡ５０６Ｅに、データを送信することができる。図５Ａに示されるように、ＳＴＡ５０６Ａ〜ＣはＡＰ５０４に、ＳＴＡ５０６Ｄ〜Ｅよりも近くに位置し得る。ＤＬ通信５１０、５１２、５１４、５１６、および５１８は、本明細書で説明されるダウンリンク周波数領域多重化（ＤＬ  ＦＤＭ）プロトコルに従ってＡＰ５０４によって行われ得る。
【００７６】
[0096]ＤＬ  ＦＤＭプロトコルは、３つのデータ交換段階、すなわち、（１）データ送信と、（２）保護と、（３）確認応答とを含むことができる。保護段階はデータ送信段階に先行することがあり、確認応答段階はデータ送信段階に後続することがある。保護段階では、干渉を防止するための技法が採用され得る。データ送信段階では、１つまたは複数のＳＴＡのためのデータがそれぞれのＳＴＡに送信され得る。確認応答段階では、ＡＰは、それぞれのＳＴＡが適切なデータを受信したことを確認することができる。これらの段階の各々は、本明細書で論じられる周波数領域多重化原理に従って異なるチャネル上で同時に生じ得る。さらに、ＤＬ  ＦＤＭプロトコルは、ＡＰ５０４による送信の開始のタイミングに関係するルールを含むことができる。
データ送信段階
[0097]一実施形態では、いくつかのデータ送信オプションがデータ送信段階中に利用可能である。特に、いくつかのオプションは、ＳＴＡが同時に通信することができるように異なるチャネル上にＳＴＡを割り振るために利用可能である。これらのオプションはまた、レガシーＳＴＡと高効率ＳＴＡの両方が同時に通信することを可能にし得る。したがって、ネットワークスループットを改善し、レイテンシを低減するための本明細書で説明される技法は、高効率ＳＴＡと互換性があるデバイスおよび既存のレガシーＳＴＡと後方互換性があるデバイスにおいて実施され得る。たとえば、異なるチャネル上にＳＴＡを割り振るために、通常のＩＥＥＥ８０２．１１プロトコルの既存のＰＨＹレイヤ（たとえば、８０２．１１ｎ、８０２．１１ａｃなどのＰＨＹレイヤ）が新しい媒体アクセス制御（ＭＡＣ）機構と結合され得る。別の例として、異なるチャネル上にＳＴＡを割り振るために、高効率８０２．１１プロトコル用に新しいＰＨＹレイヤプリアンブルが作成され得る。
別の例として、異なるチャネル上にＳＴＡを割り振るために、通常のＩＥＥＥ８０２．１１プロトコルの既存のＰＨＹレイヤおよび新しいＰＨＹレイヤプリアンブルが使用され得る。
【００７７】
[0098]図５Ｂ〜図５Ｃは、本開示の態様が採用され得るタイミング図を示す。特に、図５Ｂ〜図５Ｃは、通常のＩＥＥＥ８０２．１１プロトコルの既存のＰＨＹレイヤおよび新しいＭＡＣ機構に従って使用され得るタイミング図を示す。図５Ｂ〜図５Ｃに示されるように、４つのチャネル、すなわちチャネル５２０、チャネル５２２、チャネル５２４、およびチャネル５２６が存在する。本明細書で使用される場合、チャネル５２６は１次チャネルと呼ばれ、チャネル５２０、５２２、および５２４は２次チャネルと呼ばれる。１次チャネルは、通常のＩＥＥＥ８０２．１１プロトコル上で動作しているＳＴＡによって使用されるデフォルトチャネルである。レガシーＳＴＡは、２次チャネルを使用してデータを受信または送信することができるが、レガシーＳＴＡとの間の送信は、１次チャネルを含まなければならない（たとえば、レガシーＳＴＡ用のパケットは１次チャネルを常に含む）。一方、高効率ＳＴＡは、１次チャネルを使用してデータを受信もしくは送信すること、または（たとえば、高効率ＳＴＡとの間の送信が、高効率ＳＴＡによって知られている少なくとも１つのチャネルを含む限り）２次チャネルを使用してのみデータを受信もしくは送信することができる。チャネル５２０、５２２、５２４、および５２６は、隣接していること（たとえば、各チャネル５２０、５２２、５２４、および５２６は、１０００ＭＨｚから１０８０ＭＨｚまでなどの連続する２０ＭＨｚの周波数範囲をカバーする）、または隣接していないことがある（たとえば、チャネル５２０、５２２、５２４、および／または５２６のうちの１つまたは複数の間に周波数のギャップがある）。
【００７８】
[0099]一実施形態では、１次チャネル（および、レガシーＩＥＥＥ８０２．１１ｎ動作、レガシーＩＥＥＥ８０２．１１ａｃ動作などの場合のように、潜在的に追加の２次チャネル）は、ＡＰ５０４からレガシーＳＴＡ（たとえば、ＳＴＡ５０６Ｅ）に通信に使用され、２次チャネルは、ＡＰ５０４から高効率ＳＴＡ（たとえば、ＳＴＡ５０６Ａ〜Ｄ）に通信に使用される。
【００７９】
[00100]ＡＰ５０４は、ＳＴＡ５０６Ａ〜Ｅをチャネルに関連付けるＭＡＣメッセージを送信し、それによって、ＡＰ５０４がそれぞれのＳＴＡ５０６Ａ〜Ｅと通信するようにどのチャネルを使用するつもりであるかを示すことができる。いくつかの実施形態では、ＡＰ５０４は、ＳＴＡ５０６ＥがレガシーＳＴＡであるので、１次チャネル上でＳＴＡ５０６Ｅと通信することをデフォルトで選択する。したがって、ＡＰ５０４は、ＳＴＡ５０６ＥにＭＡＣメッセージを送信しなくてよい。むしろ、ＡＰ５０４は、高効率ＳＴＡにのみＭＡＣメッセージを送信することができる。他の実施形態では、ＡＰ５０４は各ＳＴＡ５０６Ａ〜ＥにＭＡＣメッセージを送信する。ＭＡＣメッセージは、ＡＰ５０４によってＳＴＡ５０６Ａ〜Ｅに送信される管理フレームであり得る。管理フレームは、ＳＴＡ５０６Ａ〜Ｅのうちの１つまたは複数のために割り振られたチャネルを示すことができる。ＭＡＣメッセージは、図７に関して以下でより詳細に説明される。
【００８０】
[00101]図５Ｂ〜図５Ｃに示されるように、ＭＡＣメッセージは、チャネル５２６にＳＴＡ５０６Ｅを、チャネル５２４にＳＴＡ５０６Ａを、チャネル５２２にＳＴＡ５０６Ｂを、チャネル５２０にＳＴＡ５０６Ｃを割り振る。ＡＰ５０４からそれぞれのＳＴＡ５０６Ａ〜Ｃおよび５０６Ｅに送信は、同時に始まること（たとえば、図５Ｂ参照）または異なる時間に始まること（たとえば、図５Ｃ参照）がある。ＡＰ５０４からの送信が異なる時間に始まる場合、異なるＳＴＡ５０６Ａ〜Ｅに送信されたＯＦＤＭシンボルは依然として、受信側の処理を助けるために揃えられ得る。同様に、ＡＰ５０４からの送信は、同時に終了すること（図示せず）または異なる時間に終了すること（たとえば、図５Ｂ〜図５Ｃ参照）がある。
【００８１】
[00102]ＳＴＡ５０６Ａ〜Ｅは、特殊なフィルタ処理能力および／またはオーバーサンプリングされたＦＦＴを使用してＭＡＣメッセージおよび／または実際のデータ送信を受信することができる。レガシーＳＴＡ５０６Ｅおよび／またはＢＳＡ５０２における任意の他のレガシーＳＴＡは、隣接するチャネルからのチャネル干渉の可能性を最小化するように、低い変調およびコーディング方式（ＭＣＳ）値（たとえば、４または５）を含み得る。
【００８２】
[00103]したがって、既存のＰＨＹレイヤおよび新しいＭＡＣ機構の使用は、ＡＰ５０４が同時にまたはほぼ同時にレガシーＳＴＡおよび高効率ＳＴＡに送信を多重化することを可能にする。
【００８３】
[00104]図５Ｄ〜図５Ｅは、本開示の態様が採用され得る別のタイミング図を示す。特に、図５Ｄ〜図５Ｅは、新しいＰＨＹレイヤプリアンブルに従って使用され得るタイミング図を示す。新しいＰＨＹレイヤプリアンブルが定義されるので、図５Ｄ〜図５Ｅは高効率ＳＴＡにのみ適用され得る。
【００８４】
[00105]一実施形態では、新しいＰＨＹレイヤプリアンブルは、各ＳＴＡ５０６Ａ〜Ｄに関連付けられたＭＣＳ、ＡＰ５０４が各それぞれのＳＴＡ５０６Ａ〜Ｄに送信することになる時間の時間期間、ＡＰ５０４が各それぞれのＳＴＡ５０６Ａ〜Ｄに送信することになるバイトの数、各それぞれのＳＴＡ５０６Ａ〜Ｄに関連付けられたチャネルの識別およびチャネルの帯域幅、レガシーＳＴＡが１次チャネルを介した送信を遅らせるべき時間の時間期間、各それぞれのＳＴＡ５０６Ａ〜Ｄにメッセージを送信するときにＡＰ５０４によって使用されることになる送信モード（たとえば、コーディングモード、パイロットロケーションモードなど）に関する追加の指示、ならびに／または任意の他の物理レイヤ送信パラメータを含む。新しいＰＨＹレイヤプリアンブルが上述の情報のいずれも含まない場合、そのような情報は、ＳＴＡ５０６Ａ〜Ｄに以前送信されたＭＡＣメッセージに含まれ得る。
【００８５】
[00106]チャネル帯域幅は、各ＳＴＡ５０６Ａ〜Ｄで同じこと、または異なることがある。たとえば、図５Ｄに示されるように、ＳＴＡ５０６Ａ〜Ｄは別個のチャネル５２０．５２２、５２４、または５２６を割り当てられ、各チャネルが同じ帯域幅を有する。別の例として、図５Ｅに示されるように、ＳＴＡ５０６Ａおよび５０６Ｃは別個のチャネル５２２または５２６を割り当てられ、この場合各チャネルが同じ帯域幅を有し、および、この場合帯域幅が図５Ｄの場合の帯域幅の２倍である。別の例として、図示されていないが、ＳＴＡ５０６Ａおよび５０６Ｃは別個のチャネル５２２または５２６を割り当てられ、この場合チャネル５２２の帯域幅がチャネル５２６の帯域幅とは異なる（たとえば、チャネル５２２の帯域幅がチャネル５２６の帯域幅の２倍である）。
【００８６】
[00107]図５Ｄ〜図５Ｅに示されるように、ＰＨＹレイヤプリアンブル５２８はＡＰ５０４によってチャネル５２０、５２２、５２４、および５２６を介して送信される。いくつかの実施形態では、ＰＨＹレイヤプリアンブル５２８は、各チャネル上のすべてのＳＴＡ５０６Ａ〜Ｄに関する情報を含む。これは、ＳＴＡ５０６Ａ〜Ｄがチャネルのうちのいずれかでリッスンし、チャネル割振り情報を受信することを可能にし得る。他の実施形態では、ＰＨＹレイヤプリアンブル５２８は、異なるチャネルにおける異なるＳＴＡ５０６Ａ〜Ｄに関する情報を含む。ここでは、ＳＴＡ５０６Ａ〜Ｄは、追加のＭＡＣメッセージを介してＳＴＡ５０６Ａ〜Ｄがリッスンすべきチャネルを事前に通知され得る。ＳＴＡ５０６Ａ〜Ｄの各々は、別個のチャネル上でメッセージを対象にリッスンすることができる。このようにして、ＳＴＡ５０６Ａ〜Ｄの各々は、ＰＨＹレイヤプリアンブル５２８を受信することができる。ＰＨＹレイヤプリアンブル５２８を受信した後、ＳＴＡ５０６Ａ〜ＤはＤＬ通信５１０、５１２、５１４、または５１６を受信することができる。ＳＴＡ５０６Ａ〜Ｄは、ＡＰ５０４からＤＬ通信を正しく受信するように、および／またはＡＰ５０４にＵＬ通信を正しく送信するように、ＰＨＹレイヤプリアンブル５２８において提供された情報を使用することができる。したがって、ＡＰ５０４は、新しいＰＨＹレイヤプリアンブル５２８を使用して複数のＳＴＡ５０６Ａ〜Ｄに複数のチャネルを介してデータを送信することが可能であり得る。送信は各チャネル上で同じ時間期間または異なる時間期間を有し得ることに留意されたい。
【００８７】
[00108]図５Ｆ〜図５Ｇは、本開示の態様が採用され得る別のタイミング図を示す。特に、図５Ｄ〜図５Ｅは、通常のＩＥＥＥ８０２．１１プロトコルにおける既存のＰＨＹレイヤおよび新しいＰＨＹレイヤプリアンブルに従って使用され得るタイミング図を示す。
【００８８】
[00109]図５Ｂ〜図５Ｃに関して上述されたように、１次チャネル（たとえば、チャネル５２６）ならびに／または２次チャネルのうちの１つもしくは複数（たとえば、チャネル５２０、５２２、および／もしくは５２４）がレガシーＳＴＡ（たとえば、ＳＴＡ５０６Ｅ）に送信に使用されることがあり、２次チャネルが高効率ＳＴＡ（たとえば、ＳＴＡ５０６Ａ〜Ｄ）に送信に使用されることがある。新しいＰＨＹレイヤプリアンブル５２８は高効率ＳＴＡと適合するので、ＰＨＹレイヤプリアンブル５２８は、図５Ｆ〜図５Ｇに示されるように、高効率ＳＴＡのみがＰＨＹレイヤプリアンブル５２８を受信するように２次チャネルを介して送信され得る。
【００８９】
[00110]一実施形態では、上述されたように、チャネル帯域幅の各々は同じサイズまたは異なるサイズであり得る。一実施形態では、チャネル５２０、５２２、５２４、および／または５２６は、隣接していること、または隣接していないことがある。いくつかの実施形態では、１次チャネルは常に使用され、少なくとも１つのＳＴＡ５０６Ａ〜Ｅに関連付けられる。他の実施形態では、１次チャネルは使用されず、またはＳＴＡ５０６Ａ〜Ｅのうちのいずれにも関連付けられない。
【００９０】
[00111]したがって、既存のＰＨＹレイヤおよび新しいＰＨＹレイヤプリアンブル５２８の使用は、ＡＰ５０４が同時にまたはほぼ同時にレガシーＳＴＡおよび高効率ＳＴＡに送信を多重化することを可能にする。新しいＭＡＣ機構は、適切なチャネル上でメッセージを対象にリッスンするようにＳＴＡ５０６Ａ〜Ｅに正しく命令するように必要ではないことがあるが、新しいＭＡＣ機構は、既存のＰＨＹレイヤおよび新しいＰＨＹレイヤプリアンブル５２８と関連して使用されることがある。
【００９１】
[00112]一実施形態では、１次チャネル上の（レガシー）送信はＭＡＣメッセージを含むこと、またはＭＡＣメッセージに先行されることがあり、この場合にＭＡＣメッセージは、２次チャネルのうちの１つまたは複数における追加の高効率送信の存在の指示を含む。これは、高効率ＳＴＡが１次チャネルのみをリッスンし、高効率ＳＴＡのうちの１つまたは複数にアドレス指定され得る２次チャネル上の追加パケットの存在を通知されることを可能にし得る。次いで高効率ＳＴＡは、第２のチャネルに切り替え、プリアンブルを検出することができ、この場合にプリアンブルは、送信を復号するための追加情報を含む。
送信開始のタイミング
[00113]一実施形態では、送信の開始のタイミングは、ランダムバックオフカウンタに基づくルールならびにＡＰ５０４および／またはＳＴＡ５０６Ａ〜Ｅによって設定されたポイント協調機能インターフレームスペース（ＰＩＦＳ：point coordination function inter frame space）および／またはスケジュールに基づき得る。
【００９２】
[00114]図６Ａ〜図６Ｂは、本開示の態様が採用され得る別のタイミング図を示す。上述されたように、１次チャネル（たとえば、チャネル５２６）ならびに／または２次チャネルのうちの１つもしくは複数（たとえば、チャネル５２０、５２２、および／もしくは５２４）がレガシーＳＴＡに送信に使用されることがあり、２次チャネルが高効率ＳＴＡに送信に使用されることがある。チャネル５２０、５２２、５２４、および／または５２６は、隣接していること、または隣接していないことがある。一実施形態では、ＩＥＥＥ８０２．１１の拡張分散チャネルアクセス（ＥＤＣＡ）手順によって定義されるように、１次チャネルにランダムバックオフカウンタが関連付けられ得る。ランダムバックオフカウンタが終了したとき、ＡＰ５０４は、ＤＬ通信５１８をＳＴＡ５０６Ｅに送信する準備を始めることができる。チャネル５２０が、ランダムバックオフカウンタが終了した時間の前の時間期間６０２からアイドル状態であった場合、ＡＰ５０４は、ＳＴＡ５０６Ｅに送信と同時またはほぼ同時にＳＴＡ５０６ＣにＰＨＹレイヤプリアンブル５２８および／またはＤＬ通信５１４を送信することができる。同様に、チャネル５２２が、ランダムバックオフカウンタが終了した時間の前の時間期間６０２からアイドル状態であった場合、ＡＰ５０４は、ＳＴＡ５０６Ｅに送信と同時またはほぼ同時にＳＴＡ５０６ＢにＰＨＹレイヤプリアンブル５２８および／またはＤＬ通信５１２を送信することができる。さらに、チャネル５２４が、ランダムバックオフカウンタが終了した時間の前の時間期間６０２からアイドル状態であった場合、ＡＰ５０４は、ＳＴＡ５０６Ｅに送信と同時またはほぼ同時にＳＴＡ５０６ＡにＰＨＹレイヤプリアンブル５２８および／またはＤＬ通信５１０を送信することができる。
【００９３】
[00115]したがって、ランダムバックオフカウンタが終了すると、１次チャネルを介して少なくとも１つの送信が行われる。同時に、２次チャネルのうちの１つまたは複数を介して、２次チャネルがアイドル状態である場合に送信が行われ得る。一実施形態では、時間期間６０２はＰＩＦＳ時間に基づき得る。ＰＩＦＳ時間は、ＡＰ５０４および／またはＳＴＡ５０６Ａ〜Ｅによって選択され得る。
【００９４】
[00116]図６Ｃ〜図６Ｄは、本開示の態様が採用され得る別のタイミング図を示す。上述されたように、１次チャネル（たとえば、チャネル５２６）はレガシーＳＴＡ用に確保されることがあり、２次チャネル（たとえば、チャネル５２０、５２２、および５２４）は高効率ＳＴＡ用に確保されることがある。チャネル５２０、５２２、５２４、および／または５２６は、隣接していること、または隣接していないことがある。一実施形態では、１次チャネルにランダムバックオフカウンタが関連付けられることがあり、２次チャネルのうちの１つまたは複数に１つまたは複数のランダムバックオフカウンタが関連付けられることがある。たとえば、２次チャネルの各々に別個のランダムバックオフカウンタが関連付けられることがある。
【００９５】
[00117]一実施形態では、１次チャネルまたは２次チャネルのうちの１つに関連付けられたランダムバックオフカウンタが終了したとき、ＡＰ５０４は、終了したランダムバックオフカウンタに関連付けられたチャネル上で（たとえば、ＰＨＹレイヤプリアンブル５２８またはＤＬ通信５１０、５１２、５１４もしくは５１８を）送信する準備を始める。
たとえば、チャネル５２４に関連付けられたランダムバックオフカウンタが最初に終了した場合、ＡＰ５０４は、ＳＴＡ５０６ＡにＰＨＹ５２８および／またはＤＬ通信５１０を送信する準備を始め得る。終了していないランダムバックオフカウンタに関連付けられたチャネルのうちのいずれかが、第１のランダムバックオフカウンタが終了した時間の前の時間期間６０２からアイドル状態であった場合、ＡＰ５０４は、アイドルチャネルに関連付けられたＳＴＡ５０６Ａ〜ＥにＰＨＹレイヤプリアンブル５２８および／または適切なＤＬ通信を送信することができる。ＰＨＹレイヤプリアンブル５２８および／または適切なＤＬ通信は、最初に終了したランダムバックオフカウンタに関連付けられたＳＴＡ５０６Ａ〜Ｅに送信と同時またはほぼ同時に送信され得る。
【００９６】
[00118]別の実施形態では、チャネルにアクセスは、１次チャネル上のランダムバックオフカウンタの終了にのみ基づき得る。２次チャネルは、対応する２次チャネル上のランダムバックオフカウンタがすでに終了している場合のみ使用され得る。この場合、２次チャネル上のランダムバックオフカウンタの終了が送信をトリガしないことがあることに留意されたい。むしろ、２次チャネル上のランダムバックオフカウンタの終了は、１次チャネル上のランダムバックオフカウンタも終了すると、送信をトリガする可能にし得る。このようにして、２次チャネルにアクセスする際のより厳しい公平性が実現され得る。
【００９７】
[00119]したがって、１つのランダムバックオフカウンタが終了すると、終了したランダムバックオフカウンタに関連付けられたチャネルを介して少なくとも１つの送信が行われる。同時に、他のチャネルのうちの１つまたは複数を介して、それらのチャネルのうちのいずれかがアイドル状態である場合に送信が行われ得る。
【００９８】
[00120]別の実施形態では、ＡＰ５０４は、２次チャネルのうちの１つを高効率１次チャネルに指定することができる。たとえば、チャネル５２４が高効率１次チャネルに指定され得る。高効率１次チャネルは、（たとえば、１次チャネルと同様に）ランダムバックオフカウンタに関連付けられ得る。高効率１次チャネルに関連付けられたランダムバックオフカウンタが終了したとき、ＡＰ５０４は高効率１次チャネル上で送信することができる。いくつかの実施形態では、他の２次チャネルが、ランダムバックオフカウンタが終了した時間の前のＰＩＦＳタイミングに基づく時間期間からアイドル状態であった場合、ＡＰ５０４は、他の２次チャネル上で同時に送信することができる。他の実施形態では、他の２次チャネルが、ランダムバックオフカウンタが終了した時間の前のアービトレーションフレーム間間隔（ＡＩＦＳ：arbitration inter frame spacing）タイミングに基づく時間期間からアイドル状態であった場合、ＡＰ５０４は、他の２次チャネル上で同時に送信することができる。さらに他の実施形態では、他の２次チャネルが、ランダムバックオフカウンタが終了した時間の前のＡＩＦＳタイミングに基づく時間期間からアイドル状態であった場合に、それぞれの２次チャネルに関連付けられたランダムバックオフカウンタの少なくとも一部分が終了している場合、ＡＰ５０４は、他の２次チャネル上で同時に送信することができる。たとえば、チャネル５２０が、チャネル５２４に関連付けられたランダムバックオフカウンタが終了した時間の前のＡＩＦＳタイミングに基づく時間期間からアイドル状態であった場合で、チャネル５２０に関連付けられたランダムバックオフカウンタが終了している場合、ＡＰ５０４は、チャネル５２０上で同時に送信することができる。
【００９９】
[00121]上述されたモードのうちのいずれかにおいて、異なるチャネルにおけるバックオフ手順は、異なるカウントダウンパラメータに従い得る。たとえば、各バックオフ手順は、チャネル上で配信されることになるトラフィックのアクセスカテゴリーに依存し得る。各チャネルにおけるバックオフ手順は、ＩＥＥＥ８０２．１１において定義されたＥＤＣＡ手順に従い得る。
ＳＴＡによるパケットの検出
[00122]高効率ＳＴＡは、着信送信が高効率構成要素（ＯＦＤＭＡ）を備えており、高効率ＳＴＡに向けられた情報を含み得ると決定することが可能であり得る。上述されたように、レガシーＳＴＡは、１次チャネル（レガシー１次チャネルとも呼ばれる）上でＡＰ５０４からのパケットを対象にリッスンすることができる。一実施形態では、高効率ＳＴＡは、ＡＰ５０４からのパケットを対象にリッスンするようにチャネル（たとえば、２次チャネル）に割り当てられる。別の実施形態では、高効率ＳＴＡは、ＡＰ５０４によって使用される各チャネル（たとえば、ＢＳＳにおいて使用される各チャネル）上でパケットを検出する。さらに別の実施形態では、ＡＰ５０４は、１つまたは複数の高効率１次チャネルを定義する。一実施形態では、各高効率ＳＴＡは、レガシー１次チャネル上および高効率１次チャネル上でパケットを検出し得る。別の実施形態では、各高効率ＳＴＡは、高効率１次チャネルのうちの１つまたは複数でパケットを検出し得る。別の実施形態では、各高効率ＳＴＡは、レガシー１次チャネルのみでパケットを検出し得る。上記の実施形態のうちのいずれかにおいて、着信高効率送信の検出は、メッセージの受信に基づき得る。
たとえば、着信高効率送信の検出は、現在のチャネルおよび／または他のチャネル上での高効率送信に関する情報を含む新しいＰＨＹレイヤプリアンブル５２８（たとえば、高効率ＰＨＹレイヤプリアンブル）を伴うＰＰＤＵの受信に基づき得る。別の例として、着信高効率送信の検出は、本明細書で説明されるように、ＭＡＣメッセージおよび／または対応するパラメータの後の決定された時間に始まる高効率送信を通知し得る（たとえば、レガシーＰＰＤＵまたは高効率ＰＰＤＵのいずれかにおいて送られる）ＭＡＣメッセージの受信に基づき得る。別の例として、着信高効率送信の検出は、２次チャネル上の高効率送信の存在も識別するレガシーＰＨＹレイヤプリアンブルの、プリアンブルのレガシー特性を損なわないＳＴＦフィールド、ＬＴＦフィールド、および／またはＳＩＧフィールドにおけるシグナリングを介した受信に基づき得る。
【０１００】
[00123]他の実施形態では、ＳＴＡがＡＰ５０４からのパケットを予想すべき時間を定義するようにスケジューリング機構が使用される。たとえば、１つのスケジューリング機構は、ＩＥＥＥ８０２．１１ａｈプロトコルにおいて定義されるターゲット起動時間（ＴＷＴ：target wakeup time）タイミングに基づき得る。ＴＷＴタイミングは、ＳＴＡが起動するようにスケジュールされる時間であり得る。別の例として、別のスケジューリング機構は、ＩＥＥＥ８０２．１１ａｈプロトコルにおいて定義される制限付きアクセスウィンドウ（ＲＡＷ：restricted access window）タイミングに基づき得る。ＲＡＷタイミングは、媒体にアクセスがＳＴＡのグループに制限される時間間隔であり得る。ＡＰ５０４は、スケジュールされた時間をセットアップするように使用される管理メッセージ（たとえば、ＲＡＷのためのＲＰＳ情報要素、ＴＷＴのためのＴＷＴセットアップメッセージなど）に、ＳＴＡの利益のためのチャネル割振りの指示をさらに含めることができる。別の実施形態では、そのようなメッセージにおいてＡＰ５０４によって示される割振りは、ＳＴＡによってＡＰ５０４に送信された、特定のチャネルの使用または単にチャネルの割振りを要求するメッセージに応答したものであり得る。メッセージは、管理フレーム中に含まれ得る。
【０１０１】
[00124]ＡＰ５０４からの送信は、ＴＷＴタイミングまたはＲＡＷタイミングに従ってスケジュールされた時間に開始することができる。一実施形態では、本明細書で説明されるように、チャネルが適切な時間量にアイドル状態であったかどうかを決定するように、ランダムバックオフカウンタ、ＰＩＦＳタイミング、および／またはＡＩＦＳタイミングが使用され得る。ＴＷＴタイミングまたはＲＡＷタイミングに基づいて送信時間をスケジュールする利益は、ＡＰ５０４がその場合に、ＳＴＡ５０６Ａ〜Ｅがいつ起動するかを知ることであり得る。別の実施形態では、ＡＰ５０４は、ランダムバックオフカウンタ、ＰＩＦＳタイミング、および／またはＡＩＦＳタイミングを使用しないことがある。さらに別の実施形態では、ＡＰ５０４は、２次チャネル上でＰＩＦＳタイミングおよび／またはＡＩＦＳタイミングを使用しないことがある。
チャネル割振り
[00125]図７は、本開示の態様が採用され得る別のタイミング図を示す。図７に示されるように、ＡＰ５０４はチャネル割振りメッセージ７０２、７０４、７０６、および７０８を、それぞれチャネル５２０、５２２、５２４、および５２６の各々で送信する。チャネル割振りメッセージ７０２、７０４、７０６、および７０８は、どのチャネルがどのＳＴＡに割り振られるかに関する情報をＳＴＡ５０６Ａ〜Ｅに提供することができる。いくつかの実施形態では、チャネル割振りメッセージ７０２、７０４、７０６、および／または７０８は、上述されたＭＡＣメッセージであり得る。
【０１０２】
[00126]ＭＡＣメッセージは、以下の情報のうちの１つまたは複数を含むことができる。サードパーティＳＴＡの繰延時間、アドレスのリストもしくはＡＰ５０４によって事前に定義されたグループ識別子の形式による、ＤＬ−ＦＤＭＡの受信側であるＳＴＡの識別子、および／または使用されるチャネルおよび帯域幅の指示。ＭＡＣメッセージは、以下で説明されるようにＵＬ−ＦＤＭＡを使用することによって確認応答を送るのに必要とされる情報を含むこともできる。そのような情報は、ＳＴＡによって早期に示され得る、使用される電力の指示および／またはＳＴＡの名目送信電力からのバックオフの指示を含むことができる。そのような情報が基準信号において伝えられない場合、ＡＰ５０４およびＳＴＡは、各ＳＴＡとＡＰ５０４との間の管理メッセージの交換を通して事前にそのような情報に同意することができる。
【０１０３】
[00127]ＭＡＣメッセージは、通常の送信可（ＣＴＳ）メッセージまたは拡張ＣＴＳメッセージであり得る。拡張ＣＴＳメッセージは、これが特殊なＣＴＳメッセージであることを示すために、タイプ制御のフレームにおいて使用されないビットの組合せを確保することができる。本明細書で使用される「特殊な」という用語は、ＣＴＳメッセージが追加情報を含むことを意味し得るが、レガシーＳＴＡは依然として、ＣＴＳメッセージをレガシーＣＴＳメッセージまたは通常のＣＴＳメッセージと解釈することが可能であり得る。
たとえば、特殊なＣＴＳメッセージは、ＨＴＣフィールドの存在を示すために制御ラッパーフレームを使用することができる。ＨＴＣフィールドは、ターゲットＳＴＡの識別子を埋め込むために使用され得る４バイトを提供することができる。別の例として、特殊なＣＴＳメッセージは、ＦＣＳフィールドの後に追加情報を含むことができる。
【０１０４】
[00128]一実施形態では、ＭＡＣメッセージは、データ送信の開始前に、ショートフレーム間スペース（ＳＩＦＳ：short inter frame space）、ＰＩＦＳまたはＡＩＦＳの時間に送信され得る。別の実施形態では、ＭＡＣメッセージは、ＳＩＦＳ、ＰＩＦＳまたはＡＩＦＳよりも長い時間に送信されることがあり、この時間は、ＳＴＡがチャネルの切替えを終えることを可能にする時間であり得る。時間はＳＴＡによってＡＰ５０４に通信され得る。ＡＰ５０４は、予定受信側ＳＴＡによって受信された時間のうちで最も長い時間を使用することができる。時間がＰＩＦＳよりも長い場合、ＡＰ５０４は、送信のデータ部分を送る前に、新しいバックオフ手順を実行することができる。
【０１０５】
[00129]一実施形態では、新しいＰＨＹレイヤプリアンブル５２８が利用可能である場合、ＰＨＹレイヤプリアンブル５２８は、グループのＳＴＡのチャネル割振りに対応するグループ識別フィールドを含む。
【０１０６】
[00130]一実施形態では、チャネルは事前に割り振られること、ＳＴＡ５０６Ａ〜Ｅによって選択されること、および／またはＡＰ５０６Ａ〜Ｅによって選択されることがあり、チャネル割振りメッセージ７０２、７０４、７０６および／または７０８を介して明示的に通知されることがある。メッセージは、データ送信の前に送られる管理フレームまたは制御フレームによって伝えられ得る（たとえば、これらのフレームは、上述されたようにＳＩＦＳまたはＰＩＦＳに基づいて送信されないことがある）。チャネルが事前に割り振られる場合、またＳＴＡの数がしきい値を上回り、ＳＴＡからのトラフィック要求が類似する場合、ランダム静的割振り（random static allocation）が使用され得る（たとえば、各ＳＴＡはチャネルに半静的に割り振られる）。ＡＰ５０４はＳＴＡ５０６Ａ〜Ｅに、（たとえば、チャネル割振りメッセージ７０２、７０４、７０６、および／または７０８を介して）どの局がどのチャネルに割り振られるかを示すことができる。チャネルがＳＴＡ５０６Ａ〜Ｅによって選択される場合、ＳＴＡ５０６Ａ〜Ｅは、それぞれのＳＴＡ５０６Ａ〜Ｅによって選好されるチャネルを選択し、そのチャネル上で待機することができる。ＳＴＡ５０６Ａ〜Ｅは明示的または暗黙的に（たとえば、任意の送信を介して）ＡＰ５０４に、それぞれのチャネル上にそれらが存在することを通知することができる。割振りが明示的に通知される場合、チャネル割振りメッセージ７０２、７０４、７０６、および／または７０８は、チャネルの各々または１次チャネルだけで送られ得る。ＳＴＡ５０６Ａ〜Ｅは１つのチャネル上でリッスンし、ＡＰ５０４からＤＬ通信を受信するように別のチャネルに切り替える必要があり得るので、ＡＰ５０４は、ＳＴＡ５０６Ａ〜Ｅが適切なチャネルに切り替えるのを可能にするように、チャネル割振りメッセージ７０２、７０４、７０６、および／または７０８の送信後、ある時間期間の間、ＤＬ通信５１０、５１２、５１４、および／または５１８を送るのを遅らせることができる。ＳＴＡ５０６Ａ〜ＥがＡＰ５０４にそれらの存在を暗黙的に通知する場合、ＡＰ５０４は、通常の動作のためにＳＴＡ５０６Ａ〜Ｅによって送信された任意のデータ、制御フレームおよび／または管理フレームの受信に基づいて、ＳＴＡ５０６Ａ〜Ｅのロケーションについて知り得る。
言い換えれば、データ、制御フレームおよび／または管理フレームは必ずしも、チャネル指示のために指定されるとは限らない。
保護段階
[00131]一実施形態では、所与のチャネルが空いていることを確認するように、ＡＰ５０４およびＳＴＡ５０６Ａ〜Ｅによって送信要求（ＲＴＳ）メッセージおよびＣＴＳメッセージが使用される。図８Ａ〜図８Ｃは、本開示の態様が採用され得る別のタイミング図を示す。特に、図８Ａ〜図８Ｃは、ＲＴＳメッセージおよびＣＴＳメッセージの使用を示す。
【０１０７】
[00132]一実施形態では、ＡＰ５０４は、１次チャネル（たとえば、チャネル５２６）においてバックオフ手順を実行し、バックオフが終了すると、ＡＰ５０４は、（たとえば、上述されたようにＰＩＦＳタイミングを使用して）チャネル５２０、５２２、５２４、および／または５２６がアイドル状態であるかどうかを決定する。チャネルがアイドル状態である場合、ＡＰ５０４は、アイドルチャネルに関連付けられたＳＴＡ５０６Ａ〜Ｅに、アイドルチャネル上でＲＴＳメッセージ８０２を送信することができる。一実施形態では、ＲＴＳメッセージ８０２は、単一のＳＴＡ５０６Ａ〜Ｅに向けられ、（たとえば、ＩＥＥＥ８０２．１１ａｃの場合のように）送信チャネル全体で複製されるだけであり得る。この場合、受信側ＳＴＡ５０６Ａ〜Ｅは、１次チャネルおよび／または２次チャネルのうちの１つもしくは複数でＣＴＳメッセージにより応答することができる。次いで高効率データ送信がＣＴＳメッセージに後続し得る。いくつかの実施形態では、チャネル上で送信される各ＲＴＳメッセージ８０２は、異なるＳＴＡ５０６Ａ〜Ｅにアドレス指定され得る。特に、ＲＴＳメッセージ８０２は、そのチャネル上で後続することになるデータ送信の予定受信側であるＳＴＡ５０６Ａ〜Ｅにアドレス指定され得る。この場合、ＳＴＡ５０６Ａ〜Ｅは、事前にチャネルにすでに割り振られていることがある。他の実施形態では、チャネル上で送信される各ＲＴＳメッセージ８０２はまったく同じ、またはほぼまったく同じであり得る。たとえば、図８Ａに示されているように、ＡＰ５０４は、チャネル５２０がアイドル状態である場合にチャネル５２０上でＳＴＡ５０６ＣにＲＴＳメッセージ８０２Ａ、チャネル５２２がアイドル状態である場合にチャネル５２２上でＳＴＡ５０６ＢにＲＴＳメッセージ８０２Ｂ、チャネル５２４がアイドル状態である場合にチャネル５２４上でＳＴＡ５０６ＡにＲＴＳメッセージ８０２Ｃ、および／またはチャネル５２６がアイドル状態である場合にチャネル５２６上でＳＴＡ５０６ＥにＲＴＳメッセージ８０２Ｄを送信する。ＳＴＡ５０６Ａ〜ＥがそれぞれのＳＴＡ５０６Ａ〜Ｅに割り振られたチャネル上でメッセージを検出することが可能なだけである場合に、ＡＰ５０４は複数のＲＴＳメッセージを送信することができる。
【０１０８】
[00133]代替として、図８Ｂに示されるように１次チャネルのみ（たとえば、チャネル５２６）でＡＰ５０４によってＲＴＳメッセージ８０２Ｅが送信され得る。ＳＴＡ８０６Ａ〜Ｅが１次チャネル上でメッセージを検出することが可能である場合に、ＡＰ５０４はＲＴＳメッセージ８０２Ｅを送信することができる。ＲＴＳメッセージ８０２Ｅは、ＳＴＡ５０６Ａ〜Ｅなど、ＤＬ周波数分割多元接続（ＦＤＭＡ）に関与しているＳＴＡのグループにアドレス指定され得る。ＳＴＡのグループは、ＳＴＡのあるグループに以前割り当てられたマルチキャストＭＡＣ受信側アドレスによって識別されること、および／またはＲＴＳメッセージ８０２に追加された追加シグナリングによって識別されることがある。
マルチキャストアドレスをＳＴＡのあるグループに関連付けるための管理交換が行われていることがある。一実施形態では、ＲＴＳメッセージ８０２は、ＩＥＥＥ８０２．１１仕様と同じフォーマットを有し得る。別の実施形態では、ＲＴＳメッセージ８０２は、上述されたようにＭＡＣメッセージに含まれ得る情報のうちの１つまたは複数を含む新しい制御および／または管理フレームフォーマットを有し得る。
【０１０９】
[00134]ＳＴＡ５０６Ａ〜ＥがＡＰ５０４からパケットを受け入れることに対応可能である場合、ＳＴＡ５０６Ａ〜ＥはＣＴＳメッセージ８０４によりＲＴＳメッセージ８０２に応答することができる。ＳＴＡ５０６Ａ〜Ｅは利用可能なチャネル（たとえば、ＡＰ５０４がＤＬ通信を送信するように使用することをＳＴＡ５０６Ａ〜Ｅが希望または予想するチャネル、ＲＴＳメッセージ８０２において示されたチャネル、事前にＡＰ５０４および／またはＳＴＡ５０６Ａ〜Ｅによって知られているチャネルなど）上でＲＴＳメッセージ８０２に応答することができる。たとえば、ＳＴＡ５０６Ｃがチャネル５２０に割り振られ、ＳＴＡ５０６Ｃが対応可能である場合にチャネル５２０上でＡＰ５０４にＣＴＳ８０４Ａを送信することがある。同様に、ＳＴＡ５０６Ｂがチャネル５２２に割り振られ、ＳＴＡ５０６Ｂが対応可能である場合にチャネル５２２上でＡＰ５０４にＣＴＳ８０４Ｂを送信すること、ＳＴＡ５０６Ａがチャネル５２４に割り振られ、ＳＴＡ５０６Ｃが対応可能である場合にチャネル５２４上でＡＰ５０４にＣＴＳ８０４Ｃを送信すること、および／またはＳＴＡ５０６Ｅがチャネル５２６に割り振られ、ＳＴＡ５０６Ｅが対応可能である場合にチャネル５２６上でＡＰ５０４にＣＴＳ８０４Ｄを送信することがある。
【０１１０】
[00135]一実施形態では、図８Ａ〜図８Ｂに示されるように、（たとえば、ＡＰ５０４および／またはＳＴＡ５０６Ａ〜ＥがＵＬ  ＦＤＭＡまたはＵＬ空間分割多元接続（ＳＤＭＡ）をサポートする場合に）ＣＴＳメッセージ８０４Ａ〜Ｄは同時にＡＰ５０４に送信され得る。別の実施形態では、図８Ｃに示されるように、（たとえば、ＡＰ５０４および／またはＳＴＡ５０６Ａ〜ＥがＵＬ  ＦＤＭＡまたはＵＬ  ＳＤＭＡをサポートしない場合に）ＣＴＳメッセージ８０４Ａ〜Ｄが同時に送信されないようにＣＴＳメッセージ８０４Ａ〜Ｄは時差方式でＡＰ５０４に送信され得る。ＣＴＳメッセージ８０４Ａ〜Ｄは、ＲＴＳメッセージ８０２Ａ〜Ｄにおいて提供されたスケジュールに基づいて、および／または以前のメッセージおいて提供されたスケジュールに基づいて送信され得る。
【０１１１】
[00136]ＤＬ通信５１０、５１２、５１４、および／または５１８はＡＰ５０４によって、ＣＴＳメッセージがそれぞれのチャネル上で受信された場合のみ送信され得る。一実施形態では、ランダムバックオフカウンタが終了すると、ＡＰ５０４は、１次チャネルで、および／または２次チャネルのうちの１つもしくは複数で（たとえば、ＰＩＦＳ時間の間にアイドル状態であることが検出された２次チャネルで）ＣＴＳメッセージを送り、ＣＴＳメッセージに続いて高効率ＤＬ−ＯＦＤＭＡ送信を行うことができる。ＣＴＳメッセージは、（たとえば、送信側ＡＰ５０４のＭＡＣアドレスを含む）ＣＴＳ自己宛メッセージ（CTS-to-self message）であること、または１つもしくは複数のＳＴＡにアドレス指定されることがある。ＣＴＳメッセージは、複数のチャネルにわたって同一であること、またはチャネル間で異なる（たとえば、異なるＭＡＣアドレスを有する）ことがある。ＣＴＳメッセージは、１次チャネル上で送られることがあり、高効率送信の開始を識別する情報を含み得る。情報は、フレームのレガシーフォーマットを損なわないフォーマットによる（たとえば、ＰＨＹレイヤプリアンブルまたはＭＡＣペイロードのいずれかによる）ものであり得る。
確認応答段階
[00137]一実施形態では、パケットの時間期間に制限が課され得る。いくつかの実施形態では、ＡＰ５０４による送信は異なる長さを有する。他の実施形態では、ＡＰ５０４による送信は同じ長さを有する。
【０１１２】
[00138]ＤＬ通信５１０、５１２、５１４、および／または５１８に続いて、ＳＴＡ５０６Ａ〜Ｅは、ＤＬ通信が受信されたことについて確認応答するブロック確認応答（ＢＡ）により応答することができる。ＳＴＡ５０６Ａ〜Ｅは、それら自体の意志でＢＡにより応答すること、またはＡＰ５０４によって（たとえば、ブロック確認応答要求（ＢＡＲ）を介して）応答を促されることがある。
【０１１３】
[00139]図９Ａ〜図９Ｅは、本開示の態様が採用され得る別のタイミング図を示す。特に、図９Ａ〜図９Ｅは、本明細書で説明されるＢＡおよびＢＡＲの使用を示す。一実施形態では、ＡＰ５０４および／またはＳＴＡ５０６Ａ〜Ｅが同時ＵＬ通信に対処することができない（たとえば、ＵＬ  ＦＤＭＡを使用する動作をしてはいない）場合、ＳＴＡ５０６Ａ〜Ｅのうちの１つは、ＤＬ通信が完了した後直ちにＢＡにより応答する。残りのＳＴＡ５０６Ａ〜Ｅはその場合、ＢＡＲを受信した後にＢＡにより応答する。ＢＡＲは、ＤＬ通信が送信されたチャネル、１次チャネルおよび／または高効率１次チャネル上で送信され得る。
【０１１４】
[00140]たとえば、図９Ａに示されるように、ＳＴＡ５０６Ｃは、ＤＬ通信５１４が完了した後にＢＡ９０４Ａにより応答することができる。ＢＡ９０４ＡがＡＰ５０４に送信された後、ＡＰ５０４は、ＤＬ通信５１２がＳＴＡ５０６Ｂによって受信されたチャネルであるチャネル５２２上で、ＳＴＡ５０６ＢにＢＡＲ９０２Ｂを送信することができる。
ＳＴＡ５０６ＢがＢＡＲ９０２Ｂを受信すると、ＳＴＡ５０６Ｂは、ＢＡ９０４Ｂにより応答することができる。次いでＢＡＲおよびＢＡのサイクルは、残りのＳＴＡ（たとえば、ＳＴＡ５０６ＡおよびＳＴＡ５０６Ｅ）について続く。ＡＰ５０４は、２つ以上のＳＴＡ５０６Ａ〜Ｅが即時確認応答またはＢＡにより応答することのないように、複数のＳＴＡ５０６Ａ〜Ｅに送信されるデータの確認応答ポリシーを設定することができる。即時確認応答要求またはＢＡＲを受信しているＳＴＡ５０６Ａ〜Ｅは、データが受信された同じチャネルおよび／または１次チャネル上で確認応答またはＢＡを送信することができる。
ＡＰ５０４によって他のＳＴＡ５０６Ａ〜Ｅに、１次チャネルで、および／または対応するＳＴＡ５０６Ａ〜Ｅにデータが送信された同じチャネルなどの２次チャネルのうちの１つもしくは複数で、追加のＢＡＲが送られ得る。この場合、ＳＴＡ５０６Ａ〜Ｅは、ＢＡＲが受信された同じチャネル上および／または１次チャネル上で確認応答またはＢＡを送信することができる。
【０１１５】
[00141]一実施形態では、ＡＰ５０４および／またはＳＴＡ５０６Ａ〜Ｅが同時ＵＬ通信に対処することができる（たとえば、ＵＬ  ＦＤＭＡを使用する動作をする）場合、ＳＴＡ５０６Ａ〜Ｅのすべては、ＤＬ通信が完了した後にＢＡにより応答することができる（たとえば、送信の終了は、すべてのＳＴＡ５０６Ａ〜ＥがＢＡを送るトリガである）。
ＢＡは、ＤＬ通信が受信されたチャネルと同じチャネル上で送信され得る。たとえば、図９Ｂに示されるように、ＳＴＡ５０６Ａ〜Ｃおよび５０６Ｅはそれぞれ、ＤＬ通信５１０、５１２、５１４および５１８が完了した直後にＢＡ９０４Ａ〜Ｄにより応答する。ＢＡ９０４Ａ〜Ｄは同時に送信され得る。
【０１１６】
[00142]一実施形態では、ＡＰ５０４は、ＢＡ９０４Ａ〜Ｄの送信をトリガするようにＳＴＡ５０６Ａ〜Ｃおよび５０６ＥにＢＡＲ９０２Ａ〜Ｄを送信する。たとえば、図９Ｃに示されるように、ＢＡＲ９０２Ａ〜Ｄはそれぞれ、同時に別個のチャネル上で送信され得る。ＢＡＲ９０２Ａ〜Ｄは、最長ＤＬ通信（たとえば、図９ＣにおけるＤＬ通信５１２）の送信の終了後に送信され得る。次いで、ＳＴＡ５０６Ａ〜Ｃおよび５０６ＥはＢＡＲ９０２Ａ〜Ｄに、それぞれのＢＡＲ９０２Ａ〜Ｄが受信されたチャネルを使用してＢＡ９０４Ａ〜Ｄにより応答することができる。
【０１１７】
[00143]一実施形態では、ＡＰ５０４は、ＢＡ９０４Ａ〜Ｄの送信をトリガするように、ＳＴＡ５０６Ａ〜Ｃおよび５０６Ｅに単一のＢＡＲ９０２Ｅをブロードキャストする。
単一のＢＡＲ９０２Ｅは１次チャネルを介して送信され得る。たとえば、図９Ｄに示されるように、最長ＤＬ通信であるＤＬ通信５１２の送信の終了後、チャネル５２６上でＡＰ５０４によってＢＡＲ９０２Ｅが送信される。ＢＡＲ９０２ＥはＳＴＡ５０６Ａ〜Ｃおよび５０６Ｅによって受信される。次いでＳＴＡ５０６Ａ〜Ｃおよび５０６Ｅは、ＤＬ通信が受信されたチャネル上でＢＡ９０４Ａ〜Ｄにより応答する。
【０１１８】
[00144]一実施形態では、ＡＰ５０４にＢＡを並行して配信するように、ＵＬマルチユーザ多入力多出力（ＭＵ−ＭＩＭＯ）が使用される。たとえば、図９Ｅに示されるように、ＳＴＡ５０６Ａ〜Ｃおよび５０６Ｅの各々は、同時に同じ周波数（たとえば、１次周波数）でＢＡを送信し得る。そのようなＵＬ通信はＢＡ９０４Ｅとして表され、ＢＡ９０４Ｅは、ＳＴＡ５０６Ａ〜Ｃおよび５０６Ｅの各々によって送信されたＢＡを含む。
【０１１９】
[00145]上記の実施形態のいずれかまたはすべてにおいて、ＢＡＲおよび／またはＢＡがレガシーフォーマットまたは高効率ＰＰＤＵフォーマットで送信していることがあることに留意されたい。ＢＡＲおよび／またはＢＡが高効率ＰＰＤＵフォーマットで送信されるとき、帯域幅は２０ＭＨｚよりも小さくなり得る。異なるＢＡＲおよび／またはＢＡは異なる時間期間を有することがあり、その時間期間は、送信に使用される帯域幅（図示せず）に依存し得る。
使用事例
[00146]一実施形態では、図５Ａ〜図９Ｅに関して本明細書で説明されたＤＬ−ＦＤＭプロトコルは、いくつかのアプリケーションにおいて実装される。たとえば、ＢＳＡはレガシーＳＴＡと高効率ＳＴＡとを含むことができる。ＤＬ−ＦＤＭプロトコルは、通信媒体において、さもなければ使用されない帯域幅を、さもなければ使用されない帯域幅の一部分にＳＴＡのうちの一部を割り当てることによって使用することができる。これは、レガシーＳＴＡおよび／または高効率ＳＴＡが同時に通信することを可能にし得る。これは、ワイヤレスネットワークのＢＳＳ範囲が高レートユーザに制限される場合に有益であり得る。
【０１２０】
[00147]別の例として、ＤＬ−ＦＤＭプロトコルは、異なる電力割振りにより異なる範囲でＳＴＡを多重化することを可能にし得る。たとえば、ＡＰ５０４は、パケットの送信に利用可能な有限の電力量を有し得る。ＳＴＡ５０６ＤおよびＳＴＡ５０６ＥなどのいくつかのＳＴＡは、他のＳＴＡと比較して、ＡＰ５０４から遠く離れて位置することがある。したがって、これらの遠く離れたＳＴＡに送信するには、より多くの電力が必要とされ得る。しかしながら、遠く離れたＳＴＡに送信するように使用される電力は、ＡＰ５０４の近くに位置するＳＴＡ（たとえば、ＳＴＡ５０６Ａ〜Ｃ）に低電力送信を可能にするように若干（たとえば、接続性を損なわないように十分に）低減され得る。ＡＰ５０４が送信用に２０ｄＢの総電力割振りを有する場合、２０ｄＢの代わりに１９ｄＢが、ＳＴＡ５０６Ｅにパケットを送信するように割り振られ得る。残りの１ｄＢは、ＡＰ５０４がＡＰ５０４により近いＳＴＡ５０６Ａ〜Ｃにパケットを送信することもできるように、３つの部分に分割され得る。この機構は、ＳＴＡ５０６ＥからＡＰ５０４に、ＳＴＡ５０６Ｅによって許容され得る電力低減の「余地」の内容を示すシグナリングを必要とし得る。
【０１２１】
[00148]別の例として、ＰＨＹレイヤがトーンインターリーブ型手法を使用する場合に周波数ダイバーシティが実現され得る。周波数ダイバーシティにより、最小干渉協調を必要とする周波数ホッピングシステムが作られる。トーンは、２つ以上のサブセットに分割され得る。第１のＳＴＡは、第１のサブセットにおけるトーンを介してデータを送信および／または受信することができ、第２のＳＴＡは、第２のサブセットにおけるトーンを介してデータを送信および／または受信することができる。第１のサブセットおよび第２のサブセットが重複しない限り、干渉は回避され得る。
フローチャート
[00149]図１０は、高効率ワイヤレス周波数分割多重化のためのプロセス１０００のフローチャートである。一実施形態では、プロセス１０００はＡＰ５０４などのＡＰによって実行され得る。ブロック１００２において、プロセス１０００は、第１のＢＳＳにおける各ワイヤレスデバイスのパフォーマンス特性を決定する。一実施形態では、パフォーマンス特性は、たとえば、ＳＩＮＲ、ＲＦ形状、ＲＳＳＩ、ＭＣＳ値、干渉レベル、信号レベル、送信能力などのような物理的特性および／またはＲＦ特性を含むことができる。
【０１２２】
[00150]ブロック１００４において、プロセス１０００は、パフォーマンス特性に基づいて、第１のＢＳＳにおける各ワイヤレスデバイスをワイヤレスデバイスの第１のサブセットまたはワイヤレスデバイスの第２のサブセットに分類する。ブロック１００６において、プロセス１０００は、１次周波数チャネルを使用してワイヤレスデバイスの第１のサブセットにパケットを送信する。ブロック１００８において、プロセス１０００は、２次周波数チャネルを使用してワイヤレスデバイスの第２のサブセットにパケットを送信する。
【０１２３】
[00151]ブロック１０１０において、プロセス１０００は、ワイヤレスデバイスの第２のサブセットと通信するように２次周波数チャネルが使用されることを示す協調パケットを、第２のＢＳＳにおけるＡＰに送信する。一実施形態では、第２のＢＳＳにおけるＡＰは、協調パケットを受信したことに応答して、１次周波数チャネルを使用して第２のＢＳＳにおけるワイヤレスデバイスの第１のセットにパケットを送信し、３元周波数チャネルを使用して第２のＢＳＳにおけるワイヤレスデバイスの第２のセットにパケットを送信する。ブロック１０１０の後、プロセス１０００は終了する。
【０１２４】
[00152]図１１は、データを送信するためのプロセス１１００のフローチャートである。一実施形態では、プロセス１１００はＡＰ５０４などのＡＰによって実行され得る。ブロック１１０２において、プロセス１１００は第１のパケットを生成する。一実施形態では、第１のパケットは物理レイヤとＭＡＣレイヤとを備える。さらなる実施形態では、ＭＡＣレイヤは、１次周波数チャネルに第１のＳＴＡを、２次周波数チャネルに第２のＳＴＡを割り振る。ブロック１１０４において、プロセス１１００は、第１のＳＴＡおよび第２のＳＴＡに第１のパケットを送信する。ブロック１１０６において、プロセス１１００は、１次周波数チャネルを使用して第１のＳＴＡに第２のパケットを送信する。ブロック１１０８において、プロセス１１００は、２次周波数チャネルを使用して第２のＳＴＡに第３のパケットを送信する。ブロック１１０８の後、プロセス１１００は終了する。
【０１２５】
[00153]図１２は、データを送信するためのプロセス１２００のフローチャートである。一実施形態では、プロセス１２００はＡＰ５０４などのＡＰによって実行され得る。ブロック１２０２において、プロセス１２００は第１のパケットを生成する。一実施形態では、第１のパケットは物理レイヤプリアンブルを備える。さらなる実施形態では、物理レイヤプリアンブルは、１次周波数チャネルに第１のＳＴＡ、および２次周波数チャネルに第２のＳＴＡの割振りを備える。ブロック１２０４において、プロセス１２００は、１次周波数チャネルおよび２次周波数チャネルを介して第１のパケットを送信する。ブロック１２０６において、プロセス１２００は、１次周波数チャネルを使用して第１のＳＴＡに第２のパケットを送信する。一実施形態では、第２のパケットは第１のパケットの後に送信される。ブロック１２０８において、プロセス１２００は、２次周波数チャネルを使用して第２のＳＴＡに第３のパケットを送信する。一実施形態では、第３のパケットは第１のパケットの後に送信される。ブロック１２０８の後、プロセス１２００は終了する。
【０１２６】
[00154]図１３は、データを送信するためのプロセス１３００のフローチャートである。一実施形態では、プロセス１３００はＡＰ５０４などのＡＰによって実行され得る。ブロック１３０２において、プロセス１３００は、１次周波数チャネルを介した第１のＳＴＡに送信用の第１のパケットを生成する。ブロック１３０４において、プロセス１３００は第２のパケットを生成する。一実施形態では、第２のパケットは物理レイヤプリアンブルを備える。さらなる実施形態では、物理レイヤプリアンブルは、２次周波数チャネルに第２のＳＴＡ、および３元周波数チャネルに第３のＳＴＡの割振りを備える。ブロック１３０６において、プロセス１３００は、第１のＳＴＡに１次周波数チャネルを介して第１のパケットを送信する。一実施形態では、第１のＳＴＡは、２次周波数チャネルまたは３元周波数チャネルを介して通信するように構成されていない。ブロック１３０８において、プロセス１３００は、２次周波数チャネルおよび３元周波数チャネルを介して第２のパケットを送信する。
【０１２７】
[00155]ブロック１３１０において、プロセス１３００は、２次周波数チャネルを使用して第２のＳＴＡに第３のパケットを送信する。一実施形態では、第３のパケットは第２のパケットの後に送信される。ブロック１３１２において、プロセス１３００は、３元周波数チャネルを使用して第３のＳＴＡに第４のパケットを送信する。一実施形態では、第４のパケットは第２のパケットの後に送信される。ブロック１３１２の後、プロセス１３００は終了する。
【０１２８】
[00156]図１４は、データを送信するためのプロセス１４００のフローチャートである。一実施形態では、プロセス１４００はＡＰ５０４などのＡＰによって実行され得る。ブロック１４０２において、プロセス１４００は、１次周波数チャネルに関連付けられたランダムバックオフカウンタを動作させる。ブロック１４０４において、プロセス１４００は、ランダムバックオフカウンタが終了した後に１次周波数チャネルを介して第１のデータパケットを送信する。一実施形態では、第１のデータパケットは第１のＳＴＡに送信される。
【０１２９】
[00157]ブロック１４０６において、プロセス１４００は、ランダムバックオフカウンタが終了した後、２次周波数チャネルが、ランダムバックオフカウンタが終了した時間の前のポイント協調機能インターフレームスペース（ＰＩＦＳ）に基づく時間の時間期間にアイドル状態であったかどうかを決定する。ブロック１４０８において、プロセス１４００は、２次周波数チャネルが、ランダムバックオフカウンタが終了した時間の前のＰＩＦＳに基づく時間の時間期間にアイドル状態であった場合に、２次周波数チャネルを介して第２のデータパケットを送信する。一実施形態では、第２のデータパケットは第２の局に送信される。ブロック１４０８の後、プロセス１４００は終了する。
【０１３０】
[00158]図１５は、データを送信するためのプロセス１５００のフローチャートである。一実施形態では、プロセス１５００はＡＰ５０４などのＡＰによって実行され得る。ブロック１５０２において、プロセス１５００は、１次周波数チャネルに関連付けられた第１のランダムバックオフカウンタと２次周波数チャネルに関連付けられた第２のランダムバックオフカウンタとを動作させる。ブロック１５０４において、プロセス１５００は、最初に終了したランダムバックオフカウンタに関連付けられた周波数チャネルを介して第１のデータパケットを送信する。一実施形態では、第１のデータパケットは、第１のランダムバックオフカウンタが第２のランダムバックオフカウンタの前に終了した場合に、１次周波数チャネルを介して第１の局に送信される。さらなる実施形態では、第２のデータパケットは、第２のランダムバックオフカウンタが第１のランダムバックオフカウンタの前に終了した場合に、２次周波数チャネルを介して第２の局に送信される。
【０１３１】
[00159]ブロック１５０６において、プロセス１５００は、第１のランダムバックオフカウンタまたは第２のランダムバックオフカウンタのいずれかが最初に終了した後、終了していないランダムバックオフカウンタに関連付けられた周波数チャネルが、それぞれのランダムバックオフカウンタが終了した時間の前のポイント協調機能インターフレームスペース（ＰＩＦＳ）に基づく時間の時間期間にアイドル状態であったかどうかを決定する。ブロック１５０８において、プロセス１５００は、それぞれの周波数チャネルが、それぞれのランダムバックオフカウンタが終了した時間の前のＰＩＦＳに基づく時間の時間期間にアイドル状態であった場合に、終了していないランダムバックオフカウンタに関連付けられた周波数チャネルを介して第２のデータパケットを送信する。ブロック１５０８の後、プロセス１５００は終了する。
【０１３２】
[00160]図１６は、データを送信するためのプロセス１６００のフローチャートである。一実施形態では、プロセス１６００はＡＰ５０４などのＡＰによって実行され得る。ブロック１６０２において、プロセス１６００は、第１の局および第２の局に送信要求メッセージを送信する。ブロック１６０４において、プロセス１６００は、第１の局または第２の局のうちの少なくとも１つから少なくとも１つの送信可メッセージを受信する。
【０１３３】
[00161]ブロック１６０６において、プロセス１６００は、１次周波数チャネルを介した第１の局からの送信可メッセージの受信に応答して、１次周波数チャネルを介して第１の局に第１のデータパケットを送信する。ブロック１６０８において、プロセス１６００は、２次周波数チャネルを介した第２の局からの送信可メッセージの受信に応答して、２次周波数チャネルを介して第２の局に第２のデータパケットを送信する。ブロック１６０８の後、プロセス１６００は終了する。
【０１３４】
[00162]本明細書で使用される「決定すること」という用語は、多種多様なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。さらに、本明細書で使用される「チャネル幅」は、いくつかの態様では帯域幅を包含することがあり、または帯域幅と呼ばれることもある。
【０１３５】
[00163]本明細書で使用される、項目のリスト「のうちの少なくとも１つ」に言及する句は、単一のメンバーを含む、それらの項目の任意の組合せを指す。一例として、「ａ、ｂ、またはｃのうちの少なくとも１つ」は、ａと、ｂと、ｃと、ａ−ｂと、ａ−ｃと、ｂ−ｃと、ａ−ｂ−ｃとを包含するものとする。
【０１３６】
[00164]上記で説明された方法の様々な動作は、様々なハードウェア構成要素および／もしくはソフトウェア構成要素、回路、ならびに／またはモジュールなどの、動作を実行することが可能な任意の適切な手段によって実行され得る。一般に、図に示される任意の動作は、動作を実行することが可能な対応する機能的手段によって実行され得る。
【０１３７】
[00165]本開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、個別ゲートもしくはトランジスタ論理、個別ハードウェア構成要素、または本明細書で説明される機能を実行するように設計されたそれらの任意の組合せにより実装または実行され得る。汎用プロセッサは、マイクロプロセッサであり得るが、代替的に、プロセッサは、任意の市販のプロセッサ、コントローラ、マイクロコントローラ、または状態機械であり得る。また、プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装され得る。
【０１３８】
[00166]１つまたは複数の態様では、説明された機能は、ハードウェア、ソフトウェア、ファームウェア、またはそれらの任意の組合せで実装され得る。ソフトウェアで実装される場合、機能は、１つまたは複数の命令またはコードとして、コンピュータ可読媒体上に記憶され得るか、またはコンピュータ可読媒体を介して送信され得る。コンピュータ可読媒体は、ある場所から別の場所にコンピュータプログラムの転送を容易にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形態の所望のプログラムコードを搬送もしくは記憶するように使用され得る、コンピュータによってアクセスされ得る、任意の他の媒体を備え得る。また、任意の接続が、適切にコンピュータ可読媒体と呼ばれる。
たとえば、ソフトウェアが、同軸ケーブル、光ファイバケーブル、ツイストペア、デジタル加入者線（ＤＳＬ）、または赤外線、無線、およびマイクロ波などのワイヤレス技術を使用して、ウェブサイト、サーバ、または他の遠隔ソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）と、レーザーディスク（登録商標）（disc）と、光ディスク（disc）と、デジタル多用途ディスク（disc）（ＤＶＤ）と、フロッピー（登録商標）ディスク（disk）と、Ｂｌｕ−ｒａｙ（登録商標）ディスク（disc）とを含み、ディスク（disk）は、通常、データを磁気的に再生し、ディスク（disc）は、データをレーザで光学的に再生する。したがって、いくつかの態様では、コンピュータ可読媒体は、非一時的コンピュータ可読媒体（たとえば有形媒体）を備え得る。さらに、いくつかの態様では、コンピュータ可読媒体は、一時的コンピュータ可読媒体（たとえば、信号）を備え得る。上記の組合せも、コンピュータ可読媒体の範囲内に含まれるものとする。
【０１３９】
[00167]したがって、いくつかの態様は、本明細書で提示される動作を実行するためのコンピュータプログラム製品を備え得る。たとえば、そのようなコンピュータプログラム製品は、本明細書で説明される動作を実行するように１つまたは複数のプロセッサによって実行可能である命令を記憶した（および／または符号化した）コンピュータ可読媒体を備え得る。いくつかの態様では、コンピュータプログラム製品は、パッケージング材料を含み得る。
【０１４０】
[00168]本明細書で開示されている方法は、説明されている方法を達成するための１つまたは複数のステップまたはアクションを備える。方法のステップおよび／またはアクションは、特許請求の範囲から逸脱することなく、互いに入れ替えられ得る。言い換えれば、ステップまたはアクションの特定の順序が明記されていない限り、特定のステップおよび／またはアクションの順序および／または使用は、特許請求の範囲を逸脱することなく修正され得る。
【０１４１】
[00169]ソフトウェアまたは命令は、伝送媒体を介して送信されることもある。たとえば、ソフトウェアが、同軸ケーブル、光ファイバケーブル、ツイストペア、デジタル加入者線（ＤＳＬ）、または赤外線、無線、およびマイクロ波などのワイヤレス技術を使用して、ウェブサイト、サーバ、または他の遠隔ソースから送信される場合、同軸ケーブル、光ファイバケーブル、ツイストペア、ＤＳＬ、または赤外線、無線、およびマイクロ波などのワイヤレス技術が、伝送媒体の定義に含まれる。
【０１４２】
[00170]さらに、本明細書で説明される方法および技法を実行するためのモジュールおよび／または他の適切な手段は、適用可能な場合、ユーザ端末および／または基地局によってダウンロードされ得ること、および／または他の方法で取得され得ることを諒解されたい。たとえば、本明細書で説明される方法を実行するための手段の転送を容易にするように、そのようなデバイスはサーバに結合され得る。代替的に、本明細書で説明される様々な方法は、ユーザ端末および／または基地局が記憶手段をデバイスに結合するかまたは提供すると様々な方法を取得することができるように、記憶手段（たとえば、ＲＡＭ、ＲＯＭ、コンパクトディスク（ＣＤ）またはフロッピーディスクなどの物理記憶媒体など）を介して提供され得る。さらに、本明細書で説明される方法と技法とをデバイスに提供するための任意の他の適切な技法が利用され得る。
【０１４３】
[00171]特許請求の範囲は、上で示された通りの構成および構成要素に限定されないことを理解されたい。上述された方法および装置の配置、動作および詳細には、特許請求の範囲を逸脱することなく、様々な修正、変更および変形が加えられ得る。
【０１４４】
[00172]上記の説明は、本開示の態様を対象としたものであるが、本開示の基本的な範囲を逸脱することなく、本開示の他の態様およびさらなる態様も考案され得、本開示の範囲は、以下の特許請求の範囲によって決定される。
【図１】
2018074595.tif 000003
【図２Ａ】
2018074595.tif 000004
【図２Ｂ】
2018074595.tif 000005
【図３】
2018074595.tif 000006
【図４】
2018074595.tif 000007
【図５Ａ】
2018074595.tif 000008
【図５Ｂ】
2018074595.tif 000009
【図５Ｃ】
2018074595.tif 000010
【図５Ｄ】
2018074595.tif 000011
【図５Ｅ】
2018074595.tif 000012
【図５Ｆ】
2018074595.tif 000013
【図５Ｇ】
2018074595.tif 000014
【図６Ａ】
2018074595.tif 000015
【図６Ｂ】
2018074595.tif 000016
【図６Ｃ】
2018074595.tif 000017
【図６Ｄ】
2018074595.tif 000018
【図７】
2018074595.tif 000019
【図８Ａ】
2018074595.tif 000020
【図８Ｂ】
2018074595.tif 000021
【図８Ｃ】
2018074595.tif 000022
【図９Ａ】
2018074595.tif 000023
【図９Ｂ】
2018074595.tif 000024
【図９Ｃ】
2018074595.tif 000025
【図９Ｄ】
2018074595.tif 000026
【図９Ｅ】
2018074595.tif 000027
【図１０】
2018074595.tif 000028
【図１１】
2018074595.tif 000029
【図１２】
2018074595.tif 000030
【図１３】
2018074595.tif 000031
【図１４】
2018074595.tif 000032
【図１５】
2018074595.tif 000033
【図１６】
2018074595.tif 000034
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
データを送信するための方法であって、
第１のメッセージを生成することと、前記第１のメッセージは、第１の周波数チャネルに第１の局、および第２の周波数チャネルに第２の局の割振りを備え、前記第１のメッセージは、前記第１の局に関連付けられた第１の変調およびコーディング方式（ＭＣＳ）値と、前記第２の局に関連付けられた第２のＭＣＳ値と、を備える物理レイヤプリアンブルを備える、
前記第１の周波数チャネルおよび前記第２の周波数チャネルを介して前記第１のメッセージを送信することと、
前記第１のメッセージの送信後に、前記第１の周波数チャネルを使用して前記第１の局に第２のメッセージを送信することと、
前記第１のメッセージの送信後に、前記第２の周波数チャネルを使用して前記第２の局に第３のメッセージを送信することと、
を備える方法。
【請求項２】
前記物理レイヤプリアンブルは、前記第１の周波数チャネルに前記第１の局を、前記第２の周波数チャネルに前記第２の局を割り振る、請求項１に記載の方法。
【請求項３】
前記第１のメッセージは、前記第１の局のための第１のデータと、前記第２の局のための第２のデータとをさらに備える、請求項２に記載の方法。
【請求項４】
前記物理レイヤプリアンブルは、アクセスポイントが前記第１の局に送信することになる時間の時間期間、前記アクセスポイントが前記第１の局に送信することになるバイトの数、前記アクセスポイントが前記第２の局に送信することになる時間の時間期間、前記アクセスポイントが前記第２の局に送信することになるバイトの数、前記第１の周波数チャネルに関連付けられ、前記第１の局に送信に使用される第１のチャネル帯域幅、前記第２の周波数チャネルに関連付けられ、前記第２の局に送信に使用される第２のチャネル帯域幅、前記第２の周波数チャネルを介して通信するように構成されていない局が前記第１の周波数チャネルを介した送信を遅らせるべき時間の時間期間、前記第２の周波数チャネル上で使用される送信電力、または３元周波数チャネル上で使用される送信電力のうちの少なくとも１つをさらに備える、請求項２に記載の方法。
【請求項５】
前記物理レイヤプリアンブルは、前記第１の局に関する送信モードの指示と、前記第２の局に関する送信モードの指示とをさらに備え、前記第１の局に関する前記送信モードおよび前記第２の局に関する前記送信モードは、コーディングモードまたはパイロットロケーションモードのうちの少なくとも１つを備える、請求項４に記載の方法。
【請求項６】
前記物理レイヤプリアンブルは、前記第１の周波数チャネルに前記第１の局を、前記第２の周波数チャネルに前記第２の局を割り振るグループ識別をさらに備える、請求項２に記載の方法。
【請求項７】
前記第１のメッセージは、物理レイヤと媒体アクセス制御（ＭＡＣ）レイヤとを備え、前記ＭＡＣレイヤは、前記第１の周波数チャネルに前記第１の局を、前記第２の周波数チャネルに前記第２の局を割り振る、請求項１に記載の方法。
【請求項８】
前記第１の周波数チャネルのチャネル帯域幅を、前記第２の周波数チャネルのチャネル帯域幅の値よりも大きい値に設定することをさらに備える、請求項１に記載の方法。
【請求項９】
第２のメッセージを送信することと、第３のメッセージを送信することとは、前記第１の局に前記第２のメッセージを、前記第２の局に前記第３のメッセージを同時に送信することを備える、請求項１に記載の方法。
【請求項１０】
第２のメッセージを送信することは、第１の時間に前記第２のメッセージを送信することを備え、第３のメッセージを送信することは、前記第１の時間の後の第２の時間に前記第３のメッセージを送信することを備える、請求項１に記載の方法。
【請求項１１】
前記第１の周波数チャネルおよび前記第２の周波数チャネルは、動作帯域幅において隣接している、請求項１に記載の方法。
【請求項１２】
前記第１の周波数チャネルおよび前記第２の周波数チャネルは、動作帯域幅において隣接していない、請求項１に記載の方法。
【請求項１３】
データを送信するための装置であって、
第１のメッセージを生成するための手段と、前記第１のメッセージは、第１の周波数チャネルに第１の局、および第２の周波数チャネルに第２の局の割振りを備え、前記第１のメッセージは、前記第１の局に関連付けられた第１の変調およびコーディング方式（ＭＣＳ）値と、前記第２の局に関連付けられた第２のＭＣＳ値と、を備える物理レイヤプリアンブルを備える、
前記第１の周波数チャネルおよび前記第２の周波数チャネルを介して前記第１のメッセージを送信するための手段と、
前記第１のメッセージの送信後に、前記第１の周波数チャネルを使用して前記第１の局に第２のメッセージを送信するための手段と、
前記第１のメッセージの送信後に、前記第２の周波数チャネルを使用して前記第２の局に第３のメッセージを送信するための手段と
を備える装置。
【請求項１４】
前記物理レイヤプリアンブルは、前記第１の周波数チャネルに前記第１の局を、前記第２の周波数チャネルに前記第２の局を割り振る、請求項１３に記載の装置。
【請求項１５】
前記第１のメッセージは、前記第１の局のための第１のデータと、前記第２の局のための第２のデータとをさらに備える、請求項１４に記載の装置。
【請求項１６】
前記物理レイヤプリアンブルは、アクセスポイントが前記第１の局に送信することになる時間の時間期間、前記アクセスポイントが前記第１の局に送信することになるバイトの数、前記アクセスポイントが前記第２の局に送信することになる時間の時間期間、前記アクセスポイントが前記第２の局に送信することになるバイトの数、前記第１の周波数チャネルに関連付けられ、前記第１の局に送信に使用される第１のチャネル帯域幅、前記第２の周波数チャネルに関連付けられ、前記第２の局に送信に使用される第２のチャネル帯域幅、前記第２の周波数チャネルを介して通信するように構成されていない局が前記第１の周波数チャネルを介した送信を遅らせるべき時間の時間期間、前記第２の周波数チャネル上で使用される送信電力、または３元周波数チャネル上で使用される送信電力のうちの少なくとも１つをさらに備える、請求項１４に記載の装置。
【請求項１７】
前記物理レイヤプリアンブルは、前記第１の局に関する送信モードの指示と、前記第２の局に関する送信モードの指示とをさらに備え、前記第１の局に関する前記送信モードおよび前記第２の局に関する前記送信モードは、コーディングモードまたはパイロットロケーションモードのうちの少なくとも１つを備える、請求項１６に記載の装置。
【請求項１８】
前記物理レイヤプリアンブルは、前記第１の周波数チャネルに前記第１の局を、前記第２の周波数チャネルに前記第２の局を割り振るグループ識別をさらに備える、請求項１４に記載の装置。
【請求項１９】
前記第１のメッセージは、物理レイヤと媒体アクセス制御（ＭＡＣ）レイヤとを備え、前記ＭＡＣレイヤは、前記第１の周波数チャネルに前記第１の局を、前記第２の周波数チャネルに前記第２の局を割り振る、請求項１３に記載の装置。
【請求項２０】
前記第１のメッセージを生成するための前記手段は、プロセッサを備え、前記第１のメッセージを送信するための前記手段と、前記第２のメッセージを送信するための前記手段と、前記第３のメッセージを送信するための前記手段とは、送信機を備える、請求項１３に記載の装置。
【請求項２１】
実行されたときに装置に、
第１のメッセージを生成することと、前記第１のメッセージは、第１の周波数チャネルに第１の局、および第２の周波数チャネルに第２の局の割振りを備え、前記第１のメッセージは、前記第１の局に関連付けられた第１の変調およびコーディング方式（ＭＣＳ）値と、前記第２の局に関連付けられた第２のＭＣＳ値と、を備える物理レイヤプリアンブルを備える、
前記第１の周波数チャネルおよび前記第２の周波数チャネルを介して前記第１のメッセージを送信することと、
前記第１のメッセージの送信後に、前記第１の周波数チャネルを使用して前記第１の局に第２のメッセージを送信することと、
前記第１のメッセージの送信後に、前記第２の周波数チャネルを使用して前記第２の局に第３のメッセージを送信することと
を行わせるコードを備える非一時的コンピュータ可読媒体。
【請求項２２】
前記物理レイヤプリアンブルは、前記第１の周波数チャネルに前記第１の局を、前記第２の周波数チャネルに前記第２の局を割り振る、請求項２１に記載の媒体。
【請求項２３】
前記第１のメッセージは、前記第１の局のための第１のデータと、前記第２の局のための第２のデータとをさらに備える、請求項２２に記載の媒体。
【請求項２４】
前記物理レイヤプリアンブルは、アクセスポイントが前記第１の局に送信することになる時間の時間期間、前記アクセスポイントが前記第１の局に送信することになるバイトの数、前記アクセスポイントが前記第２の局に送信することになる時間の時間期間、前記アクセスポイントが前記第２の局に送信することになるバイトの数、前記第１の周波数チャネルに関連付けられ、前記第１の局に送信に使用される第１のチャネル帯域幅、前記第２の周波数チャネルに関連付けられ、前記第２の局に送信に使用される第２のチャネル帯域幅、前記第２の周波数チャネルを介して通信するように構成されていない局が前記第１の周波数チャネルを介した送信を遅らせるべき時間の時間期間、前記第２の周波数チャネル上で使用される送信電力、または３元周波数チャネル上で使用される送信電力のうちの少なくとも１つをさらに備える、請求項２２に記載の媒体。
【請求項２５】
前記物理レイヤプリアンブルは、前記第１の局に関する送信モードの指示と、前記第２の局に関する送信モードの指示とをさらに備え、ここにおいて、前記第１の局に関する前記送信モードおよび前記第２の局に関する前記送信モードは、コーディングモードまたはパイロットロケーションモードのうちの少なくとも１つを備える、請求項２４に記載の媒体。
【請求項２６】
前記物理レイヤプリアンブルは、前記第１の周波数チャネルに前記第１の局を、前記第２の周波数チャネルに前記第２の局を割り振るグループ識別をさらに備える、請求項２２に記載の媒体。
【請求項２７】
前記第１のメッセージは、物理レイヤと媒体アクセス制御（ＭＡＣ）レイヤとを備え、前記ＭＡＣレイヤは、前記第１の周波数チャネルに前記第１の局を、前記第２の周波数チャネルに前記第２の局を割り振る、請求項２１に記載の媒体。
【請求項２８】
データを送信するための装置であって、
第１のメッセージを生成するように構成されたプロセッサと、前記第１のメッセージは、第１の周波数チャネルに第１の局、および第２の周波数チャネルに第２の局の割振りを備え、前記第１のメッセージは、前記第１の局に関連付けられた第１の変調およびコーディング方式（ＭＣＳ）値と、前記第２の局に関連付けられた第２のＭＣＳ値と、を備える物理レイヤプリアンブルを備える、
前記第１の周波数チャネルおよび前記第２の周波数チャネルを介して前記第１のメッセージを送信するように構成された送信機と、前記送信機は、前記第１のメッセージの送信後に、前記第１の周波数チャネルを使用して前記第１の局に第２のメッセージを送信するようにさらに構成され、前記送信機は、前記第１のメッセージの送信後に、前記第２の周波数チャネルを使用して前記第２の局に第３のメッセージを送信するようにさらに構成される、
を備える装置。
【請求項２９】
前記物理レイヤプリアンブルは、前記第１の周波数チャネルに前記第１の局を、前記第２の周波数チャネルに前記第２の局を割り振る、請求項２８に記載の装置。
【請求項３０】
前記第１のメッセージは、前記第１の局のための第１のデータと、前記第２の局のための第２のデータとをさらに備える、請求項２９に記載の装置。
【請求項３１】
前記物理レイヤプリアンブルは、アクセスポイントが前記第１の局に送信することになる時間の時間期間、前記アクセスポイントが前記第１の局に送信することになるバイトの数、前記アクセスポイントが前記第２の局に送信することになる時間の時間期間、前記アクセスポイントが前記第２の局に送信することになるバイトの数、前記第１の周波数チャネルに関連付けられ、前記第１の局に送信に使用される第１のチャネル帯域幅、前記第２の周波数チャネルに関連付けられ、前記第２の局に送信に使用される第２のチャネル帯域幅、前記第２の周波数チャネルを介して通信するように構成されていない局が前記第１の周波数チャネルを介した送信を遅らせるべき時間の時間期間、前記第２の周波数チャネル上で使用される送信電力、または３元周波数チャネル上で使用される送信電力のうちの少なくとも１つをさらに備える、請求項２９に記載の装置。
【請求項３２】
前記物理レイヤプリアンブルは、前記第１の局に関する送信モードの指示と、前記第２の局に関する送信モードの指示とをさらに備え、前記第１の局に関する前記送信モードおよび前記第２の局に関する前記送信モードは、コーディングモードまたはパイロットロケーションモードのうちの少なくとも１つを備える、請求項３１に記載の装置。
【請求項３３】
前記物理レイヤプリアンブルは、前記第１の周波数チャネルに前記第１の局を、前記第２の周波数チャネルに前記第２の局を割り振るグループ識別をさらに備える、請求項２９に記載の装置。
【請求項３４】
前記第１のメッセージは、物理レイヤと媒体アクセス制御（ＭＡＣ）レイヤとを備え、前記ＭＡＣレイヤは、前記第１の周波数チャネルに前記第１の局を、前記第２の周波数チャネルに前記第２の局を割り振る、請求項２８に記載の装置。
【請求項３５】
前記第１の周波数チャネルのチャネル帯域幅を、前記第２の周波数チャネルのチャネル帯域幅の値よりも大きい値に設定するように構成された送信制御ユニットをさらに備える、請求項２８に記載の装置。
【請求項３６】
前記送信機は、前記第１の局に前記第２のメッセージを、前記第２の局に前記第３のメッセージを同時に送信するようにさらに構成される、請求項２８に記載の装置。
【請求項３７】
前記送信機は、
第１の時間に前記第２のメッセージを送信し、
前記第１の時間の後の第２の時間に前記第３のメッセージを送信する
ようにさらに構成される、請求項２８に記載の装置。
【請求項３８】
前記第１の周波数チャネルおよび前記第２の周波数チャネルは、動作帯域幅において隣接している、請求項２８に記載の装置。
【請求項３９】
前記第１の周波数チャネルおよび前記第２の周波数チャネルは、動作帯域幅において隣接していない、請求項２８に記載の装置。
【請求項４０】
データを送信するための方法であって、
１次周波数チャネルを介した第１の局に送信用の第１のパケットを生成することと、
第２のパケットを生成することと、前記第２のパケットは、物理レイヤプリアンブルを備え、前記物理レイヤプリアンブルは、２次周波数チャネルに第２の局、および３元周波数チャネルに第３の局の割振りを備え、前記物理レイヤプリアンブルは、前記第１の局に関連付けられた第１の変調およびコーディング方式（ＭＣＳ）値と、前記第２の局に関連付けられた第２のＭＣＳ値と、を備える、
前記第１の局に前記１次周波数チャネルを介して前記第１のパケットを送信することと、前記第１の局は、前記２次周波数チャネルまたは前記３元周波数チャネルを介して通信するように構成されていない、
前記２次周波数チャネルおよび前記３元周波数チャネルを介して前記第２のパケットを送信することと、
前記第２のパケットの送信後に、前記２次周波数チャネルを使用して前記第２の局に第３のパケットを送信することと、
前記第２のパケットの送信後に、前記３元周波数チャネルを使用して前記第３の局に第４のパケットを送信することと、
を備える方法。
【請求項４１】
前記第２のパケットは、前記第２の局のための第１のデータと、前記第３の局のための第２のデータとをさらに備える、請求項４０に記載の方法。
【請求項４２】
前記物理レイヤプリアンブルは、アクセスポイントが前記第２の局に送信することになる時間の時間期間、前記アクセスポイントが前記第２の局に送信することになるバイトの数、前記アクセスポイントが前記第３の局に送信することになる時間の時間期間、前記アクセスポイントが前記第３の局に送信することになるバイトの数、前記２次周波数チャネルに関連付けられ、前記第２の局に送信に使用される第１のチャネル帯域幅、前記３元周波数チャネルに関連付けられ、前記第３の局に送信に使用される第２のチャネル帯域幅、前記２次周波数チャネル上で使用される送信電力、または前記３元周波数チャネル上で使用される送信電力のうちの少なくとも１つをさらに備える、請求項４０に記載の方法。
【請求項４３】
前記物理レイヤプリアンブルは、前記第２の局に関する送信モードの指示と、前記第３の局に関する送信モードの指示とをさらに備え、前記第２の局に関する前記送信モードおよび前記第３の局に関する前記送信モードは、コーディングモードまたはパイロットロケーションモードのうちの少なくとも１つを備える、請求項４２に記載の方法。
【請求項４４】
前記１次周波数チャネルのチャネル帯域幅を、前記２次周波数チャネルのチャネル帯域幅の値よりも大きい値に設定することをさらに備える、請求項４０に記載の方法。
【請求項４５】
前記第１のパケットを送信することと、前記第２のパケットを送信することとは、前記第１の局に前記第１のパケットを、前記２次周波数チャネルおよび前記３元周波数チャネルを介して前記第２のパケットを同時に送信することを備える、請求項４０に記載の方法。
【請求項４６】
前記第１のパケットを送信することは、第１の時間に前記第１のパケットを送信することを備え、前記第２のパケットを送信することは、前記第１の時間の後の第２の時間に前記第２のパケットを送信することを備える、請求項４０に記載の方法。
【請求項４７】
第３のパケットを送信することと、第４のパケットを送信することとは、前記第２の局に前記第３のパケットを、前記第３の局に前記第４のパケットを同時に送信することを備える、請求項４０に記載の方法。
【請求項４８】
第３のパケットを送信することは、第１の時間に前記第３のパケットを送信することを備え、第４のパケットを送信することは、前記第１の時間の後の第２の時間に前記第４のパケットを送信することを備える、請求項４０に記載の方法。
【請求項４９】
前記１次周波数チャネル、前記２次周波数チャネル、および前記３元周波数チャネルは、動作帯域幅において隣接している、請求項４０に記載の方法。
【請求項５０】
前記１次周波数チャネル、前記２次周波数チャネル、および前記３元周波数チャネルは、動作帯域幅において隣接していない、請求項４０に記載の方法。
【請求項５１】
前記物理レイヤプリアンブルは、前記２次周波数チャネルに前記第２の局を、前記３元周波数チャネルに前記第３の局を割り振るグループ識別をさらに備える、請求項４０に記載の方法。
【請求項５２】
データを送信するための装置であって、
１次周波数チャネルを介した第１の局に送信用の第１のパケットを生成するための手段と、
第２のパケットを生成するための手段と、前記第２のパケットは、物理レイヤプリアンブルを備え、前記物理レイヤプリアンブルは、２次周波数チャネルに第２の局、および３元周波数チャネルに第３の局の割振りを備え、前記物理レイヤプリアンブルは、前記第１の局に関連付けられた第１の変調およびコーディング方式（ＭＣＳ）値と、前記第２の局に関連付けられた第２のＭＣＳ値と、を備える、
前記第１の局に前記１次周波数チャネルを介して前記第１のパケットを送信するための手段と、前記第１の局は、前記２次周波数チャネルまたは前記３元周波数チャネルを介して通信するように構成されていない、
前記２次周波数チャネルおよび前記３元周波数チャネルを介して前記第２のパケットを送信するための手段と、
前記第２のパケットの送信後に、前記２次周波数チャネルを使用して前記第２の局に第３のパケットを送信するための手段と、
前記第２のパケットの送信後に、前記３元周波数チャネルを使用して前記第３の局に第４のパケットを送信するための手段と
を備える装置。
【請求項５３】
前記第２のパケットは、前記第２の局のための第１のデータと、前記第３の局のための第２のデータとをさらに備える、請求項５２に記載の装置。
【請求項５４】
前記１次周波数チャネルのチャネル帯域幅を、前記２次周波数チャネルのチャネル帯域幅の値よりも大きい値に設定するための手段をさらに備える、請求項５２に記載の装置。
【請求項５５】
前記１次周波数チャネル、前記２次周波数チャネル、および前記３元周波数チャネルは、動作帯域幅において隣接している、請求項５２に記載の装置。
【請求項５６】
前記１次周波数チャネル、前記２次周波数チャネル、および前記３元周波数チャネルは、動作帯域幅において隣接していない、請求項５２に記載の装置。
【請求項５７】
前記第１のパケットを生成するための前記手段と、前記第２のパケットを生成するための前記手段とは、プロセッサを備え、前記第１のパケットを送信するための前記手段と、前記第２のパケットを送信するための前記手段と、前記第３のパケットを送信するための前記手段と、前記第４のパケットを送信するための前記手段とは、送信機を備える、請求項５２に記載の装置。
【請求項５８】
実行されたときに装置に、
１次周波数チャネルを介した第１の局に送信用の第１のパケットを生成することと、
第２のパケットを生成することと、前記第２のパケットは、物理レイヤプリアンブルを備え、前記物理レイヤプリアンブルは、２次周波数チャネルに第２の局、および３元周波数チャネルに第３の局の割振りを備え、前記物理レイヤプリアンブルは、前記第１の局に関連付けられた第１の変調およびコーディング方式（ＭＣＳ）値と、前記第２の局に関連付けられた第２のＭＣＳ値と、を備える、
前記第１の局に前記１次周波数チャネルを介して前記第１のパケットを送信することと、前記第１の局は、前記２次周波数チャネルまたは前記３元周波数チャネルを介して通信するように構成されていない、
前記２次周波数チャネルおよび前記３元周波数チャネルを介して前記第２のパケットを送信することと、
前記第２のパケットの送信後に、前記２次周波数チャネルを使用して前記第２の局に第３のパケットを送信することと、
前記第２のパケットの送信後に、前記３元周波数チャネルを使用して前記第３の局に第４のパケットを送信することと
を行わせるコードを備える非一時的コンピュータ可読媒体。
【請求項５９】
前記第２のパケットは、前記第２の局のための第１のデータと、前記第３の局のための第２のデータとをさらに備える、請求項５８に記載の媒体。
【請求項６０】
実行されたときに装置に、前記１次周波数チャネルのチャネル帯域幅を、前記２次周波数チャネルのチャネル帯域幅の値よりも大きい値に設定することを行わせるコードをさらに備える、請求項５８に記載の媒体。
【請求項６１】
前記１次周波数チャネル、前記２次周波数チャネル、および前記３元周波数チャネルは、動作帯域幅において隣接している、請求項５８に記載の媒体。
【請求項６２】
前記１次周波数チャネル、前記２次周波数チャネル、および前記３元周波数チャネルは、動作帯域幅において隣接していない、請求項５８に記載の媒体。
【請求項６３】
データを送信するための装置であって、
１次周波数チャネルを介した第１の局に送信用の第１のパケットを生成するように構成されたプロセッサと、前記プロセッサは、第２のパケットを生成するようにさらに構成され、前記第２のパケットは、物理レイヤプリアンブルを備え、前記物理レイヤプリアンブルは、２次周波数チャネルに第２の局、および３元周波数チャネルに第３の局の割振りを備え、前記物理レイヤプリアンブルは、前記第１の局に関連付けられた第１の変調およびコーディング方式（ＭＣＳ）値と、前記第２の局に関連付けられた第２のＭＣＳ値と、を備える、
前記第１の局に前記１次周波数チャネルを介して前記第１のパケットを送信するように構成された送信機と、前記第１の局は、前記２次周波数チャネルまたは前記３元周波数チャネルを介して通信するように構成されておらず、前記送信機は、前記２次周波数チャネルおよび前記３元周波数チャネルを介して前記第２のパケットを送信するようにさらに構成され、前記送信機は、前記第２のパケットの送信後に、前記２次周波数チャネルを使用して前記第２の局に第３のパケットを送信するようにさらに構成され、前記送信機は、前記第２のパケットの送信後に、前記３元周波数チャネルを使用して前記第３の局に第４のパケットを送信するようにさらに構成される、
を備える装置。
【請求項６４】
前記第２のパケットは、前記第２の局のための第１のデータと、前記第３の局のための第２のデータとをさらに備える、請求項６３に記載の媒体。
【請求項６５】
前記物理レイヤプリアンブルは、アクセスポイントが前記第２の局に送信することになる時間の時間期間、前記アクセスポイントが前記第２の局に送信することになるバイトの数、前記アクセスポイントが前記第３の局に送信することになる時間の時間期間、前記アクセスポイントが前記第３の局に送信することになるバイトの数、前記２次周波数チャネルに関連付けられ、前記第２の局に送信に使用される第１のチャネル帯域幅、前記３元周波数チャネルに関連付けられ、前記第３の局に送信に使用される第２のチャネル帯域幅、前記２次周波数チャネル上で使用される送信電力、または前記３元周波数チャネル上で使用される送信電力のうちの少なくとも１つをさらに備える、請求項６３に記載の装置。
【請求項６６】
前記物理レイヤプリアンブルは、前記第２の局に関する送信モードの指示と、前記第３の局に関する送信モードの指示とをさらに備え、前記第２の局に関する前記送信モードおよび前記第３の局に関する前記送信モードは、コーディングモードまたはパイロットロケーションモードのうちの少なくとも１つを備える、請求項６５に記載の装置。
【請求項６７】
前記１次周波数チャネルのチャネル帯域幅を、前記２次周波数チャネルのチャネル帯域幅の値よりも大きい値に設定するように構成された送信制御ユニットをさらに備える、請求項６３に記載の装置。
【請求項６８】
前記送信機は、前記第１の局に前記第１のパケットを、前記２次周波数チャネルおよび前記３元周波数チャネルを介して前記第２のパケットを同時に送信するようにさらに構成される、請求項６３に記載の装置。
【請求項６９】
前記送信機は、
第１の時間に前記第１のパケットを送信し、
前記第１の時間の後の第２の時間に前記第２のパケットを送信する
ようにさらに構成される、請求項６３に記載の装置。
【請求項７０】
前記送信機は、前記第２の局に前記第３のパケットを、前記第３の局に前記第４のパケットを同時に送信するようにさらに構成される、請求項６３に記載の装置。
【請求項７１】
前記送信機は、
第１の時間に前記第３のパケットを送信し、
前記第１の時間の後の第２の時間に前記第４のパケットを送信する
ようにさらに構成される、請求項６３に記載の装置。
【請求項７２】
前記１次周波数チャネル、前記２次周波数チャネル、および前記３元周波数チャネルは、動作帯域幅において隣接している、請求項６３に記載の装置。
【請求項７３】
前記１次周波数チャネル、前記２次周波数チャネル、および前記３元周波数チャネルは、動作帯域幅において隣接していない、請求項６３に記載の装置。
【請求項７４】
前記物理レイヤプリアンブルは、前記２次周波数チャネルに前記第２の局を、前記３元周波数チャネルに前記第３の局を割り振るグループ識別をさらに備える、請求項６３に記載の装置。
【手続補正２】
【補正対象書類名】明細書
【補正対象項目名】０１４４
【補正方法】変更
【補正の内容】
【０１４４】
[00172]上記の説明は、本開示の態様を対象としたものであるが、本開示の基本的な範囲を逸脱することなく、本開示の他の態様およびさらなる態様も考案され得、本開示の範囲は、以下の特許請求の範囲によって決定される。
以下に本願の出願当初の特許請求の範囲に記載された発明を付記する。
［Ｃ１］
データを送信するための方法であって、
第１のメッセージを生成することと、前記第１のメッセージは、第１の周波数チャネルに第１の局、および第２の周波数チャネルに第２の局の割振りを備える、
前記第１の周波数チャネルまたは前記第２の周波数チャネルのうちの少なくとも１つを介して前記第１のメッセージを送信することと、
前記第１のメッセージの送信後に、前記第１の周波数チャネルを使用して前記第１の局に第２のメッセージを送信することと、
前記第１のメッセージの送信後に、前記第２の周波数チャネルを使用して前記第２の局に第３のメッセージを送信することと
を備える方法。
［Ｃ２］
前記第１のメッセージは、前記第１の周波数チャネルに前記第１の局を、前記第２の周波数チャネルに前記第２の局を割り振る物理レイヤプリアンブルを備える、Ｃ１に記載の方法。
［Ｃ３］
前記第１のメッセージは、前記第１の局のための第１のデータと、前記第２の局のための第２のデータとをさらに備える、Ｃ２に記載の方法。
［Ｃ４］
前記物理レイヤプリアンブルは、前記第１の局に関連付けられた第１の変調およびコーディング方式（ＭＣＳ）、前記第２の局に関連付けられた第２のＭＣＳ、アクセスポイントが前記第１の局に送信することになる時間の時間期間、前記アクセスポイントが前記第１の局に送信することになるバイトの数、前記アクセスポイントが前記第２の局に送信することになる時間の時間期間、前記アクセスポイントが前記第２の局に送信することになるバイトの数、前記第１の周波数チャネルに関連付けられ、前記第１の局に送信に使用される第１のチャネル帯域幅、前記第２の周波数チャネルに関連付けられ、前記第２の局に送信に使用される第２のチャネル帯域幅、前記第２の周波数チャネルを介して通信するように構成されていない局が前記第１の周波数チャネルを介した送信を遅らせるべき時間の時間期間、前記第２の周波数チャネル上で使用される送信電力、または３元周波数チャネル上で使用される送信電力のうちの少なくとも１つをさらに備える、Ｃ２に記載の方法。
［Ｃ５］
前記物理レイヤプリアンブルは、前記第１の局に関する送信モードの指示と、前記第２の局に関する送信モードの指示とをさらに備え、前記第１の局に関する前記送信モードおよび前記第２の局に関する前記送信モードは、コーディングモードまたはパイロットロケーションモードのうちの少なくとも１つを備える、Ｃ４に記載の方法。
［Ｃ６］
前記物理レイヤプリアンブルは、前記第１の周波数チャネルに前記第１の局を、前記第２の周波数チャネルに前記第２の局を割り振るグループ識別をさらに備える、Ｃ２に記載の方法。
［Ｃ７］
前記第１のメッセージは、物理レイヤと媒体アクセス制御（ＭＡＣ）レイヤとを備え、前記ＭＡＣレイヤは、前記第１の周波数チャネルに前記第１の局を、前記第２の周波数チャネルに前記第２の局を割り振る、Ｃ１に記載の方法。
［Ｃ８］
前記第１の周波数チャネルのチャネル帯域幅を、前記第２の周波数チャネルのチャネル帯域幅の値よりも大きい値に設定することをさらに備える、Ｃ１に記載の方法。
［Ｃ９］
第２のメッセージを送信することと、第３のメッセージを送信することとは、前記第１の局に前記第２のメッセージを、前記第２の局に前記第３のメッセージを同時に送信することを備える、Ｃ１に記載の方法。
［Ｃ１０］
第２のメッセージを送信することは、第１の時間に前記第２のメッセージを送信することを備え、第３のメッセージを送信することは、前記第１の時間の後の第２の時間に前記第３のメッセージを送信することを備える、Ｃ１に記載の方法。
［Ｃ１１］
前記第１の周波数チャネルおよび前記第２の周波数チャネルは、動作帯域幅において隣接している、Ｃ１に記載の方法。
［Ｃ１２］
前記第１の周波数チャネルおよび前記第２の周波数チャネルは、動作帯域幅において隣接していない、Ｃ１に記載の方法。
［Ｃ１３］
データを送信するための装置であって、
第１のメッセージを生成するための手段と、前記第１のメッセージは、第１の周波数チャネルに第１の局、および第２の周波数チャネルに第２の局の割振りを備える、
前記第１の周波数チャネルおよび前記第２の周波数チャネルを介して前記第１のメッセージを送信するための手段と、
前記第１のメッセージの送信後に、前記第１の周波数チャネルを使用して前記第１の局に第２のメッセージを送信するための手段と、
前記第１のメッセージの送信後に、前記第２の周波数チャネルを使用して前記第２の局に第３のメッセージを送信するための手段と
を備える装置。
［Ｃ１４］
前記第１のメッセージは、前記第１の周波数チャネルに前記第１の局を、前記第２の周波数チャネルに前記第２の局を割り振る物理レイヤプリアンブルを備える、Ｃ１３に記載の装置。
［Ｃ１５］
前記第１のメッセージは、前記第１の局のための第１のデータと、前記第２の局のための第２のデータとをさらに備える、Ｃ１４に記載の装置。
［Ｃ１６］
前記物理レイヤプリアンブルは、前記第１の局に関連付けられた第１の変調およびコーディング方式（ＭＣＳ）、前記第２の局に関連付けられた第２のＭＣＳ、アクセスポイントが前記第１の局に送信することになる時間の時間期間、前記アクセスポイントが前記第１の局に送信することになるバイトの数、前記アクセスポイントが前記第２の局に送信することになる時間の時間期間、前記アクセスポイントが前記第２の局に送信することになるバイトの数、前記第１の周波数チャネルに関連付けられ、前記第１の局に送信に使用される第１のチャネル帯域幅、前記第２の周波数チャネルに関連付けられ、前記第２の局に送信に使用される第２のチャネル帯域幅、前記第２の周波数チャネルを介して通信するように構成されていない局が前記第１の周波数チャネルを介した送信を遅らせるべき時間の時間期間、前記第２の周波数チャネル上で使用される送信電力、または３元周波数チャネル上で使用される送信電力のうちの少なくとも１つをさらに備える、Ｃ１４に記載の装置。
［Ｃ１７］
前記物理レイヤプリアンブルは、前記第１の局に関する送信モードの指示と、前記第２の局に関する送信モードの指示とをさらに備え、前記第１の局に関する前記送信モードおよび前記第２の局に関する前記送信モードは、コーディングモードまたはパイロットロケーションモードのうちの少なくとも１つを備える、Ｃ１６に記載の装置。
［Ｃ１８］
前記物理レイヤプリアンブルは、前記第１の周波数チャネルに前記第１の局を、前記第２の周波数チャネルに前記第２の局を割り振るグループ識別をさらに備える、Ｃ１４に記載の装置。
［Ｃ１９］
前記第１のメッセージは、物理レイヤと媒体アクセス制御（ＭＡＣ）レイヤとを備え、前記ＭＡＣレイヤは、前記第１の周波数チャネルに前記第１の局、および前記第２の周波数チャネルに前記第２の局を割り振る、Ｃ１３に記載の装置。
［Ｃ２０］
前記第１のメッセージを生成するための前記手段は、プロセッサを備え、前記第１のメッセージを送信するための前記手段と、前記第２のメッセージを送信するための前記手段と、前記第３のメッセージを送信するための前記手段とは、送信機を備える、Ｃ１３に記載の装置。
［Ｃ２１］
実行されたときに装置に、
第１のメッセージを生成することと、前記第１のメッセージは、第１の周波数チャネルに第１の局、および第２の周波数チャネルに第２の局の割振りを備える、
前記第１の周波数チャネルおよび前記第２の周波数チャネルを介して前記第１のメッセージを送信することと、
前記第１のメッセージの送信後に、前記第１の周波数チャネルを使用して前記第１の局に第２のメッセージを送信することと、
前記第１のメッセージの送信後に、前記第２の周波数チャネルを使用して前記第２の局に第３のメッセージを送信することと
を行わせるコードを備える非一時的コンピュータ可読媒体。
［Ｃ２２］
前記第１のメッセージは、前記第１の周波数チャネルに前記第１の局、および前記第２の周波数チャネルに前記第２の局を割り振る物理レイヤプリアンブルを備える、Ｃ２１に記載の媒体。
［Ｃ２３］
前記第１のメッセージは、前記第１の局のための第１のデータと、前記第２の局のための第２のデータとをさらに備える、Ｃ２２に記載の媒体。
［Ｃ２４］
前記物理レイヤプリアンブルは、前記第１の局に関連付けられた第１の変調およびコーディング方式（ＭＣＳ）、前記第２の局に関連付けられた第２のＭＣＳ、アクセスポイントが前記第１の局に送信することになる時間の時間期間、前記アクセスポイントが前記第１の局に送信することになるバイトの数、前記アクセスポイントが前記第２の局に送信することになる時間の時間期間、前記アクセスポイントが前記第２の局に送信することになるバイトの数、前記第１の周波数チャネルに関連付けられ、前記第１の局に送信に使用される第１のチャネル帯域幅、前記第２の周波数チャネルに関連付けられ、前記第２の局に送信に使用される第２のチャネル帯域幅、前記第２の周波数チャネルを介して通信するように構成されていない局が前記第１の周波数チャネルを介した送信を遅らせるべき時間の時間期間、前記第２の周波数チャネル上で使用される送信電力、または３元周波数チャネル上で使用される送信電力のうちの少なくとも１つをさらに備える、Ｃ２２に記載の媒体。
［Ｃ２５］
前記物理レイヤプリアンブルは、前記第１の局に関する送信モードの指示と、前記第２の局に関する送信モードの指示とをさらに備え、ここにおいて、前記第１の局に関する前記送信モードおよび前記第２の局に関する前記送信モードは、コーディングモードまたはパイロットロケーションモードのうちの少なくとも１つを備える、Ｃ２４に記載の媒体。
［Ｃ２６］
前記物理レイヤプリアンブルは、前記第１の周波数チャネルに前記第１の局を、前記第２の周波数チャネルに前記第２の局を割り振るグループ識別をさらに備える、Ｃ２２に記載の媒体。
［Ｃ２７］
前記第１のメッセージは、物理レイヤと媒体アクセス制御（ＭＡＣ）レイヤとを備え、前記ＭＡＣレイヤは、前記第１の周波数チャネルに前記第１の局を、前記第２の周波数チャネルに前記第２の局を割り振る、Ｃ２１に記載の媒体。
［Ｃ２８］
データを送信するための装置であって、
第１のメッセージを生成するように構成されたプロセッサと、前記第１のメッセージは、第１の周波数チャネルに第１の局、および第２の周波数チャネルに第２の局の割振りを備える、
前記第１の周波数チャネルおよび前記第２の周波数チャネルを介して前記第１のメッセージを送信するように構成された送信機と、前記送信機は、前記第１のメッセージの送信後に、前記第１の周波数チャネルを使用して前記第１の局に第２のメッセージを送信するようにさらに構成され、前記送信機は、前記第１のメッセージの送信後に、前記第２の周波数チャネルを使用して前記第２の局に第３のメッセージを送信するようにさらに構成される、
を備える装置。
［Ｃ２９］
前記第１のメッセージは、前記第１の周波数チャネルに前記第１の局を、前記第２の周波数チャネルに前記第２の局を割り振る物理レイヤプリアンブルを備える、Ｃ２８に記載の装置。
［Ｃ３０］
前記第１のメッセージは、前記第１の局のための第１のデータと、前記第２の局のための第２のデータとをさらに備える、Ｃ２９に記載の装置。
［Ｃ３１］
前記物理レイヤプリアンブルは、前記第１の局に関連付けられた第１の変調およびコーディング方式（ＭＣＳ）、前記第２の局に関連付けられた第２のＭＣＳ、アクセスポイントが前記第１の局に送信することになる時間の時間期間、前記アクセスポイントが前記第１の局に送信することになるバイトの数、前記アクセスポイントが前記第２の局に送信することになる時間の時間期間、前記アクセスポイントが前記第２の局に送信することになるバイトの数、前記第１の周波数チャネルに関連付けられ、前記第１の局に送信に使用される第１のチャネル帯域幅、前記第２の周波数チャネルに関連付けられ、前記第２の局に送信に使用される第２のチャネル帯域幅、前記第２の周波数チャネルを介して通信するように構成されていない局が前記第１の周波数チャネルを介した送信を遅らせるべき時間の時間期間、前記第２の周波数チャネル上で使用される送信電力、または３元周波数チャネル上で使用される送信電力のうちの少なくとも１つをさらに備える、Ｃ２９に記載の装置。
［Ｃ３２］
前記物理レイヤプリアンブルは、前記第１の局に関する送信モードの指示と、前記第２の局に関する送信モードの指示とをさらに備え、前記第１の局に関する前記送信モードおよび前記第２の局に関する前記送信モードは、コーディングモードまたはパイロットロケーションモードのうちの少なくとも１つを備える、Ｃ３１に記載の装置。
［Ｃ３３］
前記物理レイヤプリアンブルは、前記第１の周波数チャネルに前記第１の局を、前記第２の周波数チャネルに前記第２の局を割り振るグループ識別をさらに備える、Ｃ２９に記載の装置。
［Ｃ３４］
前記第１のメッセージは、物理レイヤと媒体アクセス制御（ＭＡＣ）レイヤとを備え、前記ＭＡＣレイヤは、前記第１の周波数チャネルに前記第１の局を、前記第２の周波数チャネルに前記第２の局を割り振る、Ｃ２８に記載の装置。
［Ｃ３５］
前記第１の周波数チャネルのチャネル帯域幅を、前記第２の周波数チャネルのチャネル帯域幅の値よりも大きい値に設定するように構成された送信制御ユニットをさらに備える、Ｃ２８に記載の装置。
［Ｃ３６］
前記送信機は、前記第１の局に前記第２のメッセージを、前記第２の局に前記第３のメッセージを同時に送信するようにさらに構成される、Ｃ２８に記載の装置。
［Ｃ３７］
前記送信機は、
第１の時間に前記第２のメッセージを送信し、
前記第１の時間の後の第２の時間に前記第３のメッセージを送信する
ためにさらに構成される、Ｃ２８に記載の装置。
［Ｃ３８］
前記第１の周波数チャネルおよび前記第２の周波数チャネルは、動作帯域幅において隣接している、Ｃ２８に記載の装置。
［Ｃ３９］
前記第１の周波数チャネルおよび前記第２の周波数チャネルは、動作帯域幅において隣接していない、Ｃ２８に記載の装置。
［Ｃ４０］
データを送信するための方法であって、
１次周波数チャネルを介した第１の局に送信用の第１のパケットを生成することと、
第２のパケットを生成することと、前記第２のパケットは、物理レイヤプリアンブルを備え、前記物理レイヤプリアンブルは、２次周波数チャネルに第２の局、および３元周波数チャネルに第３の局の割振りを備える、
前記第１の局に前記１次周波数チャネルを介して前記第１のパケットを送信することと、前記第１の局は、前記２次周波数チャネルまたは前記３元周波数チャネルを介して通信するように構成されていない、
前記２次周波数チャネルおよび前記３元周波数チャネルを介して前記第２のパケットを送信することと、
前記第２のパケットの送信後に、前記２次周波数チャネルを使用して前記第２の局に第３のパケットを送信することと、
前記第２のパケットの送信後に、前記３元周波数チャネルを使用して前記第３の局に第４のパケットを送信することと
を備える方法。
［Ｃ４１］
前記第２のパケットは、前記第２の局のための第１のデータと、前記第３の局のための第２のデータとをさらに備える、Ｃ４０に記載の方法。
［Ｃ４２］
前記物理レイヤプリアンブルは、前記第２の局に関連付けられた第１の変調およびコーディング方式（ＭＣＳ）、前記第３の局に関連付けられた第２のＭＣＳ、アクセスポイントが前記第２の局に送信することになる時間の時間期間、前記アクセスポイントが前記第２の局に送信することになるバイトの数、前記アクセスポイントが前記第３の局に送信することになる時間の時間期間、前記アクセスポイントが前記第３の局に送信することになるバイトの数、前記２次周波数チャネルに関連付けられ、前記第２の局に送信に使用される第１のチャネル帯域幅、前記３元周波数チャネルに関連付けられ、前記第３の局に送信に使用される第２のチャネル帯域幅、前記２次周波数チャネル上で使用される送信電力、または前記３元周波数チャネル上で使用される送信電力のうちの少なくとも１つをさらに備える、Ｃ４０に記載の方法。
［Ｃ４３］
前記物理レイヤプリアンブルは、前記第２の局に関する送信モードの指示と、前記第３の局に関する送信モードの指示とをさらに備え、前記第２の局に関する前記送信モードおよび前記第３の局に関する前記送信モードは、コーディングモードまたはパイロットロケーションモードのうちの少なくとも１つを備える、Ｃ４２に記載の方法。
［Ｃ４４］
前記１次周波数チャネルのチャネル帯域幅を、前記２次周波数チャネルのチャネル帯域幅の値よりも大きい値に設定することをさらに備える、Ｃ４０に記載の方法。
［Ｃ４５］
前記第１のパケットを送信することと、前記第２のパケットを送信することとは、前記第１の局に前記第１のパケットを、前記２次周波数チャネルおよび前記３元周波数チャネルを介して前記第２のパケットを同時に送信することを備える、Ｃ４０に記載の方法。
［Ｃ４６］
前記第１のパケットを送信することは、第１の時間に前記第１のパケットを送信することを備え、前記第２のパケットを送信することは、前記第１の時間の後の第２の時間に前記第２のパケットを送信することを備える、Ｃ４０に記載の方法。
［Ｃ４７］
第３のパケットを送信することと、第４のパケットを送信することとは、前記第２の局に前記第３のパケットを、前記第３の局に前記第４のパケットを同時に送信することを備える、Ｃ４０に記載の方法。
［Ｃ４８］
第３のパケットを送信することは、第１の時間に前記第３のパケットを送信することを備え、第４のパケットを送信することは、前記第１の時間の後の第２の時間に前記第４のパケットを送信することを備える、Ｃ４０に記載の方法。
［Ｃ４９］
前記１次周波数チャネル、前記２次周波数チャネル、および前記３元周波数チャネルは、動作帯域幅において隣接している、Ｃ４０に記載の方法。
［Ｃ５０］
前記１次周波数チャネル、前記２次周波数チャネル、および前記３元周波数チャネルは、動作帯域幅において隣接していない、Ｃ４０に記載の方法。
［Ｃ５１］
前記物理レイヤプリアンブルは、前記２次周波数チャネルに前記第２の局を、前記３元周波数チャネルに前記第３の局を割り振るグループ識別をさらに備える、Ｃ４０に記載の方法。
［Ｃ５２］
データを送信するための装置であって、
１次周波数チャネルを介した第１の局に送信用の第１のパケットを生成するための手段と、
第２のパケットを生成するための手段と、前記第２のパケットは、物理レイヤプリアンブルを備え、前記物理レイヤプリアンブルは、２次周波数チャネルに第２の局、および３元周波数チャネルに第３の局の割振りを備える、
前記第１の局に前記１次周波数チャネルを介して前記第１のパケットを送信するための手段と、前記第１の局は、前記２次周波数チャネルまたは前記３元周波数チャネルを介して通信するように構成されていない、
前記２次周波数チャネルおよび前記３元周波数チャネルを介して前記第２のパケットを送信するための手段と、
前記第２のパケットの送信後に、前記２次周波数チャネルを使用して前記第２の局に第３のパケットを送信するための手段と、
前記第２のパケットの送信後に、前記３元周波数チャネルを使用して前記第３の局に第４のパケットを送信するための手段と
を備える装置。
［Ｃ５３］
前記第２のパケットは、前記第２の局のための第１のデータと、前記第３の局のための第２のデータとをさらに備える、Ｃ５２に記載の装置。
［Ｃ５４］
前記１次周波数チャネルのチャネル帯域幅を、前記２次周波数チャネルのチャネル帯域幅の値よりも大きい値に設定するための手段をさらに備える、Ｃ５２に記載の装置。
［Ｃ５５］
前記１次周波数チャネル、前記２次周波数チャネル、および前記３元周波数チャネルは、動作帯域幅において隣接している、Ｃ５２に記載の装置。
［Ｃ５６］
前記１次周波数チャネル、前記２次周波数チャネル、および前記３元周波数チャネルは、動作帯域幅において隣接していない、Ｃ５２に記載の装置。
［Ｃ５７］
前記第１のパケットを生成するための前記手段と、前記第２のパケットを生成するための前記手段とは、プロセッサを備え、前記第１のパケットを送信するための前記手段と、前記第２のパケットを送信するための前記手段と、前記第３のパケットを送信するための前記手段と、前記第４のパケットを送信するための前記手段とは、送信機を備える、Ｃ５２に記載の装置。
［Ｃ５８］
実行されたときに装置に、
１次周波数チャネルを介した第１の局に送信用の第１のパケットを生成することと、
第２のパケットを生成することと、前記第２のパケットは、物理レイヤプリアンブルを備え、前記物理レイヤプリアンブルは、２次周波数チャネルに第２の局、および３元周波数チャネルに第３の局の割振りを備える、
前記第１の局に前記１次周波数チャネルを介して前記第１のパケットを送信することと、前記第１の局は、前記２次周波数チャネルまたは前記３元周波数チャネルを介して通信するように構成されていない、
前記２次周波数チャネルおよび前記３元周波数チャネルを介して前記第２のパケットを送信することと、
前記第２のパケットの送信後に、前記２次周波数チャネルを使用して前記第２の局に第３のパケットを送信することと、
前記第２のパケットの送信後に、前記３元周波数チャネルを使用して前記第３の局に第４のパケットを送信することと
を行わせるコードを備える非一時的コンピュータ可読媒体。
［Ｃ５９］
前記第２のパケットは、前記第２の局のための第１のデータと、前記第３の局のための第２のデータとをさらに備える、Ｃ５８に記載の媒体。
［Ｃ６０］
実行されたときに装置に、前記１次周波数チャネルのチャネル帯域幅を、前記２次周波数チャネルのチャネル帯域幅の値よりも大きい値に設定することを行わせるコードをさらに備える、Ｃ５８に記載の媒体。
［Ｃ６１］
前記１次周波数チャネル、前記２次周波数チャネル、および前記３元周波数チャネルは、動作帯域幅において隣接している、Ｃ５８に記載の媒体。
［Ｃ６２］
前記１次周波数チャネル、前記２次周波数チャネル、および前記３元周波数チャネルは、動作帯域幅において隣接していない、Ｃ５８に記載の媒体。
［Ｃ６３］
データを送信するための装置であって、
１次周波数チャネルを介した第１の局に送信用の第１のパケットを生成するように構成されたプロセッサと、前記プロセッサは、第２のパケットを生成するようにさらに構成され、前記第２のパケットは、物理レイヤプリアンブルを備え、前記物理レイヤプリアンブルは、２次周波数チャネルに第２の局、および３元周波数チャネルに第３の局の割振りを備える、
前記第１の局に前記１次周波数チャネルを介して前記第１のパケットを送信するように構成された送信機と、前記第１の局は、前記２次周波数チャネルまたは前記３元周波数チャネルを介して通信するように構成されておらず、前記送信機は、前記２次周波数チャネルおよび前記３元周波数チャネルを介して前記第２のパケットを送信するようにさらに構成され、前記送信機は、前記第２のパケットの送信後に、前記２次周波数チャネルを使用して前記第２の局に第３のパケットを送信するようにさらに構成され、前記送信機は、前記第２のパケットの送信後に、前記３元周波数チャネルを使用して前記第３の局に第４のパケットを送信するようにさらに構成される、
を備える装置。
［Ｃ６４］
前記第２のパケットは、前記第２の局のための第１のデータと、前記第３の局のための第２のデータとをさらに備える、Ｃ６３に記載の媒体。
［Ｃ６５］
前記物理レイヤプリアンブルは、前記第２の局に関連付けられた第１の変調およびコーディング方式（ＭＣＳ）、前記第３の局に関連付けられた第２のＭＣＳ、アクセスポイントが前記第２の局に送信することになる時間の時間期間、前記アクセスポイントが前記第２の局に送信することになるバイトの数、前記アクセスポイントが前記第３の局に送信することになる時間の時間期間、前記アクセスポイントが前記第３の局に送信することになるバイトの数、前記２次周波数チャネルに関連付けられ、前記第２の局に送信に使用される第１のチャネル帯域幅、前記３元周波数チャネルに関連付けられ、前記第３の局に送信に使用される第２のチャネル帯域幅、前記２次周波数チャネル上で使用される送信電力、または前記３元周波数チャネル上で使用される送信電力のうちの少なくとも１つをさらに備える、Ｃ６３に記載の装置。
［Ｃ６６］
前記物理レイヤプリアンブルは、前記第２の局に関する送信モードの指示と、前記第３の局に関する送信モードの指示とをさらに備え、前記第２の局に関する前記送信モードおよび前記第３の局に関する前記送信モードは、コーディングモードまたはパイロットロケーションモードのうちの少なくとも１つを備える、Ｃ６５に記載の装置。
［Ｃ６７］
前記１次周波数チャネルのチャネル帯域幅を、前記２次周波数チャネルのチャネル帯域幅の値よりも大きい値に設定するように構成された送信制御ユニットをさらに備える、Ｃ６３に記載の装置。
［Ｃ６８］
前記送信機は、前記第１の局に前記第１のパケットを、前記２次周波数チャネルおよび前記３元周波数チャネルを介して前記第２のパケットを同時に送信するようにさらに構成される、Ｃ６３に記載の装置。
［Ｃ６９］
前記送信機は、
第１の時間に前記第１のパケットを送信し、
前記第１の時間の後の第２の時間に前記第２のパケットを送信する
ためにさらに構成される、Ｃ６３に記載の装置。
［Ｃ７０］
前記送信機は、前記第２の局に前記第３のパケットを、前記第３の局に前記第４のパケットを同時に送信するようにさらに構成される、Ｃ６３に記載の装置。
［Ｃ７１］
前記送信機は、
第１の時間に前記第３のパケットを送信し、
前記第１の時間の後の第２の時間に前記第４のパケットを送信する
ためにさらに構成される、Ｃ６３に記載の装置。
［Ｃ７２］
前記１次周波数チャネル、前記２次周波数チャネル、および前記３元周波数チャネルは、動作帯域幅において隣接している、Ｃ６３に記載の装置。
［Ｃ７３］
前記１次周波数チャネル、前記２次周波数チャネル、および前記３元周波数チャネルは、動作帯域幅において隣接していない、Ｃ６３に記載の装置。
［Ｃ７４］
前記物理レイヤプリアンブルは、前記２次周波数チャネルに前記第２の局を、前記３元周波数チャネルに前記第３の局を割り振るグループ識別をさらに備える、Ｃ６３に記載の装置。
［Ｃ７５］
データを送信するための方法であって、
１次周波数チャネルに関連付けられたランダムバックオフカウンタを動作させることと、
前記ランダムバックオフカウンタが終了した後に第１の局に前記１次周波数チャネルを介して第１のデータパケットを送信することと、
前記ランダムバックオフカウンタが終了した後、２次周波数チャネルが、前記ランダムバックオフカウンタが終了した時間の前の時間間隔に基づく時間の時間期間にアイドル状態であったかどうかを決定することと、
前記２次周波数チャネルが、前記ランダムバックオフカウンタが終了した前記時間の前の前記時間間隔に基づく時間の前記時間期間にアイドル状態であった場合に、第２の局に前記２次周波数チャネルを介して第２のデータパケットを送信することと
を備える方法。
［Ｃ７６］
前記時間間隔はポイント協調機能インターフレームスペース（ＰＩＦＳ）を備える、Ｃ７５に記載の方法。
［Ｃ７７］
前記２次周波数チャネルに関連付けられた第２のランダムバックオフカウンタを動作させることと、
前記第１のランダムバックオフカウンタが前記第２のランダムバックオフカウンタの前に終了した場合に、前記１次周波数チャネルを介して前記第２のデータパケットを送信することと、
前記第２のランダムバックオフカウンタが前記第１のランダムバックオフカウンタの前に終了した場合に、前記２次周波数チャネルを介して第３のデータパケットを送信することと、
前記第１のランダムバックオフカウンタまたは前記第２のランダムバックオフカウンタのいずれかが最初に終了した後、終了していないランダムバックオフカウンタに関連付けられた周波数チャネルが、前記それぞれのランダムバックオフカウンタが終了した時間の前のポイント協調機能インターフレームスペース（ＰＩＦＳ）に基づく時間の時間期間にアイドル状態であったかどうかを決定することと、
前記それぞれの周波数チャネルが、前記それぞれのランダムバックオフカウンタが終了した前記時間の前の前記ＰＩＦＳに基づく時間の前記時間期間にアイドル状態であった場合に、終了していないランダムバックオフカウンタに対応するデータパケットを送信することと
をさらに備える、Ｃ７５に記載の方法。
［Ｃ７８］
３元周波数チャネルが、前記第２のランダムバックオフカウンタが終了した時間の前のアービトレーションフレーム間間隔（ＡＩＦＳ）に基づく時間の時間期間にアイドル状態であった場合に、前記３元周波数チャネルを介して第４のデータパケットを送信することをさらに備える、Ｃ７７に記載の方法。
［Ｃ７９］
前記２次周波数チャネルおよび３元周波数チャネルを介して前記第２のデータパケットを送信することをさらに備え、前記第２のデータパケットは、物理レイヤプリアンブルを備え、前記物理レイヤプリアンブルは、前記２次周波数チャネルに前記第２の局、および前記３元周波数チャネルに第３の局の割振りを備える、Ｃ７５に記載の方法。
［Ｃ８０］
前記第２のデータパケットの送信後に、前記２次周波数チャネルを介して前記第２の局に第３のデータパケットを送信することと、
前記第２のデータパケットの送信後に、前記３元周波数チャネルの前記第３の局に第４のデータパケットを送信することと
をさらに備える、Ｃ７９に記載の方法。
［Ｃ８１］
前記１次周波数チャネル、前記２次周波数チャネル、および前記３元周波数チャネルは、動作帯域幅において隣接している、Ｃ７９に記載の方法。
［Ｃ８２］
前記１次周波数チャネル、前記２次周波数チャネル、および前記３元周波数チャネルは、動作帯域幅において隣接していない、Ｃ７９に記載の方法。
［Ｃ８３］
前記第１の局は、前記２次周波数チャネルまたは前記３元周波数チャネルを介して通信するように構成されていない、Ｃ７９に記載の方法。
［Ｃ８４］
ランダムバックオフカウンタを動作させることは、制限付きアクセスウィンドウ（ＲＡＷ）タイミングに基づく時間に前記ランダムバックオフカウンタを動作させることを備え、前記ＲＡＷタイミングは、媒体にアクセスが局のグループに制限される時間間隔である、Ｃ７５に記載の方法。
［Ｃ８５］
ランダムバックオフカウンタを動作させることは、ターゲット起動時間（ＴＷＴ）に基づく時間に前記ランダムバックオフカウンタを動作させることを備え、前記ＴＷＴは、前記第１の局が起動している時間である、Ｃ７５に記載の方法。
［Ｃ８６］
前記第２のデータパケットの送信が完了した後に、前記２次周波数チャネルを介して前記第２の局から第１のブロック確認応答を受信することと、
前記第１のブロック確認応答の受信に応答して、前記１次周波数チャネルを介して前記第１の局にブロック確認応答要求を送信することと、
前記ブロック確認応答要求に応答して、前記１次周波数チャネルを介して前記第１の局から第２のブロック確認応答を受信することと
をさらに備える、Ｃ７５に記載の方法。
［Ｃ８７］
前記第２のデータパケットの送信が完了した後に、前記２次周波数チャネルを介して前記第２の局から第１のブロック確認応答を受信することと、
前記第１のデータパケットの送信が完了した後に、前記１次周波数チャネルを介して前記第１の局から第２のブロック確認応答を受信することと、前記第１のブロック確認応答および前記第２のブロック確認応答は同じ時間に受信される、
をさらに備える、Ｃ７５に記載の方法。
［Ｃ８８］
前記第１のデータパケットおよび前記第２のデータパケットの送信が完了した後に、前記１次周波数チャネルを介して前記第１の局に、前記２次周波数チャネルを介して前記第２の局にブロック確認応答要求を送信することと、
前記ブロック確認応答要求に応答して、前記２次周波数チャネルを介して前記第２の局から第１のブロック確認応答を受信することと、
前記ブロック確認応答要求に応答して、前記１次周波数チャネルを介して前記第１の局から第２のブロック確認応答を受信することと、前記第１のブロック確認応答および前記第２のブロック確認応答は同じ時間に受信される、
をさらに備える、Ｃ７５に記載の方法。
［Ｃ８９］
前記第１のデータパケットおよび前記第２のデータパケットの送信が完了した後に、前記１次周波数チャネルを介して前記第１の局および前記第２の局にブロック確認応答要求を送信することと、
前記ブロック確認応答要求に応答して、前記２次周波数チャネルを介して前記第２の局から第１のブロック確認応答を受信することと、
前記ブロック確認応答要求に応答して、前記１次周波数チャネルを介して前記第１の局から第２のブロック確認応答を受信することと、前記第１のブロック確認応答および前記第２のブロック確認応答は同じ時間に受信される、
をさらに備える、Ｃ７５に記載の方法。
［Ｃ９０］
前記第２のデータパケットの送信が完了した後に、前記１次周波数チャネルを介して前記第２の局から第１のブロック確認応答を受信することと、
前記第１のデータパケットの送信が完了した後に、前記１次周波数チャネルを介して前記第１の局から第２のブロック確認応答を受信することと、前記第１のブロック確認応答および前記第２のブロック確認応答は同じ時間に受信される、
をさらに備える、Ｃ７５に記載の方法。
［Ｃ９１］
データを送信するための装置であって、
１次周波数チャネルに関連付けられたランダムバックオフカウンタを動作させるための手段と、
前記ランダムバックオフカウンタが終了した後に第１の局に前記１次周波数チャネルを介して第１のデータパケットを送信するための手段と、
前記ランダムバックオフカウンタが終了した後、２次周波数チャネルが、前記ランダムバックオフカウンタが終了した時間の前の時間間隔に基づく時間の時間期間にアイドル状態であったかどうかを決定するための手段と、
前記２次周波数チャネルが、前記ランダムバックオフカウンタが終了した前記時間の前の前記時間間隔に基づく時間の前記時間期間にアイドル状態であった場合に、第２の局に前記２次周波数チャネルを介して第２のデータパケットを送信するための手段とを備える装置。
［Ｃ９２］
前記時間間隔はポイント協調機能インターフレームスペース（ＰＩＦＳ）を備える、Ｃ９１に記載の装置。
［Ｃ９３］
前記２次周波数チャネルに関連付けられた第２のランダムバックオフカウンタを動作させるための手段と、
前記第１のランダムバックオフカウンタが前記第２のランダムバックオフカウンタの前に終了した場合に、前記１次周波数チャネルを介して前記第２のデータパケットを送信するための手段と、
前記第２のランダムバックオフカウンタが前記第１のランダムバックオフカウンタの前に終了した場合に、前記２次周波数チャネルを介して第３のデータパケットを送信するための手段と、
前記第１のランダムバックオフカウンタまたは前記第２のランダムバックオフカウンタのいずれかが最初に終了した後、終了していないランダムバックオフカウンタに関連付けられた周波数チャネルが、前記それぞれのランダムバックオフカウンタが終了した時間の前のポイント協調機能インターフレームスペース（ＰＩＦＳ）に基づく時間の時間期間にアイドル状態であったかどうかを決定するための手段と、
前記それぞれの周波数チャネルが、前記それぞれのランダムバックオフカウンタが終了した前記時間の前の前記ＰＩＦＳに基づく時間の前記時間期間にアイドル状態であった場合に、終了していないランダムバックオフカウンタに対応するデータパケットを送信するための手段と
をさらに備える、Ｃ９１に記載の装置。
［Ｃ９４］
３元周波数チャネルが、前記第２のランダムバックオフカウンタが終了した時間の前のアービトレーションフレーム間間隔（ＡＩＦＳ）に基づく時間の時間期間にアイドル状態であった場合に、前記３元周波数チャネルを介して第４のデータパケットを送信するための手段をさらに備える、Ｃ９３に記載の装置。
［Ｃ９５］
ランダムバックオフカウンタを動作させるための手段は、制限付きアクセスウィンドウ（ＲＡＷ）タイミングに基づく時間に前記ランダムバックオフカウンタを動作させるための手段を備え、前記ＲＡＷタイミングは、媒体にアクセスが局のグループに制限される時間間隔である、Ｃ９１に記載の装置。
［Ｃ９６］
ランダムバックオフカウンタを動作させるための手段は、ターゲット起動時間（ＴＷＴ）に基づく時間に前記ランダムバックオフカウンタを動作させるための手段を備え、前記ＴＷＴは、前記第１の局が起動している時間である、Ｃ９１に記載の装置。
［Ｃ９７］
動作させるための前記手段は、プロセッサを備え、前記第１のデータパケット送信するための前記手段と、前記第２のデータパケット送信するための前記手段とは、送信機を備え、決定するための前記手段は、信号検出器を備える、Ｃ９１に記載の装置。
［Ｃ９８］
実行されたときに装置に、
１次周波数チャネルに関連付けられたランダムバックオフカウンタを動作させることと、
前記ランダムバックオフカウンタが終了した後に第１の局に前記１次周波数チャネルを介して第１のデータパケットを送信することと、
前記ランダムバックオフカウンタが終了した後、２次周波数チャネルが、前記ランダムバックオフカウンタが終了した時間の前の時間間隔に基づく時間の時間期間にアイドル状態であったかどうかを決定することと、
前記２次周波数チャネルが、前記ランダムバックオフカウンタが終了した前記時間の前の前記時間間隔に基づく時間の前記時間期間にアイドル状態であった場合に、第２の局に前記２次周波数チャネルを介して第２のデータパケットを送信することと
を行わせるコードを備える非一時的コンピュータ可読媒体。
［Ｃ９９］
前記時間間隔はポイント協調機能インターフレームスペース（ＰＩＦＳ）を備える、Ｃ９８に記載の媒体。
［Ｃ１００］
実行されたときに装置に、
前記２次周波数チャネルに関連付けられた第２のランダムバックオフカウンタを動作させることと、
前記第１のランダムバックオフカウンタが前記第２のランダムバックオフカウンタの前に終了した場合に、前記１次周波数チャネルを介して前記第２のデータパケットを送信することと、
前記第２のランダムバックオフカウンタが前記第１のランダムバックオフカウンタの前に終了した場合に、前記２次周波数チャネルを介して第３のデータパケットを送信することと、
前記第１のランダムバックオフカウンタまたは前記第２のランダムバックオフカウンタのいずれかが最初に終了した後、終了していないランダムバックオフカウンタに関連付けられた周波数チャネルが、前記それぞれのランダムバックオフカウンタが終了した時間の前のポイント協調機能インターフレームスペース（ＰＩＦＳ）に基づく時間の時間期間にアイドル状態であったかどうかを決定することと、
前記それぞれの周波数チャネルが、前記それぞれのランダムバックオフカウンタが終了した前記時間の前の前記ＰＩＦＳに基づく時間の前記時間期間にアイドル状態であった場合に、終了していないランダムバックオフカウンタに対応するデータパケットを送信することと
を行わせるコードを備える、Ｃ９８に記載の媒体。
［Ｃ１０１］
実行されたときに装置に、３元周波数チャネルが、前記第２のランダムバックオフカウンタが終了した時間の前のアービトレーションフレーム間間隔（ＡＩＦＳ）に基づく時間の時間期間にアイドル状態であった場合に、前記３元周波数チャネルを介して第４のデータパケットを送信することを行わせるコードを備える、Ｃ１００に記載の媒体。
［Ｃ１０２］
実行されたときに装置に、制限付きアクセスウィンドウ（ＲＡＷ）タイミングに基づく時間に前記ランダムバックオフカウンタを動作させることを行わせるコードを備え、前記ＲＡＷタイミングは、媒体にアクセスが局のグループに制限される時間間隔である、Ｃ９８に記載の媒体。
［Ｃ１０３］
実行されたときに装置に、ターゲット起動時間（ＴＷＴ）に基づく時間に前記ランダムバックオフカウンタを動作させることを行わせるコードを備え、前記ＴＷＴは、前記第１の局が起動している時間である、Ｃ９８に記載の媒体。
［Ｃ１０４］
データを送信するための装置であって、
１次周波数チャネルに関連付けられたランダムバックオフカウンタを動作させるために構成されたプロセッサと、
前記ランダムバックオフカウンタが終了した後に第１の局に前記１次周波数チャネルを介して第１のデータパケットを送信するように構成された送信機と、
前記ランダムバックオフカウンタが終了した後、２次周波数チャネルが、前記ランダムバックオフカウンタが終了した時間の前の時間間隔に基づく時間の時間期間にアイドル状態であったかどうかを決定するように構成された信号検出器と、前記送信機は、前記２次周波数チャネルが、前記ランダムバックオフカウンタが終了した前記時間の前の前記時間間隔に基づく時間の前記時間期間にアイドル状態であった場合に、第２の局に前記２次周波数チャネルを介して第２のデータパケットを送信するようにさらに構成される、を備える装置。
［Ｃ１０５］
前記時間間隔はポイント協調機能インターフレームスペース（ＰＩＦＳ）を備える、Ｃ１０４に記載の装置。
［Ｃ１０６］
前記プロセッサは、前記２次周波数チャネルに関連付けられた第２のランダムバックオフカウンタを動作させるためにさらに構成され、前記送信機は、前記第１のランダムバックオフカウンタが前記第２のランダムバックオフカウンタの前に終了した場合に、前記１次周波数チャネルを介して前記第２のデータパケットを送信し、前記第２のランダムバックオフカウンタが前記第１のランダムバックオフカウンタの前に終了した場合に、前記２次周波数チャネルを介して第３のデータパケットを送信するようにさらに構成され、前記信号検出器は、前記第１のランダムバックオフカウンタまたは前記第２のランダムバックオフカウンタのいずれかが最初に終了した後、終了していないランダムバックオフカウンタに関連付けられた周波数チャネルが、前記それぞれのランダムバックオフカウンタが終了した時間の前のポイント協調機能インターフレームスペース（ＰＩＦＳ）に基づく時間の時間期間にアイドル状態であったかどうかを決定するようにさらに構成され、前記送信機は、前記それぞれの周波数チャネルが、前記それぞれのランダムバックオフカウンタが終了した前記時間の前の前記ＰＩＦＳに基づく時間の前記時間期間にアイドル状態であった場合に、終了していないランダムバックオフカウンタに対応するデータパケットを送信するようにさらに構成される、Ｃ１０４に記載の装置。
［Ｃ１０７］
前記送信機は、３元周波数チャネルが、前記第２のランダムバックオフカウンタが終了した時間の前のアービトレーションフレーム間間隔（ＡＩＦＳ）に基づく時間の時間期間にアイドル状態であった場合に、前記３元周波数チャネルを介して第４のデータパケットを送信するようにさらに構成される、Ｃ１０６に記載の装置。
［Ｃ１０８］
前記送信機は、前記２次周波数チャネルおよび３元周波数チャネルを介して前記第２のデータパケットを送信するようにさらに構成され、前記第２のデータパケットは、物理レイヤプリアンブルを備え、前記物理レイヤプリアンブルは、前記２次周波数チャネルに前記第２の局、および前記３元周波数チャネルに第３の局の割振りを備える、Ｃ１０４に記載の装置。
［Ｃ１０９］
前記送信機は、
前記第２のデータパケットの送信後に、前記２次周波数チャネルを介して前記第２の局に第３のデータパケットを送信し、
前記第２のデータパケットの送信後に、前記３元周波数チャネルの前記第３の局に第４のデータパケットを送信する
ためにさらに構成される、Ｃ１０８に記載の装置。
［Ｃ１１０］
前記１次周波数チャネル、前記２次周波数チャネル、および前記３元周波数チャネルは、動作帯域幅において隣接している、Ｃ１０８に記載の装置。
［Ｃ１１１］
前記１次周波数チャネル、前記２次周波数チャネル、および前記３元周波数チャネルは、動作帯域幅において隣接していない、Ｃ１０８に記載の装置。
［Ｃ１１２］
前記第１の局は、前記２次周波数チャネルまたは前記３元周波数チャネルを介して通信するように構成されていない、Ｃ１０８に記載の装置。
［Ｃ１１３］
前記プロセッサは、制限付きアクセスウィンドウ（ＲＡＷ）タイミングに基づく時間に前記ランダムバックオフカウンタを動作させるためにさらに構成され、前記ＲＡＷタイミングは、媒体にアクセスが局のグループに制限される時間間隔である、Ｃ１０４に記載の装置。
［Ｃ１１４］
前記プロセッサは、ターゲット起動時間（ＴＷＴ）に基づく時間に前記ランダムバックオフカウンタを動作させるためにさらに構成され、前記ＴＷＴは、前記第１の局が起動している時間である、Ｃ１０４に記載の装置。
［Ｃ１１５］
前記第２のデータパケットの送信が完了した後に、前記２次周波数チャネルを介して前記第２の局から第１のブロック確認応答を受信するように構成された受信機をさらに備え、前記送信機は、前記第１のブロック確認応答の受信に応答して、前記１次周波数チャネルを介して前記第１の局にブロック確認応答要求を送信するようにさらに構成され、前記受信機は、前記ブロック確認応答要求に応答して、前記１次周波数チャネルを介して前記第１の局から第２のブロック確認応答を受信するようにさらに構成される、Ｃ１０４に記載の装置。
［Ｃ１１６］
前記第２のデータパケットの送信が完了した後に、前記２次周波数チャネルを介して前記第２の局から第１のブロック確認応答を受信するように構成された受信機をさらに備え、前記受信機は、前記第１のデータパケットの送信が完了した後に、前記１次周波数チャネルを介して前記第１の局から第２のブロック確認応答を受信するようにさらに構成され、前記第１のブロック確認応答および前記第２のブロック確認応答は同じ時間に受信される、Ｃ１０４に記載の装置。
［Ｃ１１７］
前記送信機は、前記第１のデータパケットおよび前記第２のデータパケットの送信が完了した後に、前記１次周波数チャネルを介して前記第１の局に、前記２次周波数チャネルを介して前記第２の局にブロック確認応答要求を送信するようにさらに構成される、Ｃ１０４に記載の装置。
［Ｃ１１８］
前記ブロック確認応答要求に応答して、前記２次周波数チャネルを介して前記第２の局から第１のブロック確認応答を受信するように構成された受信機をさらに備え、前記受信機は、前記ブロック確認応答要求に応答して、前記１次周波数チャネルを介して前記第１の局から第２のブロック確認応答を受信するようにさらに構成され、前記第１のブロック確認応答および前記第２のブロック確認応答は同じ時間に受信される、Ｃ１１７に記載の装置。
［Ｃ１１９］
前記送信機は、前記第１のデータパケットおよび前記第２のデータパケットの送信が完了した後に、前記１次周波数チャネルを介して前記第１の局および前記第２の局にブロック確認応答要求を送信するようにさらに構成される、Ｃ１０４に記載の装置。
［Ｃ１２０］
前記ブロック確認応答要求に応答して、前記２次周波数チャネルを介して前記第２の局から第１のブロック確認応答を受信するように構成された受信機をさらに備え、前記受信機は、前記ブロック確認応答要求に応答して、前記１次周波数チャネルを介して前記第１の局から第２のブロック確認応答を受信するようにさらに構成され、前記第１のブロック確認応答および前記第２のブロック確認応答は同じ時間に受信される、Ｃ１１９に記載の装置。
［Ｃ１２１］
前記第２のデータパケットの送信が完了した後に、前記１次周波数チャネルを介して前記第２の局から第１のブロック確認応答を受信するように構成された受信機をさらに備え、前記受信機は、前記第１のデータパケットの送信が完了した後に、前記１次周波数チャネルを介して前記第１の局から第２のブロック確認応答を受信するようにさらに構成され、前記第１のブロック確認応答および前記第２のブロック確認応答は同じ時間に受信される、Ｃ１０４に記載の装置。
［Ｃ１２２］
データを送信するための方法であって、
第１の局および第２の局に送信要求メッセージを送信することと、
前記第１の局または前記第２の局のうちの少なくとも１つから少なくとも１つの送信可メッセージを受信することと、
１次周波数チャネルを介した前記第１の局からの送信可メッセージの受信に応答して、前記１次周波数チャネルを介して前記第１の局に第１のデータパケットを送信することと、
２次周波数チャネルを介した前記第２の局からの送信可メッセージの受信に応答して、前記２次周波数チャネルを介して前記第２の局に第２のデータパケットを送信することとを備える方法。
［Ｃ１２３］
送信要求メッセージを送信することは、前記１次周波数チャネルを介して前記第１の局に、前記２次周波数チャネルを介して前記第２の局に前記送信要求メッセージを送信することを備える、Ｃ１２２に記載の方法。
［Ｃ１２４］
送信要求メッセージを送信することは、前記１次周波数チャネルを介して前記第１の局および前記第２の局に前記送信要求メッセージを送信することを備える、Ｃ１２２に記載の方法。
［Ｃ１２５］
送信要求メッセージを送信することは、前記１次周波数チャネルを介して送信可メッセージを送信するように前記第１の局を指定する第１の命令と、前記２次周波数チャネルを介して送信可メッセージを送信するように前記第２の局を指定する第２の命令とを送信することを備える、Ｃ１２４に記載の方法。
［Ｃ１２６］
前記第１の局および前記第２の局は同時に送信可メッセージをそれぞれ送信し得る、Ｃ１２２に記載の方法。
［Ｃ１２７］
送信要求メッセージを送信することは、前記第１の局による応答のために割り振られた第１の時間と前記第２の局による応答のために割り振られた第２の時間とを送信することを備える、Ｃ１２２に記載の方法。
［Ｃ１２８］
前記第１の局からの送信可メッセージは、前記第１の時間に従って受信され、前記第２の局からの送信可メッセージは、前記第２の時間に従って受信される、Ｃ１２７に記載の方法。
［Ｃ１２９］
データを送信するための装置であって、
第１の局および第２の局に送信要求メッセージを送信するための手段と、
前記第１の局または前記第２の局のうちの少なくとも１つから少なくとも１つの送信可メッセージを受信するための手段と、
１次周波数チャネルを介した前記第１の局からの送信可メッセージの受信に応答して、前記１次周波数チャネルを介して前記第１の局に第１のデータパケットを送信するための手段と、
２次周波数チャネルを介した前記第２の局からの送信可メッセージの受信に応答して、前記２次周波数チャネルを介して前記第２の局に第２のデータパケットを送信するための手段と
を備える装置。
［Ｃ１３０］
送信要求メッセージを送信するための手段は、前記１次周波数チャネルを介して前記第１の局に、前記２次周波数チャネルを介して前記第２の局に前記送信要求メッセージを送信するための手段を備える、Ｃ１２９に記載の装置。
［Ｃ１３１］
送信要求メッセージを送信するための手段は、前記１次周波数チャネルを介して前記第１の局および前記第２の局に前記送信要求メッセージを送信するための手段を備える、Ｃ１２９に記載の装置。
［Ｃ１３２］
送信要求メッセージを送信するための手段は、前記１次周波数チャネルを介して送信可メッセージを送信するように前記第１の局を指定する第１の命令と、前記２次周波数チャネルを介して送信可メッセージを送信するように前記第２の局を指定する第２の命令とを送信するための手段を備える、Ｃ１３１に記載の装置。
［Ｃ１３３］
前記送信要求メッセージを送信するための前記手段と、前記第１のデータパケット送信するための前記手段と、前記第２のデータパケット送信するための前記手段とは、送信機を備え、受信するための前記手段は、受信機を備える、Ｃ１２９に記載の装置。
［Ｃ１３４］
実行されたときに装置に、
第１の局および第２の局に送信要求メッセージを送信することと、
前記第１の局または前記第２の局のうちの少なくとも１つから少なくとも１つの送信可メッセージを受信することと、
１次周波数チャネルを介した前記第１の局からの送信可メッセージの受信に応答して、前記１次周波数チャネルを介して前記第１の局に第１のデータパケットを送信することと、
２次周波数チャネルを介した前記第２の局からの送信可メッセージの受信に応答して、前記２次周波数チャネルを介して前記第２の局に第２のデータパケットを送信することとを行わせるコードを備える非一時的コンピュータ可読媒体。
［Ｃ１３５］
実行されたときに装置に、前記１次周波数チャネルを介して前記第１の局に、前記２次周波数チャネルを介して前記第２の局に前記送信要求メッセージを送信することを行わせるコードをさらに備える、Ｃ１３４に記載の媒体。
［Ｃ１３６］
実行されたときに装置に、前記１次周波数チャネルを介して前記第１の局および前記第２の局に前記送信要求メッセージを送信することを行わせるコードをさらに備える、Ｃ１３４に記載の媒体。
［Ｃ１３７］
実行されたときに装置に、前記１次周波数チャネルを介して送信可メッセージを送信するように前記第１の局を指定する第１の命令と、前記２次周波数チャネルを介して送信可メッセージを送信するように前記第２の局を指定する第２の命令とを送信することを行わせるコードをさらに備える、Ｃ１３６に記載の媒体。
［Ｃ１３８］
データを送信するための装置であって、
第１の局および第２の局に送信要求メッセージを送信するように構成された送信機と、
前記第１の局または前記第２の局のうちの少なくとも１つから少なくとも１つの送信可メッセージを受信するように構成された受信機と、前記送信機は、１次周波数チャネルを介した前記第１の局からの送信可メッセージの受信に応答して、前記１次周波数チャネルを介して前記第１の局に第１のデータパケットを送信するようにさらに構成され、前記送信機は、２次周波数チャネルを介した前記第２の局からの送信可メッセージの受信に応答して、前記２次周波数チャネルを介して前記第２の局に第２のデータパケットを送信するようにさらに構成される、
を備える装置。
［Ｃ１３９］
前記送信機は、前記１次周波数チャネルを介して前記第１の局に、前記２次周波数チャネルを介して前記第２の局に前記送信要求メッセージを送信するようにさらに構成される、Ｃ１３８に記載の装置。
［Ｃ１４０］
前記送信機は、前記１次周波数チャネルを介して前記第１の局および前記第２の局に前記送信要求メッセージを送信するようにさらに構成される、Ｃ１３８に記載の装置。
［Ｃ１４１］
前記送信機は、前記１次周波数チャネルを介して送信可メッセージを送信するように前記第１の局を指定する第１の命令と、前記２次周波数チャネルを介して送信可メッセージを送信するように前記第２の局を指定する第２の命令とを送信するようにさらに構成される、Ｃ１４０に記載の装置。
［Ｃ１４２］
前記第１の局および前記第２の局は同時に送信可メッセージをそれぞれ送信し得る、Ｃ１３８に記載の装置。
［Ｃ１４３］
前記送信機は、前記第１の局による応答のために割り振られた第１の時間と前記第２の局による応答のために割り振られた第２の時間とを送信するようにさらに構成される、Ｃ１３８に記載の装置。
［Ｃ１４４］
前記第１の局からの送信可メッセージは、前記第１の時間に従って受信され、前記第２の局からの送信可メッセージは、前記第２の時間に従って受信される、Ｃ１４３に記載の装置。
【外国語明細書】
2018074595000001.pdf